(57)【特許請求の範囲】
【請求項１】
眼鏡を装着した状態の眼鏡のレンズの内側の面と装着者の瞳間の距離であるレンズ・瞳間距離を測定するための眼鏡用測定具であって、
本体部（５）と、操作部（２００）とを有し、
本体部は、
第１主尺と第２主尺とがそれらのスライド方向を左右方向とした場合に左右方向にスライドするための平面部を上面に有する中央部（１０）と、
中央部の正面側の端部から正面側に伸びて形成され、その先端における左右方向の一方の側にレンズに当接するための突状部（２４）が形成された第１レッグ部（２０）と、
中央部の背面側に形成され、左右方向の一方の側に一方のレンズの表面に当接する当接部（５０ａ、１１０６）を有し、中央部の背面側に形成された平行保持部（３０）と、
中央部の左右方向の一方の側の端部から連設され、上面に水平面を有する固定部で、主尺の主尺本体を左右方向にスライド可能に収納する主尺収納部（７６、８０）を有する固定部（７０）と、
帯板状を呈する主尺本体（１０２、１１２）と、主尺本体の左右方向の他方の側の端部の上面に形成された突状部（１０４、１１４）とを有し、主尺本体には主尺本体の長手方向に沿って目盛りが設けられた主尺（１００、１１０）と、
を有し、
操作部は、操作部本体（２１０）と、立設部（２４０、２７０、２９０、１０４０）と、第２レッグ部（２８０）とを有し、
操作部本体は、固定部に対してスライド可能に形成され、主尺本体に表示された目盛りを読み取るための読取り用目印（２２８）を有し、
立設部は、操作部本体から立設して形成され、装着者の瞳の頂点に合わせるための頂点合わせ用目印で読取り用目印と左右方向に一致する頂点合わせ用目印（２５０ａ、２５０ｃ、２５０ｅ、９００、１０４４ｂ）を有し、
第２レッグ部は、操作部本体の正面側の端部から正面側に伸びて形成され、その先端の左右方向の他方の側にレンズに当接するための突状部（２８４）が第１レッグ部の突状部と左右方向と直角方向をなす前後方向に同じ位置に形成され、
第１レッグ部の突状部の先端と第２レッグ部の突状部の先端とを当接させた際には、操作部本体は、左右方向の他方の側へのスライドを規制された状態であり、左右方向の他方の側へのスライドを規制させた操作部本体に主尺の突状部の左右方向の一方の側を当接させた際には、主尺の突状部の左右方向における一方の側の端部位置は、当接部の左右方向の一方の側の端部と左右方向に一致し、
主尺本体に表示された目盛りを視認可能なように、固定部の少なくとも主尺本体の上方の領域が透明又は半透明に形成されていることを特徴とする眼鏡用測定具。
【請求項２】
主尺が複数設けられ、固定部に設けられた主尺収納部も主尺の数に合わせて複数設けられていることを特徴とする請求項１に記載の眼鏡用測定具。
【請求項３】
平行保持部は、当接部（５０ａ）の正面側又は背面側に設けられ前後方向にスライド可能な斜め測定部（７００）と、ホルダ（４０Ｂ）とを有し、斜め測定部は、前後方向にスライド可能に設けられ、平行保持部の左右方向の一方の側の辺部に沿って前後方向にスライド可能なスライド板部（７０２）と、スライド板部の上面に垂直に立設して設けられた平板状の計測板部で、当接部側が前後方向に対して左右方向の一方の側に傾斜するとともに、当接部側とは反対側が左右方向の他方の側に傾斜して設けられた計測板部（７０４）とを有し、ホルダは、スライド板部を前後方向にスライド可能に保持し、ホルダには、前後方向に沿って目盛りが設けられていることを特徴とする請求項１又は２に記載の眼鏡用測定具。
【請求項４】
計測板部が、当接部側が前後方向に対して左右方向の一方の側に４５度傾斜するとともに、当接部側とは反対側が左右方向の他方の側に４５度傾斜して設けられ、ホルダに設けられた目盛りは、前後方向に、当接部の前後方向の中心位置から当接部の左右方向の厚み分斜め測定部側にずれた位置を基点として設けられていることを特徴とする請求項３に記載の眼鏡用測定具。
【請求項５】
平行保持部は、左右方向の一方の側に他方のレンズの表面に当接する第２当接部でその左右方向の一方の側の端部が上記当接部の左右方向の一方の側の端部と左右方向に一致する第２当接部（５０ｂ）を有するスライド部（４２）と、スライド部を前後方向にスライド可能に保持する第２ホルダ（４０Ａ）とを有することを特徴とする請求項１又は２又は３又は４に記載の眼鏡用測定具。
【請求項６】
平行保持部とスライド部のいずれか一方に前後方向に目盛り（４５）が設けられるとともに、他方に目盛りを読み取るための第２読取り用目印（５２）が形成され、平行保持部には、スライド部（４２）に沿って前後方向に伸びるとともに、平行保持部に対して前後方向にスライド可能に形成され、眼鏡の横方向の中央に合わせるための目印である中央位置用目印（６４ｂ、６４ｆ）を有する中央位置特定部（６０）が設けられていることを特徴とする請求項５に記載の眼鏡用測定具。
【請求項７】
立設部は、操作部本体の背面側の端部から水平方向に対して直角に立設し左右方向に伸びた板状を呈する操作部背面部を有することを特徴とする請求項１又は２又は３又は４又は５又は６に記載の眼鏡用測定具。
【請求項８】
立設部は、前後方向を向いた複数の平板状部を間隔を介して水平面に対して直角に立設して設けたスリット構成部を有し、複数の平板状部における１つが頂点合わせ用目印となることを特徴とする請求項１又は２又は３又は４又は５又は６に記載の眼鏡用測定具。
【請求項９】
平行保持部には、回転部（１１００）と、左右方向に移動可能に軸支する回転部軸支部（１０７１）とを有するレンズ厚調節部（１０７０）が設けられ、回転部は、当接部を左右方向の一方の側に支持する当接部支持部と、当接部支持部から左右方向の他方の側に伸びたネジ部で周面にネジ溝を有するネジ部（１１０４ａ）を有し、回転部軸支部は、ネジ部と螺合するためのネジ溝が形成されたネジ穴を有し、回転部が回転部軸支部に対して左右方向に所定の位置にある場合に、左右方向の他方の側へのスライドを規制させた操作部本体に主尺の突状部の左右方向の一方の側を当接させた際には、主尺の突状部の左右方向における一方の側の端部位置は、当接部の左右方向の一方の側の端部と左右方向に一致することを特徴とする請求項１又は２又は３又は４又は５又は６又は７又は８に記載の眼鏡用測定具。
【請求項１０】
操作部における立設部の正面側には、水平方向に対して正面側が上方となるように傾斜した鏡面を有する鏡面ユニットが設けられ、上方から鏡面を視認することにより立設部を視認可能であることを特徴とする請求項１又は２又は３又は４又は５又は６又は７又は８又は９に記載の眼鏡用測定具。
【請求項１１】
眼鏡を装着した状態の眼鏡のレンズの内側の面と装着者の瞳間の距離であるレンズ・瞳間距離を測定するための眼鏡用測定具であって、
本体部（５）と、操作部（２００）とを有し、
本体部は、
第１主尺と第２主尺とがそれらのスライド方向を左右方向とした場合に左右方向にスライドするための平面部を上面に有する中央部（１０）と、
中央部の正面側の端部から正面側に伸びて形成され、その先端における左右方向の一方の側にレンズに当接するための突状部（２４）が形成された第１レッグ部（２０）と、
中央部の背面側に形成された平行保持部で、平行保持部本体（３４）と、平行保持部本体に対して左右方向とは直角方向の前後方向にスライドするスライド部（４２）とを有し、
平行保持部本体は、左右方向の一方の側に一方のレンズの表面に当接する第１当接部（５０ａ）を有するとともに、スライド部をスライド可能に保持するホルダ（４０）を有し、
スライド部は、左右方向の一方の側に他方のレンズの表面に当接しその左右方向の一方の側の端部が第１当接部の左右方向の一方の側の端部と左右方向に一致する第２当接部（５０ｂ）を有する平行保持部（３０）と、
中央部の左右方向の一方の側の端部から連設され、上面に水平面を有する固定部で、第１主尺の主尺本体を左右方向にスライド可能に収納する第１主尺収納部（７６）と、第２主尺の主尺本体を左右方向にスライド可能に収納し、第１主尺収納部よりも正面側に設けられた第２主尺収納部（８０）と、データ保持部材の帯板状部を左右方向にスライド可能に収納する溝状部（８２）とを有する固定部（７０）と、
帯板状を呈する第１主尺本体（１０２）と、第１主尺本体の左右方向の他方の側の端部の上面に形成された突状部（１０４）とを有し、第１主尺本体には突状部の左右方向の一方の側の端部位置を基点として第１主尺本体の長手方向に沿って目盛りが表示された第１主尺（１００）と、
帯板状を呈する第２主尺本体（１１２）と、第２主尺本体の左右方向の他方の側の端部の上面に形成された突状部（１１４）とを有し、第２主尺本体には突状部の左右方向の一方の側の端部位置を基点として第２主尺本体の長手方向に沿って目盛りが表示された第２主尺（１１０）と、
固定部に設けられた溝状部内にスライド可能な帯板状部（１２２）と、帯板状部の上面から立設した柱状部（１２４）と、柱状部の上端に設けられ第１主尺本体の目盛りと第２主尺本体の目盛りを読み取るための第１目印でスライド板を柱状部に係止した際には操作部本体に設けられた第２目印と左右方向に一致する第１目印（１２６ａ）が設けられたデータ表示部材とを有するデータ保持部材（１２０）と、
を有し、
操作部は、操作部本体（２１０）と、スライド板（２３０）と、操作部背面部（２４０）と、第２レッグ部（２８０）とを有し、
操作部本体は、スライド板を前後方向にスライド可能に保持するとともに、第１主尺本体に表示された目盛りと第２主尺本体に表示された目盛りを読み取るための第２目印（２２８）を有し、固定部に対して左右方向にスライドし、
スライド板は、前後方向にスライド可能で透明又は半透明な部材で形成され、正面側に開口した切欠部（２３２ａ）を有し、スライド板を正面側にスライドさせることにより切欠部がデータ保持部材の柱状部に係止し、切欠部が柱状部に係止した状態からスライド板を背面側にスライドさせることにより切欠部の柱状部に対する係止が解除され、
操作部背面部は、操作部本体の背面側の端部から水平方向に対して直角に立設し左右方向に伸び、装着者の瞳の頂点に合わせるための第３目印で第２目印と左右方向に一致する第３目印（２５０ａ、２５０ｃ、２５０ｅ）を有し、
第２レッグ部は、操作部本体の正面側の端部から正面側に伸びて形成され、その先端の左右方向の他方の側にレンズに当接するための突状部（２８４）が第１レッグ部の突状部と前後方向に同じ位置に形成され、
第１レッグ部の突状部の先端と第２レッグ部の突状部の先端とを当接させた際には、操作部本体は、左右方向の他方の側へのスライドを規制された状態であり、左右方向の他方の側へのスライドを規制させた操作部本体に第１主尺の突状部の左右方向の一方の側を当接させた際には、第１主尺の突状部の左右方向における一方の側の端部位置は、第１当接部の左右方向の一方の側の端部と左右方向に一致し、左右方向の他方の側へのスライドを規制させた操作部本体に第２主尺の突状部の左右方向の一方の側を当接させた際には、第２主尺の突状部の左右方向における一方の側の端部位置は、第１当接部の左右方向の一方の側の端部と左右方向に一致し、
第１主尺本体に表示された目盛りと第２主尺本体に表示された目盛りを視認可能なように、固定部の少なくとも第１主尺本体の上方の領域及び第２主尺本体の上方の領域と、スライド板の少なくとも第２目印の上方を含む領域が透明又は半透明に形成されていることを特徴とする眼鏡用測定具。
【請求項１２】
眼鏡を装着した状態の眼鏡のレンズの内側の面と装着者の瞳間の距離であるレンズ・瞳間距離を測定するための眼鏡用測定具であって、
本体部（５）と、操作部（２００）とを有し、
本体部は、
略板状を呈し、操作部をそのスライド方向を左右方向とした場合に左右方向の一方の側とは反対側である他方の側にスライドさせた際に左右方向の他方の側へのスライドを規制する規制部を有する中央部（１０）と、
中央部の正面側の端部から正面側に伸びて形成され、その先端における左右方向の一方の側にレンズに当接するための突状部が形成された第１レッグ部（２０）と、
中央部の背面側に形成された平行保持部で、平行保持部本体（３４）と、平行保持部本体に対して左右方向とは直角方向の前後方向にスライドするスライド部（４２）とを有し、
平行保持部本体は、左右方向の一方の側に一方のレンズの表面に当接する第１当接部（５０ａ）を有するとともに、スライド部をスライド可能に保持するホルダ（４０）を有し、
スライド部は、平面視略Ｌ字状を呈し、左右方向の一方の側に他方のレンズの表面に当接しその左右方向の一方の側の端部が第１当接部の左右方向の一方の側の端部と左右方向に一致する第２当接部（５０ｂ）を有する平行保持部（３０）と、
中央部の左右方向の一方の側の端部から連設された固定部で、上面に水平面を有し略板状の固定部本体で、第１主尺の主尺本体を左右方向にスライド可能に収納する穴状又は上方が開口した溝状の第１主尺収納部（７６）と、第２主尺の主尺本体を左右方向にスライド可能に収納し、第１主尺収納部よりも正面側に設けられた穴状又は上方が開口した溝状の第２主尺収納部（８０）と、データ保持部材の帯板状部を左右方向にスライド可能に収納する溝状部（８２）とを有する固定部本体で、固定部本体の底面が中央部の底面よりも上方にずれて形成された固定部本体（７１）と、固定部本体の背面側の端部から水平方向に対して直角に立設し左右方向に伸びた垂直板部とを有する固定部（７０）と、
帯板状を呈する第１主尺本体（１０２）と、第１主尺本体の左右方向の他方の側の端部の上面に形成された突状部（１０４）とを有し、第１主尺本体には突状部の左右方向の一方の側の端部位置を基点として第１主尺本体の長手方向に沿って目盛りが表示された第１主尺（１００）と、
帯板状を呈する第２主尺本体（１１２）と、第２主尺本体の左右方向の他方の側の端部の上面に形成された突状部（１１４）とを有し、第２主尺本体には突状部の左右方向の一方の側の端部位置を基点として第２主尺本体の長手方向に沿って目盛りが表示された第２主尺（１１０）と、
固定部本体に設けられた溝状部内にスライド可能な帯板状部（１２２）と、帯板状部の上面から立設した柱状部（１２４）と、柱状部の上端に設けられ第１主尺本体の目盛りと第２主尺本体の目盛りを読み取るための第１目印でスライド板を柱状部に係止した際には操作部本体に設けられた第２目印と左右方向に一致する第１目印（１２６ａ）が設けられたデータ表示部材（１２６）とを有するデータ保持部材（１２０）と、
を有し、
操作部は、操作部本体（２１０）と、スライド板（２３０）と、操作部背面部（２４０）と、第２レッグ部（２８０）とを有し、
操作部本体は、固定部本体の下側に設けられた板状の下側構成部（２１２）と、固定部本体の上側に設けられた上側構成部（２１４）と、下側構成部と上側構成部を正面側で連結する中間部（２３８）とを有し、固定部に対して左右方向にスライドし、
上側構成部は、スライド板を前後方向にスライド可能に保持するとともに、データ保持部の柱状部を配置するための切欠部（２１８）を有し、第１主尺本体に表示された目盛りと第２主尺本体に表示された目盛りを読み取るための第２目印（２２８）を有し、
スライド板は、前後方向にスライド可能で透明又は半透明な部材で形成され、正面側に開口した切欠部（２３２ａ）を有し、スライド板を正面側にスライドさせることにより切欠部がデータ保持部材の柱状部に係止し、切欠部が柱状部に係止した状態からスライド板を背面側にスライドさせることにより切欠部の柱状部に対する係止が解除され、
操作部背面部は、上側構成部の背面側の端部から水平方向に対して直角に立設し左右方向に伸び、固定部の垂直板部の正面側に沿って設けられた板状の前側構成部で、装着者の瞳の頂点に合わせるための第３目印で第２目印と左右方向に一致する第３目印を有する前側構成部（２４２）と、下側構成部の背面側の端部から水平方向に対して直角に立設し左右方向に伸びた板状の後側構成部（２６０）とを有し、
第２レッグ部は、操作部本体の正面側の端部から正面側に伸びて形成され、その先端の左右方向の他方の側にレンズに当接するための突状部（２８４）が第１レッグ部の突状部と前後方向に同じ位置に形成され、
第１レッグ部の突状部の先端と第２レッグ部の突状部の先端とを当接させた際には、操作部本体は、中央部の規制部に左右方向の他方の側へのスライドを規制された状態であり、規制部により左右方向の他方の側へのスライドを規制させた操作部本体部に第１主尺の突状部の左右方向の一方の側を当接させた際には、第１主尺の突状部の左右方向における一方の側の端部位置は、第１当接部の左右方向の一方の側の端部と左右方向に一致し、規制部により左右方向の他方の側へのスライドを規制させた操作部本体部に第２主尺の突状部の左右方向の一方の側を当接させた際には、第２主尺の突状部の左右方向における一方の側の端部位置は、第１当接部の左右方向の一方の側の端部と左右方向に一致し、
第１主尺本体に表示された目盛りと第２主尺本体に表示された目盛りを視認可能なように、固定部の少なくとも第１主尺本体の上方の領域及び第２主尺本体の上方の領域と、スライド板の少なくとも第２目印の上方を含む領域が透明又は半透明に形成されていることを特徴とする眼鏡用測定具。
【請求項１３】
スライド板の切欠部の柱状部に対する係止が解除された状態で、操作部を固定部本体に対して左右方向の他方の側にスライドさせた際に、柱状部がスライド板に接触しないように、スライド板における第１の方形状の左右方向の他方の側には、第２の切欠部（２３２ｂ）が形成され、また、上側構成部に設けられた切欠部は平面視において第２の切欠部の領域にも形成されていることを特徴とする請求項１２に記載の眼鏡用測定具。
【請求項１４】
固定部本体の上面の左右方向の他方の側には、操作部の固定部に対する移動量を測定するための目盛り（８４、８６）が左右方向に設けられていることを特徴とする請求項１２又は１３に記載の眼鏡用測定具。
【請求項１５】
平行保持部本体とスライド部のいずれか一方に前後方向に目盛り（４５）が設けられるとともに、他方に目盛りを読み取るための第４目印（５２）が形成されていることを特徴とする請求項１１又は１２又は１３又は１４に記載の眼鏡用測定具。
【請求項１６】
平行保持部の下面側には、前後方向に伸びるとともに、眼鏡の横方向の中央に合わせるための中間位置特定部（６４ｂ）を有する第２スライド部（６４）と、第２スライド部を前後方向にスライド可能に保持する第２ホルダ（６２）とを有する中央位置特定部（６０）が設けられていることを特徴とする請求項１５に記載の眼鏡用測定具。
【請求項１７】
スライド板は、平面視において、第１の方形状と、該第１の方形状の左側面における背面側の端部から左右方向の他方の側に連設された第２の方形状と、該第２の方形状の左側面から連設され第２の方形状から正面側に突出して形成された第３の方形状とを連設した形状を呈し、スライド板における切欠部は、第１の方形状と第２の方形状と第３の方形状とで囲まれて方形状に形成されていることを特徴とする請求項１１又は１２又は１３又は１４又は１５又は１６に記載の眼鏡用測定具。
【請求項１８】
操作部背面部には、眼鏡用測定具の左右方向の傾斜角度を測定するための傾斜角度測定部で、前後方向に設けられた支点を中心に垂下する板状の傾斜角度測定部（２５２）と、該傾斜角度測定用板状部と操作部背面部の一方に設けられた目盛り（２５２ｂ）と、他方に設けられた該目盛りを読み取るための目印（２５２ｃ）とを有することを特徴とする請求項７又は１１又は１２又は１３又は１４又は１５又は１６又は１７に記載の眼鏡用測定具。
【請求項１９】
操作部本体の操作部背面部よりも正面側には、水平方向に対して直角に立設し左右方向に伸びた板状の正面側構成部（２７０）が設けられ、正面側構成部と操作部背面部とには、正確に正面側から視認していることを確認するための確認用手段で、目印又は開口部により構成された確認用手段が形成されていることを特徴とする請求項７又は１１又は１２又は１３又は１４又は１５又は１６又は１７又は１８に記載の眼鏡用測定具。
【請求項２０】
眼鏡用測定具セットであって、
請求項１〜１９のいずれかに記載の眼鏡用測定具と、
眼鏡用測定具に用いる第１シールであって、
リング状の一部を欠切して切欠部を形成した形状の第１円弧状部（３０２、４０２）と、第１円弧状部から外側に突出して形成された第１片部（３０４、４０４）とを有する第１シール本体（３００ａ、４００ａ）と、
第１シール本体の円弧状部の裏面に形成された第１粘着部（３００ｂ、４００ｂ）と、
第１粘着部を被覆する第１剥離紙（３００ｃ、４００ｃ）と、を有する第１シール（３００、４００）と、
眼鏡用測定具に用いる第２シールであって、
リング状の一部を欠切して切欠部を形成した形状の第２円弧状部（３１２、４１２）と、第２円弧状部から外側に突出して形成された第２片部（３１４、４１４）とを有する本体部（３１１、４１１）と、該本体部の円弧状部の内側の領域に円弧状部と切目線を介して形成された目隠し用部材（３２１、４２１）とを有する第２シール本体（３１０ａ、４１０ａ）と、
第２シール本体の円弧状部の裏面に形成された第２粘着部（３１０ｂ、４１０ｂ）と、
第２粘着部を被覆する第２剥離紙（３１０ｃ、４１０ｃ）と、を有する第２シール（３１０、４１０）と、
とを有することを特徴とする眼鏡用測定具セット。
【請求項２１】
眼鏡用測定具セットが、検査用眼鏡であって、テンプル部の外側面の前方端部又は智部の外側面に設けられた測定部で、目盛りがスライド方向に沿って設けられたスライド目盛り部（６３０）と、該スライド目盛り部をテンプル部に沿ってスライド可能に保持し、テンプル部の外側面に取り付けられたホルダ（６１２）とを有する測定具を有する検査用眼鏡を有することを特徴とする請求項２０に記載の眼鏡用測定具セット。
【請求項２２】
眼鏡用測定具セットが、検査用眼鏡であって、テンプル部の外側面の前方端部又は智部の外側面に設けられた測定部で、目盛りがスライド方向に沿って設けられたスライド目盛り部（６３０）と、該スライド目盛り部をテンプル部に沿ってスライド可能に保持するホルダ（６１１）と、ホルダをテンプル部の方向に略直角な方向の軸線を中心に回動可能に支持する回動支持部（６６０）とを有する測定具を有する検査用眼鏡を有することを特徴とする請求項２０に記載の眼鏡用測定具セット。
【請求項２３】
ホルダ又は検査用眼鏡のテンプル部又は智部に、検査用眼鏡に装着したレンズの厚み方向の中心を示す目印である中心位置表示目印（６２２ａ）と、該中心位置表示目印を基点とする目盛り（６２２ｂ）とが設けられていることを特徴とする請求項２１又は２２に記載の眼鏡用測定具セット。
【請求項２４】
眼鏡を装着した状態の眼鏡のレンズの内側の面と装着者の瞳間の距離であるレンズ・瞳間距離を測定するための眼鏡用測定具で、本体部（５）と、操作部（２００）とを有し、本体部は、第１主尺と第２主尺とがそれらのスライド方向を左右方向とした場合に左右方向にスライドするための平面部を上面に有する中央部（１０）と、中央部の正面側の端部から正面側に伸びて形成され、その先端における左右方向の一方の側にレンズに当接するための突状部（２４）が形成された第１レッグ部（２０）と、中央部の背面側に形成され、左右方向の一方の側に一方のレンズの表面に当接する当接部（５０ａ、１１０６）を有し、中央部の背面側に形成された平行保持部（３０）と、中央部の左右方向の一方の側の端部から連設され、上面に水平面を有する固定部で、主尺の主尺本体を左右方向にスライド可能に収納する主尺収納部（７６、８０）を有する固定部（７０）と、帯板状を呈する主尺本体（１０２、１１２）と、主尺本体の左右方向の他方の側の端部の上面に形成された突状部（１０４、１１４）とを有し、主尺本体には主尺本体の長手方向に沿って目盛りが表示された主尺（１００、１１０）と、を有し、操作部は、操作部本体（２１０）と、立設部（２４０、２７０、２９０、１０４０）と、第２レッグ部（２８０）とを有し、操作部本体は、固定部に対してスライド可能に形成され、主尺本体に表示された目盛りを読み取るための読取り用目印（２２８）を有し、立設部は、操作部本体から立設して形成され、装着者の瞳の頂点に合わせるための頂点合わせ用目印で読取り用目印と左右方向に一致する頂点合わせ用目印（２５０ａ、２５０ｃ、２５０ｅ、９００、１０４４ｂ）を有し、第２レッグ部は、操作部本体の正面側の端部から正面側に伸びて形成され、その先端の左右方向の他方の側にレンズに当接するための突状部（２８４）が第１レッグ部の突状部と左右方向と直角方向をなす前後方向に同じ位置に形成され、第１レッグ部の突状部の先端と第２レッグ部の突状部の先端とを当接させた際には、操作部本体は、左右方向の他方の側へのスライドを規制された状態であり、左右方向の他方の側へのスライドを規制させた操作部本体に主尺の突状部の左右方向の一方の側を当接させた際には、主尺の突状部の左右方向における一方の側の端部位置は、当接部の左右方向の一方の側の端部と左右方向に一致し、主尺本体に表示された目盛りを視認可能なように、固定部の少なくとも主尺本体の上方の領域が透明又は半透明に形成されている眼鏡用測定具による測定方法であって、
第１レッグ部の突状部と第２レッグ部の突状部とで眼鏡のレンズを挟んだ状態とする挟み工程と、
主尺を左右方向の一方の側にスライドさせて、第１主尺と第２主尺の一方の突状部が操作部本体に当接する状態とする主尺スライド工程と、
眼鏡を装着者に装着させて、レンズ・瞳間距離を測定しようとする瞳に対応したレンズに当接部を当接させた状態で、装着者の瞳の頂点が立設部の頂点合わせ用目印と左右方向に一致するように操作部をスライドさせる操作部スライド工程と、
操作部本体に設けられた読取り用目印により示される主尺の目盛りの値をレンズ・瞳間距離として読み取る読取り工程と、
を有することを特徴とする眼鏡用測定具による測定方法。
【請求項２５】
眼鏡を装着した状態の眼鏡のレンズの内側の面と装着者の瞳間の距離であるレンズ・瞳間距離を測定するための眼鏡用測定具で、本体部（５）と、操作部（２００）とを有し、本体部は、第１主尺と第２主尺とがそれらのスライド方向を左右方向とした場合に左右方向にスライドするための平面部を上面に有する中央部（１０）と、中央部の正面側の端部から正面側に伸びて形成され、その先端における左右方向の一方の側にレンズに当接するための突状部（２４）が形成された第１レッグ部（２０）と、中央部の背面側に形成された平行保持部で、平行保持部本体（３４）と、平行保持部本体に対して左右方向とは直角方向の前後方向にスライドするスライド部（４２）とを有し、平行保持部本体は、左右方向の一方の側に一方のレンズの表面に当接する第１当接部（５０ａ）を有するとともに、スライド部をスライド可能に保持するホルダ（４０）を有し、スライド部は、左右方向の一方の側に他方のレンズの表面に当接しその左右方向の一方の側の端部が第１当接部の左右方向の一方の側の端部と左右方向に一致する第２当接部（５０ｂ）を有する平行保持部（３０）と、中央部の左右方向の一方の側の端部から連設され、上面に水平面を有する固定部で、第１主尺の主尺本体を左右方向にスライド可能に収納する第１主尺収納部（７６）と、第２主尺の主尺本体を左右方向にスライド可能に収納し、第１主尺収納部よりも正面側に設けられた第２主尺収納部（８０）と、データ保持部材の帯板状部を左右方向にスライド可能に収納する溝状部（８２）とを有する固定部（７０）と、帯板状を呈する第１主尺本体（１０２）と、第１主尺本体の左右方向の他方の側の端部の上面に形成された突状部（１０４）とを有し、第１主尺本体には突状部の左右方向の一方の側の端部位置を基点として第１主尺本体の長手方向に沿って目盛りが表示された第１主尺（１００）と、帯板状を呈する第２主尺本体（１１２）と、第２主尺本体の左右方向の他方の側の端部の上面に形成された突状部（１１４）とを有し、第２主尺本体には突状部の左右方向の一方の側の端部位置を基点として第２主尺本体の長手方向に沿って目盛りが表示された第２主尺（１１０）と、固定部に設けられた溝状部内にスライド可能な帯板状部（１２２）と、帯板状部の上面から立設した柱状部（１２４）と、柱状部の上端に設けられ第１主尺本体の目盛りと第２主尺本体の目盛りを読み取るための第１目印でスライド板を柱状部に係止した際には操作部本体に設けられた第２目印と左右方向に一致する第１目印（１２６ａ）が設けられたデータ表示部材とを有するデータ保持部材（１２０）と、を有し、操作部は、操作部本体（２１０）と、スライド板（２３０）と、操作部背面部（２４０）と、第２レッグ部（２８０）とを有し、操作部本体は、スライド板を前後方向にスライド可能に保持するとともに、第１主尺本体に表示された目盛りと第２主尺本体に表示された目盛りを読み取るための第２目印（２２８）を有し、固定部に対して左右方向にスライドし、スライド板は、前後方向にスライド可能で透明又は半透明な部材で形成され、正面側に開口した切欠部（２３２ａ）を有し、スライド板を正面側にスライドさせることにより切欠部がデータ保持部材の柱状部に係止し、切欠部が柱状部に係止した状態からスライド板を背面側にスライドさせることにより切欠部の柱状部に対する係止が解除され、操作部背面部は、操作部本体の背面側の端部から水平方向に対して直角に立設し左右方向に伸び、装着者の瞳の頂点に合わせるための第３目印で第２目印と左右方向に一致する第３目印（２５０ａ、２５０ｃ、２５０ｅ）を有し、第２レッグ部は、操作部本体の正面側の端部から正面側に伸びて形成され、その先端の左右方向の他方の側にレンズに当接するための突状部（２８４）が第１レッグ部の突状部と前後方向に同じ位置に形成され、第１レッグ部の突状部の先端と第２レッグ部の突状部の先端とを当接させた際には、操作部本体は、左右方向の他方の側へのスライドを規制された状態であり、左右方向の他方の側へのスライドを規制させた操作部本体に第１主尺の突状部の左右方向の一方の側を当接させた際には、第１主尺の突状部の左右方向における一方の側の端部位置は、第１当接部の左右方向の一方の側の端部と左右方向に一致し、左右方向の他方の側へのスライドを規制させた操作部本体部に第２主尺の突状部の左右方向の一方の側を当接させた際には、第２主尺の突状部の左右方向における一方の側の端部位置は、第１当接部の左右方向の一方の側の端部と左右方向に一致し、第１主尺本体に表示された目盛りと第２主尺本体に表示された目盛りを視認可能なように、固定部の少なくとも第１主尺本体の上方の領域及び第２主尺本体の上方の領域と、スライド板の少なくとも第２目印の上方を含む領域が透明又は半透明に形成されている眼鏡用測定具による測定方法であって、
操作部本体を第１レッグ部の突状部と第２レッグ部の突状部とが当接した状態になるようにスライドさせておき、レンズにおける眼鏡の装着者が前方を見る状態における瞳孔の位置に対応した遠用位置とレンズにおける眼鏡の装着者が手前位置を見る状態における瞳孔の位置に対応した近用位置の一方の位置で第１レッグ部の突状部と第２レッグ部の突状部とで眼鏡のレンズを挟んだ状態とする第１挟み工程と、
第１主尺を左右方向の一方の側にスライドさせて、第１主尺と第２主尺の一方の突状部が操作部本体に当接する状態とする主尺第１スライド工程と、
遠用位置と近用位置の他方の位置で第１レッグ部の突状部と第２レッグ部の突状部とで眼鏡のレンズを挟んだ状態とする第２挟み工程と、
第２主尺を左右方向の一方の側にスライドさせて、第１主尺と第２主尺の他方の突状部が操作部本体に当接する状態とする主尺第２スライド工程と、
眼鏡を装着者に装着させて、第１当接部と第２当接部の一方を左右のレンズの一方における遠用位置と近用位置において第２主尺が対応する位置に当接させ、他方を左右のレンズの他方における遠用位置と近用位置において第２主尺が対応する位置に当接させた状態とし、スライド板の切欠部がデータ保持部の柱状部に係止した状態で、装着者の瞳の頂点が操作部背面部の第３目印と左右方向に一致するように操作部をスライドさせる操作部第１スライド工程と、
スライド板を背面側にスライドさせることにより、スライド板の切欠部の柱状部への係止を解除した状態とする係止解除工程と、
第１当接部と第２当接部の一方を左右のレンズの一方における遠用位置と近用位置において第１主尺が対応する位置に当接させ、他方を左右のレンズの他方における遠用位置と近用位置において第１主尺が対応する位置に当接させた状態として、装着者の瞳の頂点が操作部背面部の第３目印と左右方向に一致するように操作部をスライドさせる操作部第２スライド工程と、
データ保持部材におけるデータ表示部材に設けられた第１目印により示される第２主尺の目盛りの値を遠用位置と近用位置において第２主尺が対応する位置のレンズ・瞳間距離として読み取るとともに、操作部本体に設けられた第２目印により示される第１主尺の目盛りの値を遠用位置と近用位置において第１主尺が対応する位置のレンズ・瞳間距離として読み取る読取り工程と、
を有することを特徴とする眼鏡用測定具による測定方法。
【発明の詳細な説明】
【技術分野】
【０００１】
本発明は、眼鏡用測定具に関するものであり、特に、眼鏡のレンズと瞳の間の距離を測定する測定具に関するものである。
【背景技術】
【０００２】
従来より眼鏡のレンズと瞳の間の距離、すなわち、レンズの内側の面と角膜頂点の間の距離を測定する測定具として、特許文献１に記載の測定具が存在する。
【０００３】
この特許文献１に記載の測定具は、透明材からなるプレートを備え、該プレートは、透明なプラスチック板により正面視略Ｊ字状に形成されることにより、左右方向に長い略矩形のプレート本体と、プレート本体の一側端縁に一体に延設された拡がり部とで構成されている。そして、上方から頂点間距離を測定するときは、プレートの拡がり部の平坦面を角膜頂点に合わせ、レンズの前側頂点までの距離を目測し、頂点間距離測定用表示目盛で読み取り、レンズの中心肉厚を差し引いた値を頂点間距離とする。また、被検者の側方から読み取る場合は、レンズの前側頂点を水平基準線に合わせ、角膜頂点までの距離を目測し、頂点間距離測定用表示目盛によって読み取り、レンズの肉厚を差し引いた値を頂点間距離とする。
【先行技術文献】
【特許文献】
【０００４】
【特許文献１】特開２００９−９２５０９号公報
【発明の概要】
【発明が解決しようとする課題】
【０００５】
しかし、上記特許文献１に記載の眼鏡用測定具においては、単に、目盛りが表示された測定具を所定の位置に配置して、目盛りにより角膜頂点とレンズの前側頂点の間の距離を測定するので、正確に距離を測定することができないという問題があった。また、特許文献１の眼鏡用測定具においては、角膜頂点とレンズの前側頂点の間の距離を測定してからレンズの厚みを差し引くが、その場合には、レンズの厚みを知っておく必要があり、レンズの厚みの情報がない場合には、特許文献１に記載の眼鏡用測定具によってはレンズの厚みを正確に測定することができないという問題がある。
【０００６】
そこで、本発明が解決しようとする問題点は、眼鏡のレンズと瞳の間の距離、すなわち、レンズの内側の面と角膜頂点の間の距離を正確に測定することができ、特に、レンズの厚みについての情報がなくてもレンズの内側の面と角膜頂点の間の距離を正確に測定することができる眼鏡用測定具を提供することを目的とするものである。
【課題を解決するための手段】
【０００７】
本発明は上記問題点を解決するために創作されたものであって、第１には、眼鏡を装着した状態の眼鏡のレンズの内側の面と装着者の瞳間の距離であるレンズ・瞳間距離を測定するための眼鏡用測定具であって、本体部（５）と、操作部（２００）とを有し、本体部は、第１主尺と第２主尺とがそれらのスライド方向を左右方向とした場合に左右方向にスライドするための平面部を上面に有する中央部（１０）と、中央部の正面側の端部から正面側に伸びて形成され、その先端における左右方向の一方の側にレンズに当接するための突状部（２４）が形成された第１レッグ部（２０）と、中央部の背面側に形成され、左右方向の一方の側に一方のレンズの表面に当接する当接部（５０ａ、１１０６）を有し、中央部の背面側に形成された平行保持部（３０）と、中央部の左右方向の一方の側の端部から連設され、上面に水平面を有する固定部で、主尺の主尺本体を左右方向にスライド可能に収納する主尺収納部（７６、８０）を有する固定部（７０）と、帯板状を呈する主尺本体（１０２、１１２）と、主尺本体の左右方向の他方の側の端部の上面に形成された突状部（１０４、１１４）とを有し、主尺本体には（突状部の左右方向の一方の側の端部位置を基点として）主尺本体の長手方向に沿って目盛りが設けられた主尺（１００、１１０）と、を有し、操作部は、操作部本体（２１０）と、立設部（２４０、２７０、２９０、１０４０）と、第２レッグ部（２８０）とを有し（、本体部の固定部に対して左右方向にスライドし）、操作部本体は、（本体部の）固定部に対してスライド可能に形成され、主尺本体に表示された目盛りを読み取るための読取り用目印（２２８）を有し、立設部は、操作部本体から立設して形成され、装着者の瞳の頂点に合わせるための頂点合わせ用目印で読取り用目印と左右方向に一致する頂点合わせ用目印（２５０ａ、２５０ｃ、２５０ｅ、９００、１０４４ｂ）を有し、第２レッグ部は、操作部本体の正面側の端部から正面側に伸びて形成され、その先端の左右方向の他方の側にレンズに当接するための突状部（２８４）が第１レッグ部の突状部と左右方向と直角方向をなす前後方向に同じ位置に形成され、第１レッグ部の突状部の先端と第２レッグ部の突状部の先端とを当接させた際には、操作部本体は、左右方向の他方の側へのスライドを規制された状態であり、左右方向の他方の側へのスライドを規制させた操作部本体に主尺の突状部の左右方向の一方の側を当接させた際には、主尺の突状部の左右方向における一方の側の端部位置は、当接部（５０ａ、１１０６）の左右方向の一方の側の端部と左右方向に一致し、主尺本体に表示された目盛りを視認可能なように、固定部の少なくとも主尺本体の上方の領域が透明又は半透明に形成されていることを特徴とする。
【０００８】
第１の構成の眼鏡用測定具においては、操作部本体を第１レッグ部の突状部と第２レッグ部の突状部とが当接した状態になるようにスライドさせておき、レンズにおける瞳孔の位置（具体的には、眼鏡の装着者が前方を見る状態における瞳孔の位置（遠用位置））で第１レッグ部の突状部と第２レッグ部の突状部とで眼鏡のレンズを挟んだ状態とし、主尺を左右方向の一方の側にスライドさせて、主尺の突状部が操作部本体に当接する状態とする。
【０００９】
その後、眼鏡を装着者に装着させて、当接部を左右のレンズの一方に当接させた状態として、装着者の瞳の頂点が操作部背面部の頂点合わせ用目印と左右方向に一致するように操作部をスライドさせる。操作部本体に設けられた読取り用目印により示される主尺の目盛りがレンズ・瞳間距離となる。
【００１０】
以上のように、レンズの厚みに応じて、主尺をスライドさせておき、その後、操作部をスライドさせて、頂点合わせ用目印と瞳の頂点とが一致する状態にして、レンズ・瞳間距離を測定するので、レンズ・瞳間距離を正確に測定することができる。
【００１１】
また、第２には、上記第１の構成において、主尺が複数設けられ、固定部に設けられた主尺収納部も主尺の数に合わせて複数設けられていることを特徴とする。これにより、レンズにおける眼鏡の装着者が前方を見る状態における瞳孔の位置（遠用位置）と、レンズにおける眼鏡の装着者が手前位置を見る状態における瞳孔の位置（近用位置）のそれぞれについて、レンズ・瞳間距離を測定することができる。
【００１２】
また、第３には、上記第１又は第２の構成において、平行保持部は、当接部（５０ａ）の正面側又は背面側に設けられ前後方向にスライド可能な斜め測定部（７００）と、ホルダ（４０Ｂ）とを有し、斜め測定部は、前後方向にスライド可能に設けられ、平行保持部の左右方向の一方の側の辺部に沿って前後方向にスライド可能なスライド板部（７０２）と、スライド板部の上面に垂直に立設して設けられた平板状の計測板部で、当接部側が前後方向に対して左右方向の一方の側に傾斜するとともに、当接部側とは反対側が左右方向の他方の側に傾斜して設けられた計測板部（７０４）とを有し、ホルダは、スライド板部を前後方向にスライド可能に保持し、ホルダには、前後方向に沿って目盛りが設けられていることを特徴とする。
【００１３】
よって、眼鏡のテンプルの幅が広い場合でも、レンズ・瞳間距離を正確に測定することができる。
【００１４】
また、第４には、上記第３の構成において、計測板部が、当接部側が前後方向に対して左右方向の一方の側に４５度傾斜するとともに、当接部側とは反対側が左右方向の他方の側に４５度傾斜して設けられ、ホルダに設けられた目盛りは、前後方向に、当接部の前後方向の中心位置から当接部の左右方向の厚み分斜め測定部側にずれた位置を基点として設けられていることを特徴とする。
【００１５】
なお、上記第４の構成において、スライド板部には、当接部の左右方向の他方の側の面の左右方向の位置を通る前後方向の直線と計測板部の平面視における軸線（又はその延長線）との交点の位置と前後方向において一致する目印で、ホルダに設けられた目盛りを読み取るための目印（７０２ａ）が形成されていることを特徴とする構成としてもよい。
【００１６】
また、第５には、上記第１から第４までのいずれかの構成において、平行保持部は、左右方向の一方の側に他方のレンズの表面に当接する第２当接部でその左右方向の一方の側の端部が上記当接部の左右方向の一方の側の端部と左右方向に一致する第２当接部（５０ｂ）を有するスライド部（４２）と、スライド部を前後方向にスライド可能に保持する第２ホルダ（４０Ａ）とを有することを特徴とする。
【００１７】
よって、当接部をレンズの一方に当接させ、第２当接部をレンズの他方に当接させることにより、平行保持部を眼鏡の前面に対して平行に保つことができる。
【００１８】
また、第６には、上記第５の構成において、平行保持部とスライド部のいずれか一方に前後方向に目盛り（４５）が設けられるとともに、他方に目盛りを読み取るための第２読取り用目印（５２）が形成され、平行保持部には、スライド部（４２）に沿って前後方向に伸びるとともに、平行保持部に対して前後方向にスライド可能に形成され、眼鏡の横方向の中央に合わせるための目印である中央位置用目印（６４ｂ、６４ｆ）を有する中央位置特定部（６０）が設けられていることを特徴とする。特に、スライド部に前後方向に目盛り（４５）を設け、平行保持部の当接部の左右方向の一方の側の先端における前後方向の位置に第２読取り用目印を設けるのが好ましい。
【００１９】
よって、当接部と第２当接部とを左右の瞳孔位置に当接させて、第２読取り用目印により目盛りの値を読み取ることにより、瞳孔間距離を測定することができ、また、中央位置用目印を眼鏡の中央に位置させて、平行保持部本体とスライド部のいずれか一方に前後方向に設けられた目盛りの値の読み取ることにより、瞳と眼鏡の中央位置間の距離を測定することができる。
【００２０】
また、第７には、上記第１から第６までのいずれかの構成において、立設部は、操作部本体の背面側の端部から水平方向に対して直角に立設し左右方向に伸びた板状を呈する操作部背面部を有することを特徴とする。
【００２１】
また、第８には、上記第１から第６までのいずれかの構成において、立設部は、前後方向を向いた複数の平板状部を間隔を介して水平面に対して直角に立設して設けたスリット構成部を有し、複数の平板状部における１つが頂点合わせ用目印となることを特徴とする。
【００２２】
よって、スリット構成部の複数の平板状部を予め決められた間隔で配置しておくことにより、スリット構成を通して瞳の頂点を覗いた際にレンズ・瞳間距離を即座に知ることができる。
【００２３】
また、第９には、上記第１から第８までのいずれかの構成において、平行保持部には、回転部（１１００）と、左右方向に移動可能に軸支する回転部軸支部（１０７１）とを有するレンズ厚調節部（１０７０）が設けられ、回転部は、当接部を左右方向の一方の側に支持する当接部支持部と、当接部支持部から左右方向の他方の側に伸びたネジ部で周面にネジ溝を有するネジ部（１１０４ａ）を有し、回転部軸支部は、ネジ部と螺合するためのネジ溝が形成されたネジ穴を有し、回転部が回転部軸支部に対して左右方向に所定の位置にある場合に、左右方向の他方の側へのスライドを規制させた操作部本体に主尺の突状部の左右方向の一方の側を当接させた際には、主尺の突状部の左右方向における一方の側の端部位置は、当接部の左右方向の一方の側の端部と左右方向に一致することを特徴とする。
【００２４】
よって、レンズの厚みを測定したら、その測定したレンズの厚み分だけネジ部を左側面側に突出させることにより、操作部を本体部に対してスライドさせて、頂点合わせ用目印を瞳の頂点と一致させた際に、読取り用目印により主尺本体の目盛りを読み取ることにより、レンズの厚み分だけ主尺をスライドさせなくても、レンズの厚みを考慮して、レンズ・瞳間距離を測定することができる。
【００２５】
また、第１０には、上記第１から第９までのいずれかの構成において、操作部における立設部の正面側には、水平方向に対して正面側が上方となるように傾斜した鏡面を有する鏡面ユニットが設けられ、上方から鏡面を視認することにより立設部を視認可能であることを特徴とする。
【００２６】
よって、上方から鏡面を介して視認することにより測定することができ、腰をかがめなくても容易に測定することができる。
【００２７】
また、第１１には、眼鏡を装着した状態の眼鏡のレンズの内側の面と装着者の瞳間の距離であるレンズ・瞳間距離を測定するための眼鏡用測定具であって、本体部（５）と、操作部（２００）とを有し、本体部は、第１主尺と第２主尺とがそれらのスライド方向を左右方向とした場合に左右方向にスライドするための平面部を上面に有する中央部（１０）と、中央部の正面側の端部から正面側に伸びて形成され、その先端における左右方向の一方の側にレンズに当接するための突状部（２４）が形成された第１レッグ部（２０）と、中央部の背面側に形成された平行保持部で、平行保持部本体（３４）と、平行保持部本体に対して左右方向とは直角方向の前後方向にスライドするスライド部（４２）とを有し、平行保持部本体は、左右方向の一方の側に一方のレンズの表面に当接する第１当接部（５０ａ）を有するとともに、スライド部をスライド可能に保持するホルダ（４０）を有し、スライド部は、左右方向の一方の側に他方のレンズの表面に当接しその左右方向の一方の側の端部が第１当接部の左右方向の一方の側の端部と左右方向に一致する第２当接部（５０ｂ）を有する平行保持部（３０）と、中央部の左右方向の一方の側の端部から連設され、上面に水平面を有する固定部で、第１主尺の主尺本体を左右方向にスライド可能に収納する第１主尺収納部（７６）と、第２主尺の主尺本体を左右方向にスライド可能に収納し、第１主尺収納部よりも正面側に設けられた第２主尺収納部（８０）と、データ保持部材の帯板状部を左右方向にスライド可能に収納する溝状部（８２）とを有する固定部（７０）と、帯板状を呈する第１主尺本体（１０２）と、第１主尺本体の左右方向の他方の側の端部の上面に形成された突状部（１０４）とを有し、第１主尺本体には突状部の左右方向の一方の側の端部位置を基点として第１主尺本体の長手方向に沿って目盛りが表示された第１主尺（１００）と、帯板状を呈する第２主尺本体（１１２）と、第２主尺本体の左右方向の他方の側の端部の上面に形成された突状部（１１４）とを有し、第２主尺本体には突状部の左右方向の一方の側の端部位置を基点として第２主尺本体の長手方向に沿って目盛りが表示された第２主尺（１１０）と、固定部に設けられた溝状部内にスライド可能な帯板状部（１２２）と、帯板状部の上面から立設した柱状部（１２４）と、柱状部の上端に設けられ第１主尺本体の目盛りと第２主尺本体の目盛りを読み取るための第１目印でスライド板を柱状部に係止した際には操作部本体に設けられた第２目印と左右方向に一致する第１目印（１２６ａ）が設けられたデータ表示部材とを有するデータ保持部材（１２０）と、を有し、操作部は、操作部本体（２１０）と、スライド板（２３０）と、操作部背面部（２４０）と、第２レッグ部（２８０）とを有し（、本体部の固定部に対して左右方向にスライドし）、操作部本体は、スライド板を前後方向にスライド可能に保持するとともに、第１主尺本体に表示された目盛りと第２主尺本体に表示された目盛りを読み取るための第２目印（２２８）を有し、固定部に対して左右方向にスライドし、スライド板は、前後方向にスライド可能で透明又は半透明な部材で形成され、正面側に開口した切欠部（２３２ａ）を有し、スライド板を正面側にスライドさせることにより切欠部がデータ保持部材の柱状部に係止し、切欠部が柱状部に係止した状態からスライド板を背面側にスライドさせることにより切欠部の柱状部に対する係止が解除され、操作部背面部は、操作部本体の背面側の端部から水平方向に対して直角に立設し左右方向に伸び、装着者の瞳の頂点に合わせるための第３目印で第２目印と左右方向に一致する第３目印（２５０ａ、２５０ｃ、２５０ｅ）を有し、第２レッグ部は、操作部本体の正面側の端部から正面側に伸びて形成され、その先端の左右方向の他方の側にレンズに当接するための突状部（２８４）が第１レッグ部の突状部と前後方向に同じ位置に形成され、第１レッグ部の突状部の先端と第２レッグ部の突状部の先端とを当接させた際には、操作部本体は、左右方向の他方の側へのスライドを規制された状態であり、左右方向の他方の側へのスライドを規制させた操作部本体に第１主尺の突状部の左右方向の一方の側を当接させた際には、第１主尺の突状部の左右方向における一方の側の端部位置（第１主尺本体の目盛りの基点としてもよい）は、第１当接部の左右方向の一方の側の端部と左右方向に一致し、左右方向の他方の側へのスライドを規制させた操作部本体に第２主尺の突状部の左右方向の一方の側を当接させた際には、第２主尺の突状部の左右方向における一方の側の端部位置（第２主尺本体の目盛りの基点としてもよい）は、第１当接部の左右方向の一方の側の端部と左右方向に一致し、第１主尺本体に表示された目盛りと第２主尺本体に表示された目盛りを視認可能なように、固定部の少なくとも第１主尺本体の上方の領域及び第２主尺本体の上方の領域と、スライド板の少なくとも第２目印の上方を含む領域が透明又は半透明に形成されていることを特徴とする。
【００２８】
第１１の構成の眼鏡用測定具においては、操作部本体を第１レッグ部の突状部と第２レッグ部の突状部とが当接した状態になるようにスライドさせておき、レンズにおける眼鏡の装着者が前方を見る状態における瞳孔の位置（遠用位置）で第１レッグ部の突状部と第２レッグ部の突状部とで眼鏡のレンズを挟んだ状態とし、第１主尺を左右方向の一方の側にスライドさせて、第１主尺の突状部が操作部本体に当接する状態とする。同様に、レンズにおける眼鏡の装着者が手前位置を見る状態における瞳孔の位置（近用位置）で第１レッグ部の突状部と第２レッグ部の突状部とで眼鏡のレンズを挟んだ状態とし、第２主尺を左右方向の一方の側にスライドさせて、第２主尺の突状部が操作部本体に当接する状態とする。
【００２９】
その後、眼鏡を装着者に装着させて、第１当接部と第２当接部の一方を左右のレンズの一方における第２主尺が対応する位置（つまり、近用位置）に当接させ、他方を左右のレンズの他方の近用位置に当接させた状態とし、スライド板の切欠部がデータ保持部の柱状部に係止した状態で、装着者の瞳の頂点が操作部背面部の第３目印と左右方向に一致するように操作部をスライドさせる。そして、スライド板を背面側にスライドさせることにより、スライド板の切欠部の柱状部への係止を解除した状態として、第１当接部と第２当接部の一方を左右のレンズの一方における第１主尺が対応する位置（つまり、遠用位置）に当接させ、他方を左右のレンズの他方の遠用位置に当接させた状態として、装着者の瞳の頂点が操作部背面部の第３目印と左右方向に一致するように操作部をスライドさせる。データ保持部材におけるデータ表示部材に設けられた第１目印により示される第２主尺の目盛りが近用位置のレンズ・瞳間距離となり、操作部本体に設けられた第２目印により示される第１主尺の目盛りが遠用位置のレンズ・瞳間距離となる。
【００３０】
以上のように、レンズの厚みに応じて、第１主尺や第２主尺をスライドさせておき、その後、操作部をスライドさせて、第３目印と瞳の頂点とが一致する状態にして、レンズ・瞳間距離を測定するので、レンズ・瞳間距離を正確に測定することができる。また、スライド板のデータ保持部材への係止を解除することにより、データ保持部材に測定したレンズ・瞳間距離を保持させておくことができ、遠用位置のレンズ・瞳間距離と近用位置のレンズ・瞳間距離を同時に測定することができる。
【００３１】
また、第１２には、眼鏡を装着した状態の眼鏡のレンズの内側の面と装着者の瞳間の距離であるレンズ・瞳間距離を測定するための眼鏡用測定具であって、本体部（５）と、操作部（２００）とを有し、本体部は、略板状を呈し、操作部をそのスライド方向を左右方向とした場合に左右方向の一方の側とは反対側である他方の側にスライドさせた際に左右方向の他方の側へのスライドを規制する規制部を有する中央部（１０）と、中央部の正面側の端部から正面側に伸びて形成され、その先端における左右方向の一方の側にレンズに当接するための突状部が形成された第１レッグ部（２０）と、中央部の背面側に形成された平行保持部で、平行保持部本体（３４）と、平行保持部本体に対して左右方向とは直角方向の前後方向にスライドするスライド部（４２）とを有し、平行保持部本体は、左右方向の一方の側に一方のレンズの表面に当接する第１当接部（５０ａ）を有するとともに、スライド部をスライド可能に保持するホルダ（４０）を有し、スライド部は、平面視略Ｌ字状を呈し、左右方向の一方の側に他方のレンズの表面に当接しその左右方向の一方の側の端部が第１当接部の左右方向の一方の側の端部と左右方向に一致する第２当接部（５０ｂ）を有する平行保持部（３０）と、中央部の左右方向の一方の側の端部から連設された固定部で、上面に水平面を有し略板状の固定部本体で、第１主尺の主尺本体を左右方向にスライド可能に収納する穴状又は上方が開口した溝状の第１主尺収納部（７６）と、第２主尺の主尺本体を左右方向にスライド可能に収納し、第１主尺収納部よりも正面側に設けられた穴状又は上方が開口した溝状の第２主尺収納部（８０）と、データ保持部材の帯板状部を左右方向にスライド可能に収納する溝状部（８２）とを有する固定部本体で、固定部本体の底面が中央部の底面よりも上方にずれて形成された固定部本体（７１）と、固定部本体の背面側の端部から水平方向に対して直角に立設し左右方向に伸びた垂直板部とを有する固定部（７０）と、帯板状を呈する第１主尺本体（１０２）と、第１主尺本体の左右方向の他方の側の端部の上面に形成された突状部（１０４）とを有し、第１主尺本体には突状部の左右方向の一方の側の端部位置を基点として第１主尺本体の長手方向に沿って目盛りが表示された第１主尺（１００）と、帯板状を呈する第２主尺本体（１１２）と、第２主尺本体の左右方向の他方の側の端部の上面に形成された突状部（１１４）とを有し、第２主尺本体には突状部の左右方向の一方の側の端部位置を基点として第２主尺本体の長手方向に沿って目盛りが表示された第２主尺（１１０）と、固定部本体に設けられた溝状部内にスライド可能な帯板状部（１２２）と、帯板状部の上面から立設した柱状部（１２４）と、柱状部の上端に設けられ第１主尺本体の目盛りと第２主尺本体の目盛りを読み取るための第１目印でスライド板を柱状部に係止した際には操作部本体に設けられた第２目印と左右方向に一致する第１目印（１２６ａ）が設けられたデータ表示部材（１２６）とを有するデータ保持部材（１２０）と、を有し、操作部は、（本体部の固定部に対して左右方向にスライドし、）操作部本体（２１０）と、スライド板（２３０）と、操作部背面部（２４０）と、第２レッグ部（２８０）とを有し、操作部本体は、固定部本体の下側に設けられた板状の下側構成部（２１２）と、固定部本体の上側に設けられた上側構成部（２１４）と、下側構成部と上側構成部を正面側で連結する中間部（２３８）とを有し、（本体部の）固定部に対して左右方向にスライドし、上側構成部は、スライド板を前後方向にスライド可能に保持するとともに、データ保持部の柱状部を配置するための切欠部（２１８）を有し、第１主尺本体に表示された目盛りと第２主尺本体に表示された目盛りを読み取るための第２目印（２２８）を有し、スライド板は、前後方向にスライド可能で透明又は半透明な部材で形成され、正面側に開口した切欠部（２３２ａ）を有し、スライド板を正面側にスライドさせることにより切欠部がデータ保持部材の柱状部に係止し、切欠部が柱状部に係止した状態からスライド板を背面側にスライドさせることにより切欠部の柱状部に対する係止が解除され、操作部背面部は、上側構成部の背面側の端部から水平方向に対して直角に立設し左右方向に伸び、固定部の垂直板部の正面側に沿って設けられた板状の前側構成部で、装着者の瞳の頂点に合わせるための第３目印で第２目印と左右方向に一致する第３目印を有する前側構成部（２４２）と、下側構成部の背面側の端部から水平方向に対して直角に立設し左右方向に伸びた板状の後側構成部（２６０）とを有し、第２レッグ部は、操作部本体の正面側の端部から正面側に伸びて形成され、その先端の左右方向の他方の側にレンズに当接するための突状部（２８４）が第１レッグ部の突状部と前後方向に同じ位置に形成され、第１レッグ部の突状部の先端と第２レッグ部の突状部の先端とを当接させた際には、操作部本体は、中央部の規制部に左右方向の他方の側へのスライドを規制された状態であり、規制部により左右方向の他方の側へのスライドを規制させた操作部本体部に第１主尺の突状部の左右方向の一方の側を当接させた際には、第１主尺の突状部の左右方向における一方の側の端部位置（第１主尺本体の目盛りの基点としてもよい）は、第１当接部の左右方向の一方の側の端部と左右方向に一致し、規制部により左右方向の他方の側へのスライドを規制させた操作部本体部に第２主尺の突状部の左右方向の一方の側を当接させた際には、第２主尺の突状部の左右方向における一方の側の端部位置（第２主尺本体の目盛りの基点としてもよい）は、第１当接部の左右方向の一方の側の端部と左右方向に一致し、第１主尺本体に表示された目盛りと第２主尺本体に表示された目盛りを視認可能なように、固定部の少なくとも第１主尺本体の上方の領域及び第２主尺本体の上方の領域と、スライド板の少なくとも第２目印の上方を含む領域が透明又は半透明に形成されていることを特徴とする。
【００３２】
第１２の構成の眼鏡用測定具においては、操作部本体を第１レッグ部の突状部と第２レッグ部の突状部とが当接した状態になるようにスライドさせておき、レンズにおける眼鏡の装着者が前方を見る状態における瞳孔の位置（遠用位置）で第１レッグ部の突状部と第２レッグ部の突状部とで眼鏡のレンズを挟んだ状態とし、第１主尺を左右方向の一方の側にスライドさせて、第１主尺の突状部が操作部本体に当接する状態とする。同様に、レンズにおける眼鏡の装着者が手前位置を見る状態における瞳孔の位置（近用位置）で第１レッグ部の突状部と第２レッグ部の突状部とで眼鏡のレンズを挟んだ状態とし、第２主尺を左右方向の一方の側にスライドさせて、第２主尺の突状部が操作部本体に当接する状態とする。
【００３３】
その後、眼鏡を装着者に装着させて、第１当接部と第２当接部の一方を左右のレンズの一方における第２主尺が対応する位置（つまり、近用位置）に当接させ、他方を左右のレンズの他方の近用位置に当接させた状態とし、スライド板の切欠部がデータ保持部の柱状部に係止した状態で、装着者の瞳の頂点が操作部背面部の第３目印と左右方向に一致するように操作部をスライドさせる。そして、スライド板を背面側にスライドさせることにより、スライド板の切欠部の柱状部への係止を解除した状態として、第１当接部と第２当接部の一方を左右のレンズの一方における第１主尺が対応する位置（つまり、遠用位置）に当接させ、他方を左右のレンズの他方の遠用位置に当接させた状態として、装着者の瞳の頂点が操作部背面部の第３目印と左右方向に一致するように操作部をスライドさせる。データ保持部材におけるデータ表示部材に設けられた第１目印により示される第２主尺の目盛りが近用位置のレンズ・瞳間距離となり、操作部本体に設けられた第２目印により示される第１主尺の目盛りが遠用位置のレンズ・瞳間距離となる。
【００３４】
以上のように、レンズの厚みに応じて、第１主尺や第２主尺をスライドさせておき、その後、操作部をスライドさせて、第３目印と瞳の頂点とが一致する状態にして、レンズ・瞳間距離を測定するので、レンズ・瞳間距離を正確に測定することができる。また、スライド板のデータ保持部材への係止を解除することにより、データ保持部材に測定したレンズ・瞳間距離を保持させておくことができ、遠用位置のレンズ・瞳間距離と近用位置のレンズ・瞳間距離を同時に測定することができる。
【００３５】
なお、第１２−２の構成として、上記第１１又は第１２の構成において、平行保持部は、当接部（５０ａ）の正面側又は背面側に設けられ前後方向にスライド可能な斜め測定部（７００）と、ホルダ（４０Ｂ）とを有し、斜め測定部は、前後方向にスライド可能に設けられ、平行保持部の左右方向の一方の側の辺部に沿って前後方向にスライド可能なスライド板部（７０２）と、スライド板部の上面に垂直に立設して設けられた平板状の計測板部で、当接部側が前後方向に対して左右方向の一方の側に傾斜するとともに、当接部側とは反対側が左右方向の他方の側に傾斜して設けられた計測板部（７０４）とを有し、ホルダは、スライド板部を前後方向にスライド可能に保持し、ホルダには、前後方向に沿って目盛りが設けられていることを特徴とするものとしてもよい。また、第１２−３の構成として、第１２−２の構成において、計測板部が、当接部側が前後方向に対して左右方向の一方の側に４５度傾斜するとともに、当接部側とは反対側が左右方向の他方の側に４５度傾斜して設けられ、ホルダに設けられた目盛りは、前後方向に、当接部の前後方向の中心位置から当接部の左右方向の厚み分斜め測定部側にずれた位置を基点として設けられていることを特徴とするものとしてもよい。
【００３６】
また、第１３には、第１２の構成において、スライド板の切欠部の柱状部に対する係止が解除された状態で、操作部を固定部本体に対して左右方向の他方の側にスライドさせた際に、柱状部がスライド板に接触しないように、スライド板における第１の方形状の左右方向の他方の側には、第２の切欠部（２３２ｂ）が形成され、また、上側構成部に設けられた切欠部は平面視において第２の切欠部の領域にも形成されていることを特徴とする。
【００３７】
よって、スライド板のデータ保持部材への係止を解除した状態で、操作部を左右方向の他方の側に移動させてもスライド板や上側構成部がデータ保持部材に接触するおそれがない。
【００３８】
また、第１４には、上記第１２又は第１３の構成において、固定部本体の上面の左右方向の他方の側には、操作部の固定部に対する移動量を測定するための目盛り（８４、８６）が左右方向に設けられていることを特徴とする。よって、操作部の固定部に対する移動量を測定するための目盛りにより、レンズの厚みを測定することができる。
【００３９】
また、第１５には、上記第１１から第１４までのいずれかの構成において、平行保持部本体とスライド部のいずれか一方に前後方向に目盛り（４５）が設けられるとともに、他方に目盛りを読み取るための第４目印（５２）が形成されていることを特徴とする。特に、スライド部に前後方向に目盛り（４５）を設け、平行保持部本体の第１当接部の左右方向の一方の側の先端における前後方向の位置と前後方向に一致する第４目印を設けるのが好ましい。
【００４０】
よって、第１当接部と第２当接部とを左右の瞳孔位置に当接させて、第４目印により目盛りの値を読み取ることにより、瞳孔間距離を測定することができる。
【００４１】
また、第１６には、上記第１５の構成において、平行保持部の下面側には、前後方向に伸びた第２スライド部（６４）と、第２スライド部を前後方向にスライド可能に保持する第２ホルダ（６２）とを有する中間位置特定部（６０）が設けられていることを特徴とする。
【００４２】
よって、中間位置特定部を眼鏡の中央に位置させて、平行保持部本体とスライド部のいずれか一方に前後方向に設けられた目盛りの値の読み取ることにより、瞳と眼鏡の中央位置間の距離を測定することができる。
【００４３】
また、第１７には、上記第１１から第１６までのいずれかの構成において、スライド板は、平面視において、第１の方形状と、該第１の方形状の左側面における背面側の端部から左右方向の他方の側に連設された第２の方形状と、該第２の方形状の左側面から連設され第２の方形状から正面側に突出して形成された第３の方形状とを連設した形状を呈し、スライド板における切欠部は、第１の方形状と第２の方形状と第３の方形状とで囲まれて方形状に形成されていることを特徴とする。
【００４４】
また、第１８には、上記第７又は第１１から第１７までのいずれかの構成において、操作部背面部には、眼鏡用測定具の左右方向の傾斜角度を測定するための傾斜角度測定部で、前後方向に設けられた支点を中心に垂下する板状の傾斜角度測定部（２５２）と、該傾斜角度測定用板状部と操作部背面部の一方に設けられた目盛り（２５２ｂ）と、他方に設けられた該目盛りを読み取るための目印（２５２ｃ）とを有することを特徴とする。よって、眼鏡用測定具の左右方向の傾斜角度を測定することができる。
【００４５】
また、第１９には、上記第７又は第１１から第１８までのいずれかの構成において、操作部本体の操作部背面部よりも正面側には、水平方向に対して直角に立設し左右方向に伸びた板状の正面側構成部（２７０）が設けられ、正面側構成部と操作部背面部とには、正確に正面側から視認していることを確認するための確認用手段で、目印又は開口部により構成された確認用手段が形成されていることを特徴とする。これにより正確に正面側からレンズ・瞳間距離を測定することができる。
【００４６】
なお、第１９の構成において、操作部本体における操作部背面部よりも正面側には、水平方向に対して正面側が上方となるように傾斜した鏡面を有する鏡面ユニットが設けられ、上方から鏡面を視認することにより立設部を視認可能であることを特徴とするものとしてもよい。
【００４７】
また、第２０には、眼鏡用測定具セットであって、上記第１〜第１９のいずれかに記載の眼鏡用測定具と、眼鏡用測定具に用いる第１シールであって、リング状の一部を欠切して切欠部を形成した形状の第１円弧状部（３０２、４０２）と、第１円弧状部から外側に突出して形成された第１片部（３０４、４０４）とを有する第１シール本体（３００ａ、４００ａ）と、第１シール本体の円弧状部の裏面に形成された第１粘着部（３００ｂ、４００ｂ）と、第１粘着部を被覆する第１剥離紙（３００ｃ、４００ｃ）と、を有する第１シール（３００、４００）と、眼鏡用測定具に用いる第２シールであって、リング状の一部を欠切して切欠部を形成した形状の第２円弧状部（３１２、４１２）と、第２円弧状部から外側に突出して形成された第２片部（３１４、４１４）とを有する本体部（３１１、４１１）と、該本体部の円弧状部の内側の領域に円弧状部と切目線を介して形成された目隠し用部材（３２１、４２１）とを有する第２シール本体（３１０ａ、４１０ａ）と、
第２シール本体の円弧状部の裏面に形成された第２粘着部（３１０ｂ、４１０ｂ）と、
第２粘着部を被覆する第２剥離紙（３１０ｃ、４１０ｃ）と、を有する第２シール（３１０、４１０）と、とを有することを特徴とする。
【００４８】
よって、第１シールについては、第１シールの第１円弧状部の内側部分に眼鏡の装着者が前方を見る状態における瞳孔の位置を配置させて、レンズに貼り付ける。また、第２シールについては、装着者が前方の手前位置を見ている状態で、目隠し用部材により視認できない位置に第２シールをレンズに貼り付ける。第２シールをレンズに貼り付けたら、目隠し用部材を切目線に沿って取り除く。以上のようにして、レンズにおける眼鏡の装着者が前方を見る状態における瞳孔の位置（遠用位置）と、レンズにおける眼鏡の装着者が手前位置を見る状態における瞳孔の位置（近用位置）とが特定されるので、操作部本体を第１レッグ部の突状部と第２レッグ部の突状部とが当接した状態になるようにスライドさせておき、遠用位置で第１レッグ部の突状部と第２レッグ部の突状部とで眼鏡のレンズを挟んだ状態とし、第１主尺を左右方向の一方の側にスライドさせて、第１主尺の突状部が操作部本体に当接する状態とする。同様に、近用位置で第１レッグ部の突状部と第２レッグ部の突状部とで眼鏡のレンズを挟んだ状態とし、第２主尺を左右方向の一方の側にスライドさせて、第２主尺の突状部が操作部本体に当接する状態とする。
【００４９】
その後、眼鏡を装着者に装着させて、第１当接部と第２当接部の一方を左右のレンズの一方の近用位置に当接させ、他方を左右のレンズの他方の近用位置に当接させた状態とし、スライド板の切欠部がデータ保持部の柱状部に係止した状態で、装着者の瞳の頂点が操作部背面部の第３目印と左右方向に一致するように操作部をスライドさせる。そして、スライド板を背面側にスライドさせることにより、スライド板の切欠部の柱状部への係止を解除した状態として、第１当接部と第２当接部の一方を左右のレンズの一方の遠用位置に当接させ、他方を左右のレンズの他方の遠用位置に当接させた状態として、装着者の瞳の頂点が操作部背面部の第３目印と左右方向に一致するように操作部をスライドさせる。データ保持部材におけるデータ表示部材に設けられた第１目印により示される第２主尺の目盛りが近用位置のレンズ・瞳間距離となり、操作部本体に設けられた第２目印により示される第１主尺の目盛りが遠用位置のレンズ・瞳間距離となる。
【００５０】
以上のように、レンズの厚みに応じて、第１主尺や第２主尺をスライドさせておき、その後、操作部をスライドさせて、第３目印と瞳の頂点とが一致する状態にして、レンズ・瞳間距離を測定するので、レンズ・瞳間距離を正確に測定することができる。また、スライド板のデータ保持部材への係止を解除することにより、データ保持部材に測定したレンズ・瞳間距離を保持させておくことができ、遠用位置のレンズ・瞳間距離と近用位置のレンズ・瞳間距離を同時に測定することができる。また、第１シールと第２シールとにより、レンズにおける遠用位置と近用位置を正確に把握することができる。
【００５１】
また、第２１には、上記第２０の構成において、眼鏡用測定具セットが、検査用眼鏡であって、テンプル部の外側面の前方端部又は智部の外側面に設けられた測定部で、目盛りがスライド方向に沿って設けられたスライド目盛り部（６３０）と、該スライド目盛り部をテンプル部に沿ってスライド可能に保持し、テンプル部の外側面に取り付けられたホルダ（６１２）とを有する測定具を有する検査用眼鏡を有することを特徴とする。
【００５２】
よって、検査用眼鏡の遠用位置に第１シールを貼り付け、近用位置に第２シールを貼り付けて、各位置においてレンズ・瞳間距離を測定しておき、購入者用に作成された眼鏡においても、遠用位置に第１シールを貼り付け、近用位置に第２シールを貼り付けて、レンズ・瞳間距離を測定し、また、検査用眼鏡において、測定部に設けられたスライド目盛り部をホルダに対してスライドさせて、目盛りの基点の位置を測定しやすい位置に移動させてレンズ・瞳間距離を測定し、測定したレンズ・瞳間距離と眼鏡用測定具により測定したレンズ・瞳間距離と一致させることにより、適切な眼鏡を作成することができる。
【００５３】
また、第２２には、上記第２０の構成において、眼鏡用測定具セットが、検査用眼鏡であって、テンプル部の外側面の前方端部又は智部の外側面に設けられた測定部で、目盛りがスライド方向に沿って設けられたスライド目盛り部（６３０）と、該スライド目盛り部をテンプル部に沿ってスライド可能に保持するホルダ（６１１）と、ホルダをテンプル部の方向に略直角な方向の軸線を中心に回動可能に支持する回動支持部（６６０）とを有する測定具を有する検査用眼鏡を有することを特徴とする。
【００５４】
よって、検査用眼鏡の遠用位置に第１シールを貼り付け、近用位置に第２シールを貼り付けて、各位置においてレンズ・瞳間距離を測定しておき、購入者用に作成された眼鏡においても、遠用位置に第１シールを貼り付け、近用位置に第２シールを貼り付けて、レンズ・瞳間距離を測定し、また、検査用眼鏡において、測定部に設けられたスライド目盛り部をホルダに対してスライドさせて、目盛りの基点の位置を測定しやすい位置に移動させてレンズ・瞳間距離を測定し、測定したレンズ・瞳間距離と眼鏡用測定具により測定したレンズ・瞳間距離と一致させることにより、適切な眼鏡を作成することができる。また、回動支持部が設けられているので、テンプル部が顔の前面に対して直角とならない場合でも、ホルダを回動させて、ホルダの方向を顔の前面に対して直角として、レンズ・瞳間距離を測定することができ、正確にレンズ・瞳間距離を測定することができる。
【００５５】
また、第２３には、上記第２１又は第２２の構成において、ホルダ又は検査用眼鏡のテンプル部又は智部に、検査用眼鏡に装着したレンズの厚み方向の中心を示す目印である中心位置表示目印（６２２ａ）と、該中心位置表示目印を基点とする目盛り（６２２ｂ）とが設けられていることを特徴とする。よって、目印（６２２ａ）から目盛り（６２２ｂ）に沿ってレンズの厚みの半分の長さの位置に、スライド目盛り部の目盛りの基点から目盛り６３３に沿って１２ｍｍの位置を合わせ、基端の位置が瞳の頂点と重なっているかを見ることにより、レンズ・瞳間距離が１２ｍｍとなっているかを確認することができる。
【００５６】
また、第２４には、眼鏡を装着した状態の眼鏡のレンズの内側の面と装着者の瞳間の距離であるレンズ・瞳間距離を測定するための眼鏡用測定具で、本体部（５）と、操作部（２００）とを有し、本体部は、第１主尺と第２主尺とがそれらのスライド方向を左右方向とした場合に左右方向にスライドするための平面部を上面に有する中央部（１０）と、中央部の正面側の端部から正面側に伸びて形成され、その先端における左右方向の一方の側にレンズに当接するための突状部（２４）が形成された第１レッグ部（２０）と、中央部の背面側に形成され、左右方向の一方の側に一方のレンズの表面に当接する当接部（５０ａ、１１０６）を有し、中央部の背面側に形成された平行保持部（３０）と、中央部の左右方向の一方の側の端部から連設され、上面に水平面を有する固定部で、主尺の主尺本体を左右方向にスライド可能に収納する主尺収納部（７６、８０）を有する固定部（７０）と、帯板状を呈する主尺本体（１０２、１１２）と、主尺本体の左右方向の他方の側の端部の上面に形成された突状部（１０４、１１４）とを有し、主尺本体には（突状部の左右方向の一方の側の端部位置を基点として）主尺本体の長手方向に沿って目盛りが表示された主尺（１００、１１０）と、を有し、操作部は、操作部本体（２１０）と、立設部（２４０、２７０、２９０、１０４０）と、第２レッグ部（２８０）とを有し（、本体部の固定部に対して左右方向にスライドし）、操作部本体は、（本体部の）固定部に対してスライド可能に形成され、主尺本体に表示された目盛りを読み取るための読取り用目印（２２８）を有し、立設部は、操作部本体から立設して形成され、装着者の瞳の頂点に合わせるための頂点合わせ用目印で読取り用目印と左右方向に一致する頂点合わせ用目印（２５０ａ、２５０ｃ、２５０ｅ、９００、１０４４ｂ）を有し、第２レッグ部は、操作部本体の正面側の端部から正面側に伸びて形成され、その先端の左右方向の他方の側にレンズに当接するための突状部（２８４）が第１レッグ部の突状部と左右方向と直角方向をなす前後方向に同じ位置に形成され、第１レッグ部の突状部の先端と第２レッグ部の突状部の先端とを当接させた際には、操作部本体は、左右方向の他方の側へのスライドを規制された状態であり、左右方向の他方の側へのスライドを規制させた操作部本体に主尺の突状部の左右方向の一方の側を当接させた際には、主尺の突状部の左右方向における一方の側の端部位置は、当接部の左右方向の一方の側の端部と左右方向に一致し、主尺本体に表示された目盛りを視認可能なように、固定部の少なくとも主尺本体の上方の領域が透明又は半透明に形成されている眼鏡用測定具による測定方法であって、第１レッグ部の突状部と第２レッグ部の突状部とで眼鏡のレンズを挟んだ状態とする挟み工程と、主尺を左右方向の一方の側にスライドさせて、第１主尺と第２主尺の一方の突状部が操作部本体に当接する状態とする主尺スライド工程と、眼鏡を装着者に装着させて、レンズ・瞳間距離を測定しようとする瞳に対応したレンズに当接部を当接させた状態で、装着者の瞳の頂点が立設部の頂点合わせ用目印と左右方向に一致するように操作部をスライドさせる操作部スライド工程と、操作部本体に設けられた読取り用目印により示される主尺の目盛りの値をレンズ・瞳間距離として読み取る読取り工程と、を有することを特徴とする。
【００５７】
よって、レンズの厚みに応じて、主尺をスライドさせておき、その後、操作部をスライドさせて、第３目印と瞳の頂点とが一致する状態にして、レンズ・瞳間距離を測定するので、レンズ・瞳間距離を正確に測定することができる。
【００５８】
また、第２５には、眼鏡を装着した状態の眼鏡のレンズの内側の面と装着者の瞳間の距離であるレンズ・瞳間距離を測定するための眼鏡用測定具で、本体部（５）と、操作部（２００）とを有し、本体部は、第１主尺と第２主尺とがそれらのスライド方向を左右方向とした場合に左右方向にスライドするための平面部を上面に有する中央部（１０）と、中央部の正面側の端部から正面側に伸びて形成され、その先端における左右方向の一方の側にレンズに当接するための突状部（２４）が形成された第１レッグ部（２０）と、中央部の背面側に形成された平行保持部で、平行保持部本体（３４）と、平行保持部本体に対して左右方向とは直角方向の前後方向にスライドするスライド部（４２）とを有し、平行保持部本体は、左右方向の一方の側に一方のレンズの表面に当接する第１当接部（５０ａ）を有するとともに、スライド部をスライド可能に保持するホルダ（４０）を有し、スライド部は、左右方向の一方の側に他方のレンズの表面に当接しその左右方向の一方の側の端部が第１当接部の左右方向の一方の側の端部と左右方向に一致する第２当接部（５０ｂ）を有する平行保持部（３０）と、中央部の左右方向の一方の側の端部から連設され、上面に水平面を有する固定部で、第１主尺の主尺本体を左右方向にスライド可能に収納する第１主尺収納部（７６）と、第２主尺の主尺本体を左右方向にスライド可能に収納し、第１主尺収納部よりも正面側に設けられた第２主尺収納部（８０）と、データ保持部材の帯板状部を左右方向にスライド可能に収納する溝状部（８２）とを有する固定部（７０）と、帯板状を呈する第１主尺本体（１０２）と、第１主尺本体の左右方向の他方の側の端部の上面に形成された突状部（１０４）とを有し、第１主尺本体には突状部の左右方向の一方の側の端部位置を基点として第１主尺本体の長手方向に沿って目盛りが表示された第１主尺（１００）と、帯板状を呈する第２主尺本体（１１２）と、第２主尺本体の左右方向の他方の側の端部の上面に形成された突状部（１１４）とを有し、第２主尺本体には突状部の左右方向の一方の側の端部位置を基点として第２主尺本体の長手方向に沿って目盛りが表示された第２主尺（１１０）と、固定部に設けられた溝状部内にスライド可能な帯板状部（１２２）と、帯板状部の上面から立設した柱状部（１２４）と、柱状部の上端に設けられ第１主尺本体の目盛りと第２主尺本体の目盛りを読み取るための第１目印でスライド板を柱状部に係止した際には操作部本体に設けられた第２目印と左右方向に一致する第１目印（１２６ａ）が設けられたデータ表示部材とを有するデータ保持部材（１２０）と、を有し、操作部は、操作部本体（２１０）と、スライド板（２３０）と、操作部背面部（２４０）と、第２レッグ部（２８０）とを有し（、本体部の固定部に対して左右方向にスライドし）、操作部本体は、スライド板を前後方向にスライド可能に保持するとともに、第１主尺本体に表示された目盛りと第２主尺本体に表示された目盛りを読み取るための第２目印（２２８）を有し、固定部に対して左右方向にスライドし、スライド板は、前後方向にスライド可能で透明又は半透明な部材で形成され、正面側に開口した切欠部（２３２ａ）を有し、スライド板を正面側にスライドさせることにより切欠部がデータ保持部材の柱状部に係止し、切欠部が柱状部に係止した状態からスライド板を背面側にスライドさせることにより切欠部の柱状部に対する係止が解除され、操作部背面部は、操作部本体の背面側の端部から水平方向に対して直角に立設し左右方向に伸び、装着者の瞳の頂点に合わせるための第３目印で第２目印と左右方向に一致する第３目印（２５０ａ、２５０ｃ、２５０ｅ）を有し、第２レッグ部は、操作部本体の正面側の端部から正面側に伸びて形成され、その先端の左右方向の他方の側にレンズに当接するための突状部（２８４）が第１レッグ部の突状部と前後方向に同じ位置に形成され、第１レッグ部の突状部の先端と第２レッグ部の突状部の先端とを当接させた際には、操作部本体は、左右方向の他方の側へのスライドを規制された状態であり、左右方向の他方の側へのスライドを規制させた操作部本体に第１主尺の突状部の左右方向の一方の側を当接させた際には、第１主尺の突状部の左右方向における一方の側の端部位置（第１主尺本体の目盛りの基点としてもよい）は、第１当接部の左右方向の一方の側の端部と左右方向に一致し、左右方向の他方の側へのスライドを規制させた操作部本体に第２主尺の突状部の左右方向の一方の側を当接させた際には、第２主尺の突状部の左右方向における一方の側の端部位置（第２主尺本体の目盛りの基点としてもよい）は、第１当接部の左右方向の一方の側の端部と左右方向に一致し、第１主尺本体に表示された目盛りと第２主尺本体に表示された目盛りを視認可能なように、固定部の少なくとも第１主尺本体の上方の領域及び第２主尺本体の上方の領域と、スライド板の少なくとも第２目印の上方を含む領域が透明又は半透明に形成されている眼鏡用測定具による測定方法であって、操作部本体を第１レッグ部の突状部と第２レッグ部の突状部とが当接した状態になるようにスライドさせておき、レンズにおける眼鏡の装着者が前方を見る状態における瞳孔の位置に対応した遠用位置とレンズにおける眼鏡の装着者が手前位置を見る状態における瞳孔の位置に対応した近用位置の一方の位置で第１レッグ部の突状部と第２レッグ部の突状部とで眼鏡のレンズを挟んだ状態とする第１挟み工程と、第１主尺を左右方向の一方の側にスライドさせて、第１主尺と第２主尺の一方の突状部が操作部本体に当接する状態とする主尺第１スライド工程と、遠用位置と近用位置の他方の位置で第１レッグ部の突状部と第２レッグ部の突状部とで眼鏡のレンズを挟んだ状態とする第２挟み工程と、第２主尺を左右方向の一方の側にスライドさせて、第１主尺と第２主尺の他方の突状部が操作部本体に当接する状態とする主尺第２スライド工程と、眼鏡を装着者に装着させて、第１当接部と第２当接部の一方を左右のレンズの一方における遠用位置と近用位置において第２主尺が対応する位置に当接させ、他方を左右のレンズの他方における遠用位置と近用位置において第２主尺が対応する位置に当接させた状態とし、スライド板の切欠部がデータ保持部の柱状部に係止した状態で、装着者の瞳の頂点が操作部背面部の第３目印と左右方向に一致するように操作部をスライドさせる操作部第１スライド工程と、スライド板を背面側にスライドさせることにより、スライド板の切欠部の柱状部への係止を解除した状態とする係止解除工程と、第１当接部と第２当接部の一方を左右のレンズの一方における遠用位置と近用位置において第１主尺が対応する位置に当接させ、他方を左右のレンズの他方における遠用位置と近用位置において第１主尺が対応する位置に当接させた状態として、装着者の瞳の頂点が操作部背面部の第３目印と左右方向に一致するように操作部をスライドさせる操作部第２スライド工程と、データ保持部材におけるデータ表示部材に設けられた第１目印により示される第２主尺の目盛りの値を遠用位置と近用位置において第２主尺が対応する位置のレンズ・瞳間距離として読み取るとともに、操作部本体に設けられた第２目印により示される第１主尺の目盛りの値を遠用位置と近用位置において第１主尺が対応する位置のレンズ・瞳間距離として読み取る読取り工程と、を有することを特徴とする。
【００５９】
よって、レンズの厚みに応じて、第１主尺や第２主尺をスライドさせておき、その後、操作部をスライドさせて、第３目印と瞳の頂点とが一致する状態にして、レンズ・瞳間距離を測定するので、レンズ・瞳間距離を正確に測定することができる。また、スライド板のデータ保持部材への係止を解除することにより、データ保持部材に測定したレンズ・瞳間距離を保持させておくことができ、遠用位置のレンズ・瞳間距離と近用位置のレンズ・瞳間距離を同時に測定することができる。
【００６０】
また、第２６には、以下の構成としてもよい。すなわち、「眼鏡を装着した状態の眼鏡のレンズの内側の面と装着者の瞳間の距離であるレンズ・瞳間距離を測定するための眼鏡用測定具であって、本体部（１０１０）と、本体部に対して着脱自在な平行保持部（１０５０、１２５０）とを有し、本体部が、略長方形の略板状を呈し、長手辺の方向を左右方向とした場合に、左右方向の中央領域に設けられ第１領域と第１領域の左右両側に設けられた第２領域（１０１４ａ、１０１４ｂ）とを有するベース部で、第１領域の厚みが第２領域の厚みよりも大きく形成され、ベース部の上面における第１領域と第２領域の境界位置に左右方向と直角方向である前後方向に段差が形成されたベース部（１０１２）（「略長方形の略板状を呈し、長手辺の方向を左右方向とした場合に、左右方向の中央領域に設けられ第１領域と第１領域の左右両側に設けられた第２領域（１０１４ａ、１０１４ｂ）とを有し、第１領域の厚みが第２領域の厚みよりも大きく形成され、第１領域と第２領域の境界位置に前後方向を向いた段差が形成されたベース部（１０１２）」としてもよい）と、ベース部の第１領域の上面に設けられ、前後方向を向いた複数の平板状部を間隔を介して第１領域の上面に対して直角に立設して設けたスリット構成部（１０４４ａ〜１０４４ｃ）と、スリット構成部の正面側に設けられた鏡面ユニットで、上方から見ることによりスリット構成部を通して瞳を見ることができるように、水平方向に対して傾斜した鏡面を有する鏡面ユニット（１０２４、１０３０）とを有し、平行保持部は、ベース部に装着した際に、ベース部の段差に沿って接する辺部を有し、ベース部に装着した際に前後方向に伸びる第２ベース部（１０５２、１２５２）と、第２ベース部の上面に設けられ、複数の平板状部を間隔を介して第２ベース部の上面に対して直角に立設して設けた第２スリット構成部で、平行保持部を本体部に装着した状態で、各平板状部における当接部側が前後方向に対して左右方向の一方の側に傾斜するとともに、当接部側とは反対側が左右方向の他方の側に傾斜して設けられた第２スリット構成部（１１４４ａ〜１１４４ｃ）と、第２スリット構成部の斜め正面側に設けられた第２鏡面ユニットで、平行保持部を本体部に装着した状態で、上方から見ることにより第２スリット構成部を通して瞳を見ることができるように、水平方向に対して傾斜した鏡面を有する第２鏡面ユニット（１１２４、１１３０、１２２４、１２３０）と、回転部（１１００、１３００）と、回転部を移動可能に軸支する回転部軸支部（１０７１、１２７１）とを有するレンズ厚調節部で、回転部は、レンズの表面に当接する当接部（１１０６）と、当接部を左右方向の一方の側に支持する当接部支持部（１１０４ｂ）と、当接部支持部から左右方向の他方の側に伸びたネジ部で周面にネジ溝を有するネジ部（１１０４ａ）を有し、回転部軸支部は、ネジ部と螺合するためのネジ溝が形成されたネジ穴を有し、平行保持部を本体部に装着した状態で、該ネジ穴の軸線が左右方向を向くことにより、回転部を左右方向に移動可能に軸支するレンズ厚調節部（１０７０、１２７０）と、を有し、第２ベース部をベース部に装着することにより平行保持部を本体部に装着した状態では、スリット構成部における所定の板状部の平面視における延長線（板状部の平面視における軸線の延長線としてもよい）とネジ部の平面視における軸線の延長線との交点は、第２スリット構成部における該所定の板状部に対応する板状部の平面視における延長線（板状部の平面視における軸線の延長線としてもよい）とネジ部の平面視における軸線の延長線との交点とが一致することを特徴とする。」とする。
【００６１】
この第２６の構成の眼鏡用測定部においては、回転部の回転部軸支部に対する左右方向の位置が所定の場合に、スリット構成部から覗いた際に、スリット構成部を構成する所定の板状部の方向と当接部の先端から左右方向の交点と該当接部の先端までの距離を予め決めておくことにより、レンズの厚みを別途測定して、レンズの厚み分だけ回転部を回転部軸支部に対して回転させて、該一方の側とは反対側の他方の側に移動させ、スリット構成部から瞳を覗くことにより、レンズの厚みを考慮した上で、レンズ・瞳間距離を正確に測定することができ、また、回転部をレンズの厚み分だけ移動させてレンズの厚みを考慮した上で、スリット構成部を覗くという簡単な操作でレンズ・瞳間距離を測定できるので、素早く短時間で測定することができる。
【００６２】
また、第２７には、以下の構成としてもよい。すなわち、「上記第２５の構成において、第１主尺スライド工程の前の準備工程で、第１シールであって、リング状の一部を欠切して切欠部を形成した形状の第１円弧状部と、第１円弧状部から外側に突出して形成された第１片部とを有する第１シール本体と、第１シール本体の円弧状部の裏面に形成された第１粘着部とを有する第１シールを、第１円弧状部の内側部分に眼鏡の装着者が前方を見る状態における瞳孔の位置に対応した遠用位置を配置させて、レンズに貼り付ける第１シール貼付け工程と、第２シールであって、リング状の一部を欠切して切欠部を形成した形状の第２円弧状部と、第２円弧状部から外側に突出して形成された第２片部とを有する本体部と、該本体部の円弧状部の内側の領域に円弧状部と切目線を介して形成された目隠し用部材とを有する第２シール本体と、第２シール本体の円弧状部の裏面に形成された第２粘着部とを有する第２シールを、装着者が前方の手前位置を見ている状態で、目隠し用部材により視認できない位置にレンズに貼り付ける第２シール貼付け工程と、第２シールにおける目隠し用部材を切目線に沿って取り除く除去工程と、を有する準備工程を有することを特徴とする眼鏡用測定具による測定方法。」としてもよい。
【００６３】
また、第２８には、以下の構成としてもよい。すなわち、「眼鏡用測定具セットであって、上記第１〜第１９のいずれかに記載の眼鏡用測定具と、第１シールであって、リング状の一部を欠切して切欠部を形成した形状の第１円弧状部と、第１円弧状部から外側に突出して形成された第１片部とを有する第１シール本体と、第１シール本体の円弧状部の裏面に形成された第１粘着部と、を有する第１シールと、第２シールであって、リング状の一部を欠切して切欠部を形成した形状の第２円弧状部と、第２円弧状部から外側に突出して形成された第２片部とを有する本体部と、該本体部の円弧状部の内側の領域に円弧状部と切目線を介して形成された目隠し用部材とを有する第２シール本体と、第２シール本体の円弧状部の裏面に形成された第２粘着部と、を有する第２シールと、検査用眼鏡であって、テンプル部の外側面の前方端部に設けられ、目盛りがスライド方向に沿って設けられたスライド目盛り部と、該スライド目盛り部をテンプル部に沿ってスライド可能に保持し、テンプル部の外側面に取り付けられたホルダとを有する測定具を有する検査用眼鏡とを有する眼鏡用測定具による測定方法であって、第１準備工程であって、第１シールを、第１円弧状部の内側部分に眼鏡の装着者が前方を見る状態における瞳孔の位置に対応した遠用位置に配置させて、検査用眼鏡のレンズに貼り付ける第１シール貼付け工程と、第２シールを、装着者が前方の手前位置を見ている状態で、目隠し用部材により視認できない位置に検査用眼鏡のレンズに貼り付ける第２シール貼付け工程と、第２シールにおける目隠し用部材を切目線に沿って取り除く除去工程と、を有する第１準備工程と、第１測定工程であって、操作部本体を第１レッグ部の突状部と第２レッグ部の突状部とが当接した状態になるようにスライドさせておき、レンズにおける眼鏡の装着者が前方を見る状態における瞳孔の位置に対応した位置で第１シールにより示される遠用位置で第１レッグ部の突状部と第２レッグ部の突状部とで眼鏡のレンズを挟んだ状態とする第１挟み工程と、第１主尺を左右方向の一方の側にスライドさせて、第１主尺の突状部が操作部本体に当接する状態とする第１主尺スライド工程と、レンズにおける眼鏡の装着者が手前位置を見る状態における瞳孔の位置に対応した位置で第２シールにより示される近用位置で第１レッグ部の突状部と第２レッグ部の突状部とで眼鏡のレンズを挟んだ状態とする第２挟み工程と、第２主尺を左右方向の一方の側にスライドさせて、第２主尺の突状部が操作部本体に当接する状態とする第２主尺スライド工程と、眼鏡を装着者に装着させて、第１当接部と第２当接部の一方を左右のレンズの一方の近用位置に当接させ、他方を左右のレンズの他方の近用位置に当接させた状態とし、スライド板の切欠部がデータ保持部の柱状部に係止した状態で、装着者の瞳の頂点が操作部背面部の第３目印と左右方向に一致するように操作部をスライドさせる操作部第１スライド工程と、スライド板を背面側にスライドさせることにより、スライド板の切欠部の柱状部への係止を解除した状態とする係止解除工程と、第１当接部と第２当接部の一方を左右のレンズの一方の遠用位置に当接させ、他方を左右のレンズの他方の遠用位置に当接させた状態として、装着者の瞳の頂点が操作部背面部の第３目印と左右方向に一致するように操作部をスライドさせる操作部第２スライド工程と、データ保持部材におけるデータ表示部材に設けられた第１目印により示される第２主尺の目盛りが近用位置のレンズ・瞳間距離として読み取る第１読取り工程と、操作部本体に設けられた第２目印により示される第１主尺の目盛りが遠用位置のレンズ・瞳間距離として読み取る第２読取り工程と、とを有する第１測定工程と、第２準備工程であって、第１シールを、第１円弧状部の内側部分に眼鏡の装着者が前方を見る状態における瞳孔の位置に対応した遠用位置に配置させて、購入者用に製造された眼鏡のレンズに貼り付ける第１シール貼付け工程と、第２シールを、装着者が前方の手前位置を見ている状態で、目隠し用部材により視認できない位置に購入者用に製造された眼鏡のレンズに貼り付ける第２シール貼付け工程と、第２シールにおける目隠し用部材を切目線に沿って取り除く除去工程と、を有する第２準備工程と、第１シールと第２シールとが貼り付けられた眼鏡に対して、上記第１測定工程と同様の測定を行う第２測定工程と、を有することを特徴とする眼鏡用測定具セット。」とする。
【発明の効果】
【００６４】
本発明に基づく眼鏡用測定具、眼鏡用測定具セット及び眼鏡用測定具による測定方法によれば、レンズの厚みに応じて、第１主尺や第２主尺をスライドさせておき、その後、操作部をスライドさせて、第３目印と瞳の頂点とが一致する状態にして、レンズ・瞳間距離を測定するので、レンズ・瞳間距離を正確に測定することができる。
【００６５】
また、データ保持部材が設けられている場合には、スライド板のデータ保持部材への係止を解除することにより、データ保持部材に測定したレンズ・瞳間距離を保持させておくことができ、遠用位置のレンズ・瞳間距離と近用位置のレンズ・瞳間距離を同時に測定することができる。
【図面の簡単な説明】
【００６６】
【図１】眼鏡用測定具を示す斜視図である（実施例１）。
【図２】眼鏡用測定具の本体部を示す分解斜視図である（実施例１）。
【図３】眼鏡用測定具の操作部の斜視図である（実施例１）。
【図４】眼鏡用測定具の操作部の要部分解斜視図である（実施例１）。
【図５】眼鏡用測定具の本体部における平行保持部の構成を示す下方斜視図である（実施例１）。
【図６】覗き窓の構成を示す説明図である（実施例１）。
【図７】眼鏡用測定具の他の例を示す斜視図である（実施例１）。
【図８】右眼用のレンズに用いる遠用シールを示す図であり、（ａ）は平面図であり、（ｂ）は（ａ）のＰ−Ｐ断面図である。
【図９】右眼用のレンズに用いる近用シールを示す図であり、（ａ）は平面図であり、（ｂ）は（ａ）のＱ−Ｑ断面図である。
【図１０】左眼用のレンズに用いる遠用シールを示す図であり、（ａ）は平面図であり、（ｂ）は（ａ）のＲ−Ｒ断面図である。
【図１１】左眼用のレンズに用いる近用シールを示す図であり、（ａ）は平面図であり、（ｂ）は（ａ）のＵ−Ｕ断面図である。
【図１２】遠用シールと近用シールの使用方法を示す説明図である。
【図１３】遠用シールと近用シールの使用方法を示す説明図である。
【図１４】眼鏡用測定具の使用方法を示す斜視図である（実施例１）。
【図１５】第１主尺や第２主尺の使用方法を示す説明図である。
【図１６】第１主尺や第２主尺の使用方法を示す説明図である。
【図１７】第１主尺や第２主尺の使用方法を示す説明図である。
【図１８】眼鏡用測定具の使用方法を示す斜視図である（実施例１）。
【図１９】レンズ・瞳間距離を測定する際の具体的な測定方法を示す説明図である（実施例１）。
【図２０】レンズ・瞳間距離を測定する際の操作方法を示す説明図である（実施例１）。
【図２１】レンズ・瞳間距離を測定する際の操作方法を示す説明図である（実施例１）。
【図２２】レンズ・瞳間距離を測定する測定具を取り付けた検査用眼鏡を示す斜視図である。
【図２３】図２２の測定具の分解斜視図である。
【図２４】眼鏡用測定具を示す斜視図である（実施例２）。
【図２５】眼鏡用測定具の本体部を示す分解斜視図である（実施例２）。
【図２６】眼鏡用測定具の操作部の斜視図である（実施例２）。
【図２７】眼鏡用測定具の本体部の要部（特に、斜め測定部）を説明する説明図である（実施例２）。
【図２８】眼鏡用測定具の本体部の要部を説明するための要部斜視図である（実施例２）。
【図２９】眼鏡用測定具の他の例を示す斜視図である（実施例２）。
【図３０】眼鏡用測定具の使用方法を示す斜視図である（実施例２）。
【図３１】眼鏡用測定具の使用方法を示す斜視図である（実施例２）。
【図３２】レンズ・瞳間距離を測定する際の具体的な測定方法を示す説明図である（実施例２）。
【図３３】レンズ・瞳間距離を測定する際の操作方法を示す説明図である（実施例２）。
【図３４】レンズ・瞳間距離を測定する際の操作方法を示す説明図である（実施例２）。
【図３５】眼鏡のテンプルの幅が広い場合の測定の方法を説明するための説明図である。
【図３６】眼鏡用測定具を示す斜視図である（実施例３）。
【図３７】眼鏡用測定具を示す分解斜視図である（実施例３）。
【図３８】眼鏡用測定具の要部を説明する分解斜視図である（実施例３）。
【図３９】眼鏡用測定具の要部を説明する分解斜視図である（実施例３）。
【図４０】眼鏡用測定具の他の例を示す斜視図である（実施例３）。
【図４１】眼鏡用測定具の構成を説明するための説明図である（実施例３）。
【図４２】眼鏡用測定具の構成を説明するための説明図である（実施例３）。
【図４３】眼鏡用測定具の構成を説明するための説明図である（実施例３）。
【図４４】眼鏡用測定具の使用方法を示す平面図である（実施例３）。
【図４５】眼鏡用測定具の使用方法を示す説明図である（実施例３）。
【図４６】実施例２の眼鏡用測定具の変形例を示す斜視図である。
【図４７】眼鏡用測定具の要部を説明する説明図である。
【図４８】検査用眼鏡に取り付けるレンズ・瞳間距離を測定する測定具の変形例を示す斜視図である。
【図４９】ジオプトリの補正値を示す表（１）を示す説明図である。
【図５０】ジオプトリの補正値を示す表（２）を示す説明図である。
【図５１】ジオプトリの補正値を示す表（３）を示す説明図である。
【図５２】ジオプトリの補正前後における差を示す表（１）を示す説明図である。
【図５３】ジオプトリの補正前後における差を示す表（２）を示す説明図である。
【図５４】ジオプトリの補正前後における差を示す表（３）を示す説明図である。
【図５５】ジオプトリの限界値を示す表を示す説明図である。
【発明を実施するための形態】
【００６７】
本発明においては、眼鏡のレンズと瞳の間の距離（「レンズ・瞳間距離」とする。他においても同じ）（「頂点間距離」としてもよい）、すなわち、レンズの内側の面と角膜頂点の間の距離を正確に測定することができ、特に、レンズの厚みについての情報がなくても正確にレンズの内側の面と角膜頂点の間の距離を正確に測定することができる眼鏡用測定具を提供するという目的を以下のようにして実現した。
【００６８】
なお、以下の説明において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。また、以下の説明において、左右方向と前後方向とは互いに直角な方向である。
【実施例１】
【００６９】
本発明に基づく眼鏡用測定具１は、図１〜図６に示すように構成され、本体部５と、操作部２００とを有しており、操作部２００が本体部５に対してスライドするように構成されている。
【００７０】
本体部５は、図１、図２等に示すように構成され、平面視で略Ｔ字状を呈し、中央板部１０と、レッグ部２０と、平行保持部３０と、固定部７０と、第１主尺１００と、第２主尺１１０と、データ保持部材１２０とを有している。この本体部５は、透明な部材（例えば、合成樹脂）により形成されている。
【００７１】
ここで、中央板部（中央部）１０は、略方形状の平板状を呈し、図２に示すように１つの角部にアールが形成されている。中央板部１０は、水平方向（左右方向及び前後方向を向いた面（平面）（水平面）の方向（他の実施例においても同じ））に設けられている。つまり、中央板部１０は、第１主尺１００や第２主尺１１０がスライドするための平面部（水平面）を上面に有している。また、中央板部１０の上面には、方形状の板状を呈する凸状部１２が固定して設けられている。この凸状部１２は、眼鏡用測定具１を使用する際に指を当接させる箇所となる。
【００７２】
また、レッグ部（第１レッグ部）２０は、中央板部１０の正面側（Ｙ１側）の端部から連設され、略Ｌ字状の平板状を呈し、前後方向（Ｙ１−Ｙ２方向）に伸びた長方形状の板状を呈する本体部２２と、本体部２２の右側面で正面側の端部領域から連設された突状部２４を有している。この突状部２４は、略半円状の板状を呈し、眼鏡のレンズの厚みを測定する際に、右側面側（Ｘ２側）（左右方向の一方の側（第１の側））の端部をレンズ面に当接させる。なお、このレッグ部２０は、中央板部１０と同じ厚みに形成され、レッグ部２０の上面と下面は中央板部１０の上面と下面にそれぞれ面一となっている。なお、左側面側（Ｘ１側）は、左右方向の他方の側（第２の側）に当たる。
【００７３】
また、平行保持部３０は、主として、眼鏡に当接して眼鏡用測定具１を眼鏡と平行に保つ（つまり、眼鏡の前面に対して平行に保つ）ための部材であり、傾斜板部３２と、平行保持部本体３４と、中央位置特定部６０とを有している。
【００７４】
傾斜板部３２は、中央板部１０の背面側の端部から連設され、板状を呈し、正面側から背面側にいくほど上方に傾斜する。
【００７５】
また、平行保持部本体３４は、傾斜板部３２の背面側の端部から連設された水平板部３６と、水平板部３６の右側面側の端部から立設した垂直板部３８と、水平板部３６の左側面側の端部から連設されたホルダ４０と、ホルダ４０に支持され、ホルダ４０に対してスライドするアーム部（スライド部）４２と、垂直板部３８の右側面に固定されたレンズ当接部（第１当接部）５０ａと、アーム部４２の垂直板部４６の右側面に固定されたレンズ当接部（第２当接部）５０ｂとを有している。
【００７６】
水平板部３６は、前後方向を長手方向とした長方形状の平板状であり、水平方向に設けられている。また、垂直板部３８は、前後方向を長手方向とした長方形状の平板状であり、水平板部３６の上面の右側面側の端部から立設して設けられている。
【００７７】
また、ホルダ４０は、略筒状を呈し、アーム部４２におけるＬ字状板部４４の本体部４４ａをスライド可能に挿通するように構成されている。すなわち、ホルダ４０は、前後方向を長手方向とする長方形状の平板状を呈する底面部４０ａと、底面部４０ａの右側面側の端部から立設し前後方向に帯状に伸びた右側面部４０ｂと、底面部４０ａの左側面側の端部から立設し前後方向に帯状に伸びた左側面部４０ｃと、右側面部４０ｂと左側面部４０ｃの上面に固定され、底面部４０ａに対して平行に設けられた上面部４０ｄとを有し、上面部４０ｄは、略コ字状の平板状を呈し、上面部４０ｄの左右方向の中央の領域に正面側から背面側に向けて切欠部が形成されている。つまり、上面部４０ｄは、前後方向に伸びて形成され右側面側に設けられた帯板状部４０ｄ−１と、前後方向に伸びて形成され左側面側に設けられた帯板状部４０ｄ−２と、帯板状部４０ｄ−１及び帯板状部４０ｄ−２の背面側の端部を連結する帯板状部４０ｄ−３とから構成されている。ホルダ４０の正面側と背面側は、開口している。また、ホルダ４０の底面部４０ａは、実際には、水平板部３６と一体になっていて、１つの板状部材により構成されている。
【００７８】
また、アーム部４２は、略Ｌ字状の平板状を呈し、前後方向に帯状（細長長方形状）の本体部４４ａと、本体部４４ａの右側面側の背面側の端部から右側面側に連設された帯状（細長長方形状）の先端部４４ｂと、先端部４４ｂの右側面側の端部から垂直に立設した方形状の板状の垂直板部４６と、本体部４４ａの上面に固定して設けられた板状のストッパ４８とを有し、本体部４４ａをホルダ４０に挿通した状態でストッパ４８を固着することにより、アーム部４２がホルダ４０から脱落しないように構成されている。ここで、先端部４４ｂの長さは、垂直板部４６の左右方向（Ｘ１−Ｘ２方向）の位置が垂直板部３８の左右方向の位置と一致する長さに形成されている。
【００７９】
また、レンズ当接部５０ａとレンズ当接部５０ｂは、略半球状を呈している。レンズ当接部５０ａ、５０ｂの先端（右側面側の端部）は、左右方向において同じ位置に設けられ（つまり、左右方向において一致して設けられ）（レンズ当接部５０ａの先端の左右方向の位置とレンズ当接部５０ｂの先端の左右方向の位置とが一致しているとしてもよい）、レンズ当接部５０ａ、５０ｂの先端（右側面側の端部）は、主尺等収納部７１の左側面側の端部（つまり、目盛り８４、８６のゼロ位置）及びレッグ部２０の突状部２４の右側面側の先端と左右方向において一致するように構成されている。中央板部１０の右側面側の端部（端面）も、レンズ当接部５０ａ、５０ｂの先端と左右方向において一致している。
つまり、レンズ当接部５０ａ、５０ｂの先端と、主尺等収納部７１の左側面側の端部と、中央板部１０の右側面側の端部（端面）と、レッグ部２０の突状部２４の右側面側の先端とは、左右方向において一致している。
【００８０】
なお、本体部４４ａには、目盛り４５が表示して設けられている。また、水平板部３６とホルダ４０の上面部４０ｄの帯板状部４０ｄ−１の上面には、左右方向に直線により形成された表示部（第４目印、第２読取り用目印）５２が印刷等により設けられている。この表示部５２は、レンズ当接部５０ａの前後方向の中心位置（右側面側の先端位置）に合わせて設けられ（つまり、表示部５２は、当接部５０ａの右側面側の先端における前後方向の位置と前後方向に一致する）、レンズ当接部５０ａとレンズ当接部５０ｂとを眼鏡を装着した被験者の瞳孔位置に設定することにより、目盛り４５における表示部５２の位置の値を見ることにより、瞳孔間距離を測定することができるようになっている。
【００８１】
なお、本体部４４ａに目盛り４５を設け、ホルダ４０の上面部４０ｄ等に表示部５２を設けるとしたが、ホルダ４０に目盛りを設け、本体部４４ａに目印を設けてもよい。
【００８２】
また、中央位置特定部６０は、ホルダ４０の底面に固定して設けられたものであり、ホルダ４０の底面側に設けられたホルダ（第２ホルダ）６２と、ホルダ６２に対してスライドするアーム部（第２スライド部）６４とを有している。
【００８３】
ここで、ホルダ６２は、ホルダ４０と略同様の構成であり、底面部４０ａの右側面側の端部から垂下し前後方向に帯状に伸びた右側面部６２ａと、底面部４０ａの左側面側の端部から垂下し前後方向に帯状に伸びた左側面部６２ｂと、右側面部６２ａと左側面部６２ｂの下面に固定され、底面部４０ａに対して平行に設けられた底面部６２ｃとを有し、底面部６２ｃは、略コ字状の平板状を呈し、底面部６２ｃの左右方向の中央の領域に正面側から背面側に向けて切欠部が形成されている。ホルダ６２の正面側と背面側は、開口している。つまり、ホルダ６２の上面部は、ホルダ４０の底面部４０ａと共有している。
【００８４】
また、アーム部６４は、全体に略板状を呈し、前後方向を長手方向とした長方形状の板状を呈し、帯板状（細長長方形状の板状）のアーム部本体６４ａと、アーム部本体６４ａの先端（背面側の端部）の下面に固定して設けられた略三角柱状の突状部６４ｂ（中間位置特定部、中央位置用目印）と、アーム部本体６４ａの下面に固定して設けられた板状のストッパ６４ｃとを有している。
【００８５】
この中央位置特定部６０においては、アーム部６４の突状部６４ｂを被験者が装着している眼鏡の横方向の中心位置（つまり、ブリッジ５０６（図１４参照）の中心位置）に合わせることにより、この突状部６４ｂと目盛り４５により被験者の瞳孔と眼鏡の中心位置の間の距離を測定することができる。
【００８６】
次に、固定部７０は、中央板部１０の右側面側の端部から連設され、中央板部１０の右側面側の端部から連設され、水平方向に設けられた主尺等収納部（固定部本体）７１と、主尺等収納部７１の背面側の端部から立設した垂直板部９０とを有している。
【００８７】
ここで、主尺等収納部７１は、略方形状（具体的には、横長の長方形状）の板状（直方体形状としてもよい）を呈する本体部７２に、切欠部７４、７８と、挿通穴７６、８０と、溝状部８２と、ストッパ８８を設けた構成となっている。
【００８８】
本体部７２は、中央板部１０の右側面側の端部から連設され、本体部７２の上面は、中央板部１０の上面よりも高く形成され、本体部７２の下面（底面）は、中央板部１０の下面（底面）よりも高く、中央板部１０の上面よりも低く形成され、結果として、本体部７２は、中央板部１０に対して上側にずれた状態で、中央板部１０と接続している。つまり、中央板部１０と主尺等収納部７１の境界位置の下面側には、段差が形成され、中央板部１０の右側面側の端面は、前後方向を向いている。本体部７２の前後方向の長さは、中央板部１０の前後方向と長さと略同一となっている。
【００８９】
切欠部７４、７８は、本体部７２の左側面側に形成され、切欠部７４、７８は平面視において長方形状を呈し、本体部７２の上面から中央板部１０の上面の位置まで形成されている。つまり、切欠部７４、７８を形成した領域の上面は、中央板部１０の上面と面一になっている。なお、切欠部７４と切欠部７８とは、間隔を介して形成され、切欠部７８が切欠部７４に対して正面側に形成されている。切欠部７４と切欠部７８の形状・大きさは略同一となっている。
【００９０】
また、切欠部７４の奥部（右側面側の端部）からは左右方向に挿通穴（第１主尺収納部）７６が形成されている。つまり、この挿通穴７６は、帯板状（細長長方形状の板状）の空間を有し、第１主尺１００の主尺本体１０２が挿通可能に形成されている。この挿通穴７６は、本体部７２の右側面側の端部よりも所定長さ分だけ左側面側の位置まで形成されている。例えば、挿通穴７６の右側面側の端部の左右方向の位置は、溝状部８２の右側面側の端部の左右方向の位置となる。この挿通穴７６の底面は、切欠部７４の形成領域の上面や中央板部１０の上面と面一となっている。
【００９１】
また、切欠部７８の奥部（右側面側の端部）からは左右方向に挿通穴（第２主尺収納部）８０が形成されている。この挿通穴８０は、挿通穴７６と同様の構成であり、帯板状（細長長方形状の板状）の空間を有し、第２主尺１１０の主尺本体１１２が挿通可能に形成されている。この挿通穴８０は、本体部７２の右側面側の端部よりも所定長さ分だけ左側面側の位置まで形成されている。例えば、挿通穴８０の右側面側の端部の左右方向の位置は、溝状部８２の右側面側の端部の左右方向の位置となる。この挿通穴８０の底面は、切欠部７８の形成領域の上面や中央板部１０の上面と面一となっている。
【００９２】
なお、挿通穴７６、８０は、穴状に形成されているが、上方が開口した溝状に形成してもよい。
【００９３】
また、溝状部８２は、本体部７２の上面に左右方向に設けられ、前後方向には、切欠部７４と切欠部７８の間の位置に形成されている。
【００９４】
また、ストッパ８８は、本体部７２の底面の右側面側の端部に沿って形成され、帯板状を呈している。このストッパ８８により、操作部２００を固定部７０に対して右側面側にスライドさせた場合でも、操作部２００が固定部７０から脱落することがない。
【００９５】
また、本体部７２の上面における切欠部７４の背面側の領域には、目盛り８４が形成され、また、本体部７２の上面における切欠部７８の背面側の領域には、目盛り８６が形成されている。この目盛り８４、８６は、主尺等収納部７１の左側面側の端部の位置をゼロ位置として表示されている。
【００９６】
また、垂直板部９０は、略長方形状の板状を呈し、開口部９２が形成されている。この開口部９２は、横長の長穴状であり、長方形状の両側に半円形状を連設した形状となっている。
【００９７】
なお、この固定部７０は、実際には、主尺等収納部７１を中央板部１０の上面の高さ位置の上側の構成（上側構成部）と下側の構成（下側構成部）とに分けて構成し、上側構成部と下側構成部とを固着させることにより形成する。その場合、下側構成部は、その上面が中央板部１０の上面と面一の板状部材と該板状部材の底面の右側面側の端部に沿って形成されたストッパ８８とから構成され、また、上側構成部には、左側面側に切欠部７４、７８が形成され（この場合、上側構成部の上面から下面まで切欠部７４、７８が形成される）、挿通穴７６、８０を形成するための溝部が底面側に形成されている。
【００９８】
また、第１主尺１００は、主尺本体１０２と、主尺本体１０２の上面の左側面側の端部に連設された板状部（突状部）１０４と、板状部１０４の上面に固着された円形板部１０６とを有している。板状部１０４は、主尺本体１０２よりも左右方向に短く形成され、板状部１０４の左右方向の長さと円形板部１０６の直径とは略同一である。ここで、主尺本体１０２は、帯板状（細長長方形状の板状）を呈し、挿通穴７６に挿通可能な大きさに形成され、上面に長手方向に沿って目盛りが形成されている。この目盛りは、板状部１０４の右側面側の端部位置を基点として設けられている。主尺本体１０４に設けられた目盛りは、円形板部１０６に設けられた目盛りから連続しているので、円形板部１０６に設けられた目盛りから数えると７ｍｍの位置が主尺本体１０２の目盛りの基点となる。なお、主尺本体１０２の目盛りの基点Ｊ１は、操作部２００が最も左側面側にある状態で板状部１０４の右側面側を操作部２００の水平挟設部２１０の上側構成部２１４に当接させた場合に、目盛り８４のゼロ位置と一致し、また、レンズ当接部５０ａ、５０ｂの先端と左右方向において一致する。また、円形板部１０６の上面には、主尺本体１０２と連続する目盛りが設けられ、この目盛りは、円形板部１０６の中心を基点（起点としてもよい）として設けられている。
【００９９】
また、第２主尺１１０は、主尺本体１１２と、主尺本体１１２の上面の左側面側の端部に連設された板状部（突状部）１１４と、板状部１１４の上面に固着された円形板部１１６とを有している。板状部１１４は、主尺本体１１２よりも左右方向に短く形成され、板状部１１４の左右方向の長さと円形板部１１６の直径とは略同一である。ここで、主尺本体１１２は、帯板状（細長長方形状の板状）を呈し、挿通穴８０に挿通可能な大きさに形成され、上面に長手方向に沿って目盛りが形成されている。この目盛りは、板状部１１４の右側面側の端部位置を基点として設けられている。主尺本体１１２に設けられた目盛りは、円形板部１１６に設けられた目盛りから連続しているので、円形板部１１６に設けられた目盛りから数えると７ｍｍの位置が主尺本体１１２の目盛りの基点となる。なお、主尺本体１１２の目盛りの基点Ｊ２は、操作部２００が最も左側面側にある状態で板状部１１４の右側面側を操作部２００の水平挟設部２１０の上側構成部２１４に当接させた場合に、目盛り８６のゼロ位置と一致し、また、レンズ当接部５０ａ、５０ｂの先端と左右方向において一致する。また、円形板部１１６の上面には、主尺本体１１２と連続する目盛りが設けられ、この目盛りは、円形板部１１６の中心を基点（起点としてもよい）として設けられている。
【０１００】
板状部１０４、１１４は、板状部１０４、１１４を右側面側に移動させるか、又は、操作部２００を左側面側に移動させることにより、操作部２００（特に、上側構成部２１４）に当接する。
【０１０１】
また、データ保持部材１２０は、帯板状部１２２と、柱状部１２４と、水平板部（データ表示部材）１２６とを有している。帯板状部１２２は、帯板状（細長長方形状の板状）を呈し、その幅は、溝状部８２の幅よりも若干短く形成され、また、その長さ（左右方向の長さ）は、溝状部８２の長さよりも短く形成され、帯板状部１２２は、溝状部８２内を左右方向にスライド可能に形成されている。また、柱状部１２４は、帯板状部１２２の上面の左側面側の端部から上方に立設して固定され、柱状を呈している。また、水平板部１２６は、柱状部１２４の上面に固着して設けられ、平板状を呈している。この水平板部１２６は水平方向に形成されている。また、水平板部１２６の上面には、前後方向の直線により形成された表示部（第１目印）１２６ａが印刷等により設けられ、この表示部１２６ａは、スライド板部２３０の切欠部２３２ａがデータ保持部材１２０の柱状部１２４に係止した際には、操作部２００に設けられた表示部（第２目印、読取り用目印）２２８と一致するように形成されている。
【０１０２】
このデータ保持部材１２０は、第１主尺１００により測定されたレンズ・瞳間距離と第２主尺１１０により測定されたレンズ・瞳間距離において、先に測定したレンズ・瞳間距離を保持しておくために使用される。
【０１０３】
次に、操作部２００は、本体部５の固定部７０に対してスライド可能に形成され、図３、図４に示すように、水平挟設部（操作部本体）２１０と、水平挟設部２１０に対して前後方向にスライドするスライド板部（スライド板）２３０と、水平挟設部２１０の背面側に形成された垂直挟設部（操作部背面部）２４０と、水平挟設部２１０の正面側の端部位置に立設して設けられた正面構成部（正面側構成部）２７０と、水平挟設部２１０の正面側の端部から正面側に連設されたレッグ部（第２レッグ部）２８０とを有している。この操作部２００は透明な部材（例えば、合成樹脂）により形成されている。つまり、表示部２２８と、覗き窓２４６を構成する表示部２４７、２４８ｂ−１、２５１、２７６等を除き、透明に形成されている。
【０１０４】
ここで、水平挟設部２１０は、固定部７０の主尺等収納部７１を上面側及び下面側から挟むように構成され、平板状の下側構成部２１２と、下側構成部２１２の上方に下側構成部２１２に略平行に設けられた上側構成部２１４と、下側構成部２１２と上側構成部２１４とを正面側で連結する中間部２３８とを有している。
【０１０５】
下側構成部２１２は、略方形状の平板状を呈し、水平方向に形成されている。下側構成部２１２の前後方向の長さは、固定部７０の前後方向の長さよりも略同様に（厳密には、操作部２００が固定部７０に対してスライド容易なように若干長く）形成され、また、左右方向の長さは、固定部７０の主尺等収納部７１の左右方向の長さよりも短く形成されている。下側構成部２１２は、主尺等収納部７１の下側に設けられる。
【０１０６】
また、上側構成部２１４は、略方形状の板状（直方体形状としてもよい）を呈する本体部２１６に、切欠部２１８と、凹部２２０とを形成したものである。上側構成部２１４は、主尺等収納部７１の上側に設けられる。
【０１０７】
ここで、切欠部２１８は、本体部２１６の左側面側に形成され、本体部２１６の上面から下面に渡って形成され、平面視において、左右方向に横長の長方形状を呈している。この切欠部２１８の前後方向の幅は、柱状部１２４の前後方向の幅よりも大きく形成され、柱状部１２４が切欠部２１８内に配置可能となっている。なお、切欠部２１８の一部は、凹部２２０の底面部２２０ａを切り欠いて形成されている。
【０１０８】
また、凹部２２０は、上側構成部２１４の上面側に形成され、平面視において略Ｌ字状を呈する凹部本体２２２と、凹部本体２２２の左側面の下側の領域から溝状に形成された溝部２２４ａと、凹部本体２２２の右側面の下側の領域から溝状に形成された溝部２２４ｂとを有している。つまり、凹部本体２２２は、平面視において、辺部ｈ１と、辺部ｈ２と、辺部ｈ３と、辺部ｈ４と、辺部ｈ５と、辺部ｈ６と、辺部ｈ７と、辺部ｈ８とに囲まれた輪郭を有する凹部であり、凹部本体２２２の内底面側には、溝部２２４ａ、２２４ｂが形成されているので（左側面側の溝部２２４ａは、辺部ｈ１に沿って形成され、辺部ｈ５に沿っては形成されていない）、凹部２２０は、内底面側の方が左右方向に広く形成されている。これにより、本体部２１６の凹部２２０側の上端位置には、内側に突出したフランジ２１６ａ、２１６ｂが形成されている。なお、凹部２２０の正面側と背面側（辺部ｈ６に沿った側）と左側面側の正面側（辺部ｈ５に沿った側）には溝部は形成されていない。
【０１０９】
これにより、本体部２１６には、凹部２２０の内底面をなす底面部２２０ａの上面の高さよりも上側に突出した左側構成部２１６−１と右側構成部２１６−２と正面・左側構成部２１６−３とを有している。つまり、左側構成部２１６−１は、略板状（つまり、溝部２２４ａが形成された板状）の縦側長方形状を呈し、右側構成部２１６−２は、略板状（つまり、溝部２２４ｂが形成された板状）の縦長長方形状を呈し、正面・左側構成部２１６−３は、平面視略Ｌ字状の板状を呈している。なお、正面・左側構成部２１６−３の上端は、左側構成部２１６−１及び右側構成部２１６−２の上端の高さよりも低く形成されている。
【０１１０】
凹部２２０における溝部２２４ａ、２２４ｂが設けられている高さ分の空間がスライド板部収納部２２６となり、このスライド板部収納部２２６にスライド板部２３０が前後方向にスライド可能に収納される。
【０１１１】
また、凹部２２０の底面をなす板状の底面部２２０ａの上面側には、直線により形成された表示部（第２目印）２２８が印刷等により前後方向に設けられている。つまり、表示部２２８は、底面部２２０ａの上面の背面側の端部から切欠部２１８まで形成された表示部２２８ａと、底面部２２０ａの上面の切欠部２１８よりも正面側の領域に形成され表示部２２８ａの延長線上に形成された表示部２２８ｂ（図２０参照）とを有している。なお、表示部２２８ｂは、正面・左側構成部２１６−３の凹部２２０に面した右側面の下端に沿って形成されている。なお、操作部２００は透明に形成されているので、スライド板部２３０が上側構成部２１４にスライド可能に設けられている状態でも、外部から表示部２２８を視認することができる。
【０１１２】
また、スライド板部（スライド板）２３０は、スライド板部本体２３２と、スライド板部本体２３２の上面に固定された操作つまみ２３４とを有している。このスライド板部本体２３２は、略Ｌ字状の板部に切欠部２３２ａと切欠部（第２の切欠部）２３２ｂとを形成したものであり、切欠部２３２ｂが形成された方形状の板部２３２−１と、板部２３２−１の左側面で背面側の端部から連設された方形状の板部２３２−２と、板部２３２−２の正面で左側面側の端部から連設された方形状の板部２３２−３とを一体に形成した形状を呈し、板部２３２−１の左側面と板部２３２−２の正面と板部２３２−３の右側面とで囲まれた切欠部２３２ａが形成されている。なお、切欠部２３２ｂは、前後方向には、上側構成部２１４に形成された切欠部２１８に対応する位置に設けられ、切欠部２３２ｂの左右方向の長さは、切欠部２１８の表示部２２８ａと切欠部２１８の右側の端部間の長さと略同一となっていて（つまり、切欠部２３２ｂの右側の端部と切欠部２１８の右側の端部とは一致している（つまり、上側構成部２１４に設けられた切欠部２１８は平面視において切欠部２３２ｂの領域にも形成されている））、スライド板部２３０を背面側にスライドさせて、スライド板部２３０の背面側の端部が背面前側構成部２４２に接する状態になった場合に、スライド板部２３０の切欠部２３２ｂと上側構成部２１４の切欠部２１８とが前後方向において一致する位置に形成されている。
【０１１３】
このスライド板部２３０の左右方向の長さＳ１は、上側構成部２１４の凹部２２０の上端位置の左右方向の長さＳ３よりも長く形成され、溝部２２４ａの奥部と溝部２２４ｂの奥部間の左右方向の長さ以下に形成され、また、スライド板部２３０の前後方向の長さＳ２は、凹部２２０の前後方向の長さよりも短く形成され、これにより、スライド板部本体２３２は、凹部２２０内に前後方向にスライド可能で、上側構成部２１４から脱落しないようになっている。
【０１１４】
また、操作つまみ２３４は、スライド板部本体２３２の上面の下端領域に固定して設けられ、方形状の板状の操作つまみ本体２３４ａと、操作つまみ本体２３４ａの下面とスライド板部本体２３２の上面間に設けられた台部２３４ｂとから構成され、平面視において、操作つまみ本体２３４ａは、スライド板部本体２３２の正面側の端部から突出しているのに対して、台部２３４ｂは、スライド板部本体２３２の正面側の端部から突出しないように形成されている。すなわち、台部２３４ｂは、操作つまみ本体２３４ａをフランジ２１６ａ、２１６ｂの厚み分だけ上側に配置するために設けられている。
【０１１５】
また、操作部２００は透明に形成され、上側構成部２１４とスライド板部本体２３２も透明に形成されているので、挿通穴７６に挿通された第１主尺１００の主尺本体１０２に設けられた目盛りや、挿通穴８０に挿通された第２主尺１１０の主尺本体１１２に設けられた目盛りを外部から視認することができる。
【０１１６】
また、中間部２３８は、下側構成部２１２と上側構成部２１４の間の正面側の端部位置に設けられ、下側構成部２１２と上側構成部２１４間に中間部２３８が設けられていることにより、下側構成部２１２と上側構成部２１４とが間隔を介して形成されている。
【０１１７】
また、垂直挟設部２４０は、水平挟設部２１０の背面側の端部から上方に立設して連設され、上側構成部２１４の背面側の端部から連設され、上方に鉛直方向（つまり、水平方向に対して直角方向）に立設して形成された背面前側構成部（前側構成部）２４２と、下側構成部２１２の背面側の端部から連設され、上方に鉛直方向に立設して形成された背面後側構成部（後側構成部）２６０とを有している。つまり、垂直挟設部２４０は、垂直板部９０を正面側及び背面側から挟んでいる。
【０１１８】
ここで、背面前側構成部２４２は、略方形状（長方形状）の板状を呈し、水平挟設部２１０の上側構成部２１４に対して垂直方向に形成された（例えば、水平面をなす上側構成部の２１４の下面に対して垂直方向に形成されている）本体部２４４の正面側に覗き窓２４６と傾斜角度測定部２５２が設けられている。覗き窓２４６は、印刷等により形成された円形の線からなる表示部２４７内に形成され、図６に示すように、正面視右側に形成された開口部２４８ａと正面視左側に形成された非開口部２４８ｂとから構成され、開口部２４８ａと非開口部２４８ｂの開口部２４８側には凹凸部２５０が形成され凹凸に形成されている。凹凸部２５０は、正面視において、垂直方向の直線と半円とを交互に縦方向につなげた構成となっていて、直線部２５０ａと、直線部２５０ａの下端から連設された半円部２５０ｂと、半円部２５０ｂの下端から連設された直線部２５０ｃと、直線部２５０ｃの下端から連設された半円部２５０ｄと、半円部２５０ｄの下端から連設された直線部２５０ｅとを有している。つまり、開口部２４８ａは、表示部２４７に沿った円弧形状と該凹凸部２５０により形成されている。また、非開口部２４８ｂは、背面前側構成部２４２における覗き窓２４６の外側と面一に形成され、表示部２４７に沿った円弧形状と該凹凸部２５０により囲まれた領域である。なお、この非開口部２４８ｂには、直線部２５０ｃの縦方向の中心位置から水平に形成された直線状の表示部２４８ｂ−１が印刷等により形成されている。この表示部２４８ｂ−１の上下方向（Ｚ１−Ｚ２方向）の高さは、レンズ当接部５０ａ、５０ｂの高さと略同一の高さとなっていて、特に、レンズ当接部５０ａ、５０ｂの半球状の頂点の位置と略同一の高さとなっている。なお、直線部２５０ａ、２５０ｃ、２５０ｅが、第３目印及び頂点合わせ用目印に当たる。
【０１１９】
また、背面前側構成部２４２の正面側の面の覗き窓２４６の上方には、円形の表示部２５１が印刷等により設けられている。この表示部２５１の左右方向の位置は、表示部２５１の中心位置の左右方向の位置が直線部２５０ａの左右方向の位置と一致する位置となっている。
【０１２０】
なお、該凹凸部２５０を構成する直線部２５０ａ、２５０ｃ、２５０ｅの左右方向の位置は、表示部２２８の左右方向の位置と一致して形成されている。
【０１２１】
また、傾斜角度測定部２５２は、２つの直線状の辺部と円弧状の辺部とから構成された扇状の板状を呈し、２つの直線状の辺部が接する端部位置でピン２５２ａにより揺動可能に背面前側構成部２４２に軸支されている。また、傾斜角度測定部２５２の円弧状の辺部に沿って傾斜角度を測定するための目盛り２５２ｂが形成されている。また、背面前側構成部２４２には、目盛り２５２ｂを読み取るための直線状の目印２５２ｃが設けられている。なお、目印２５２ｃを傾斜角度測定部２５２に設け、目盛りを背面前側構成部２４２に設けてもよい。
【０１２２】
また、背面後側構成部２６０は、略方形状（横長長方形状）の板状を呈し、水平挟設部２１０の下側構成部２１２に対して垂直方向に形成され、背面前側構成部２４２に対して間隔を介して設けられている。つまり、背面前側構成部２４２と背面後側構成部２６０間には、固定部７０の垂直板部９０が設けられるので、垂直板部９０を挟んで、かつ、操作部２００がスライド可能となるような間隔を介して形成されている。背面後側構成部２６０の上端と背面前側構成部２４２の上端とは略同じ高さに形成されている。この背面後側構成部２６０の大きさは、左右方向には背面前側構成部２４２と同様であるが、上下方向には、背面前側構成部２４２よりも若干長く形成されている。
【０１２３】
また、正面構成部２７０は、上側構成部２１４の正面側の端部位置で、覗き窓２４６の正面側の位置から立設して形成されている。つまり、正面構成部２７０は、略方形状（縦長長方形状）の板状を呈し、水平挟設部２１０の下側構成部２１２に対して垂直方向に形成された本体部２７２の正面側に覗き窓２７４が設けられている。覗き窓２７４は、円形の開口部から構成されている。この覗き窓２７４の直径は、覗き窓２４６の表示部２４７の直径と略同一となっていて、覗き窓２７４から正確に正面側から見ると、図１９に示すように、覗き窓２７４の中央に表示部２４７が配置されるようになっている。
【０１２４】
また、正面構成部２７０の正面側の面における覗き窓２７４の上方には、縦長長方形状の表示部２７６が印刷等により設けられている。この表示部２７６の左右方向の位置は、表示部２７６の左右方向の中心位置が覗き窓２７４の中心の左右方向の位置と一致する位置となっている。また、表示部２７６の短辺（つまり、横方向の辺部）の長さは、表示部２５１の直径の長さよりも短く形成され、結果として、操作者が、正面構成部２７０から背面前側構成部２４２を見る場合に、正確に正面側から見ると、図１９に示すように、表示部２５１が表示部２７６の中で、かつ、表示部２７６における上下左右に均等な位置に見える。表示部２７６と表示部２５１の奥行き方向の位置により、表示部２７６の短辺の長さが表示部２５１の直径の長さよりも短く形成されることにより、正面構成部２７０から見ると、表示部２７６の短辺の長さと表示部２５１の直径の長さとが一致したように見える。
【０１２５】
なお、覗き窓２７４と表示部２４７とは、正確に正面側から視認していることを確認するための確認用手段に当たり、覗き窓２７４は開口部により形成され、表示部２４７は目印により形成されている。同様に、表示部２７６と表示部２５１も、正確に正面側から視認していることを確認するための確認用手段に当たり、表示部２７６と表示部２５１は、ともに、目印により形成されている。
【０１２６】
なお、垂直挟設部２４０と正面構成部２７０とで、立設部（水平挟設部２１０から立設して形成され、装着者の瞳の頂点に合わせるための頂点合わせ用目印で表示部２２８（読取り用目印）と左右方向に一致する頂点合わせ用目印（つまり、直線部２５０ａ、２５０ｃ、２５０ｅ）を有する立設部）を構成する。
【０１２７】
また、レッグ部２８０は、水平挟設部２１０の正面側の端部から連設され、略Ｌ字状の平板状を呈し、前後方向（Ｙ１−Ｙ２方向）に伸びた長方形状の板状を呈する本体部２８２と、本体部２８２の左側面で正面側の端部領域から連設された突状部２８４を有している。この突状部２８４は、略半円状の板状を呈し、眼鏡のレンズの厚みを測定する際に、左側面側（Ｙ１側）の端部をレンズ面に当接させる。なお、このレッグ部２８０はレッグ部２０と略同じ厚みに形成され、レッグ部２８０部の下面は下側構成部２１２の下面と面一となっている。
【０１２８】
操作部２００を左側面側に移動させると、中央板部１０の下面と主尺等収納部７１の下面とは段差があるので、操作部２００の水平挟設部２１０の下側構成部２１２は、中央板部１０の右側面側の端部に接触して、それ以上は左側面側には移動せず、最も左側面側の位置となる。なお、操作部２００が最も左側面側の位置にある場合には、２つのレッグ部２０の突状部２４の先端と、レッグ部２８０の突状部２８４の先端とが当接するようになっている。つまり、中央板部１０の右側面側の端部が、「操作部を左右方向の一方の側とは反対側である他方の側にスライドさせた際に左右方向の他方の側へのスライドを規制する規制部」となる。また、操作部２００が最も左側面側の位置にある状態で、第１主尺１００の板状部１０４と第２主尺１１０の板状部１１４を当接させた場合には、板状部１０４、１１４の右側面側の端部は、レンズ当接部５０ａ、５０ｂの先端と左右方向において一致する。
【０１２９】
なお、操作部２００におけるスライド板部２３０を除く構成は、一体に成形されているが、製造を容易とするために、上側構成部２１４における上側の部分、つまり、底面部２２０ａの高さよりも上側の部分（つまり、上側構成部２１４の底面を底面とし底面部２２０ａの上面を上面とする板部よりも上側の部分）を他の部分とは別に形成して、互いに固着するようにすることが好ましい。
【０１３０】
なお、眼鏡用測定具１は、実際には、左眼用のものであり、眼鏡用測定具１と左右対称の構成のものが右眼用となる。つまり、図１〜図６に示す構成は左眼用であり、図１〜図６に示す構成に対して、図７に示すように左右対称の構成のものが右眼用となる。図７に示す右眼用の眼鏡用測定具２は、左目用の眼鏡用測定具１と左右対称である点以外は同様の構成であるので、詳しい説明を省略する。なお、右眼用の眼鏡用測定具２を示す図７においては、左側面側（Ｘ２側）が「左右方向の一方の側」となり、右側面側（Ｘ１側）が「左右方向の他方の側」となる（実施例２の眼鏡用測定具４においても同じ）。
【０１３１】
次に、眼鏡用測定具１による測定に際して眼鏡に貼着して用いるシールについて説明する。シールには、眼鏡を装着して遠い位置（前方）を見る際の視線がレンズを通る位置（遠用位置）に貼着する遠用シール（第１シール）３００と、眼鏡を装着して近い位置を見る際の視線がレンズを通る位置（近用位置）に貼着する近用シール（第２シール）３１０とが設けられる。つまり、遠用位置は、レンズにおける眼鏡の装着者が前方を見る状態における瞳孔の位置に対応した位置であり、眼鏡を装着した装着者を前方から見た場合に、レンズにおける眼鏡の装着者が前方を見る状態における瞳孔の位置である。また、近用位置は、レンズにおける眼鏡の装着者が手前位置を見る状態における瞳孔の位置に対応した位置であり、眼鏡を装着した装着者を前方から見た場合に、レンズにおける眼鏡の装着者が手前位置を見る状態における瞳孔の位置である。
【０１３２】
遠用シール３００は、図８に示すように、シール本体（第１シール本体）３００ａと、粘着部（第１粘着部）３００ｂと、剥離紙（第１剥離紙）３００ｃとから構成されている。粘着部３００ｂは、レンズ面に貼着した後に、手で剥がすことにより容易に剥がすことができる粘着力となっている。
【０１３３】
シール本体３００ａは、円弧状部（第１円弧状部）３０２と、円弧状部３０２から連設された片部（第１片部）３０４とを有し、円弧状部３０２は、リング状（円環状）の一部を欠切して切欠部を形成した形状を有し、円弧状部３０２の中心３０２−１において円弧状部３０２の一方の端部から他方の端部までの角度範囲αは、２７０度よりも大きく３１０度よりも小さい角度（好適には、３００度）となっている。つまり、２７０度〜３１０度の角度範囲で円弧状で所定幅の帯状に形成されている。なお、円弧状部３０２の周方向の両端部は、略半円状に形成されている。また、円弧状部３０２の内径は、第１主尺１００の円形板部１０６や第２主尺１１０の円形板部１１６の外径と略同一に形成されている。
【０１３４】
また、片部３０４は、円弧状部３０２の周方向における一方の端部に近い位置から帯状に突出して形成されていて、片部３０４の一方の辺部３０４−１と反対側の辺部３０４−２とは、略平行に形成されている。なお、この片部３０４は、円弧状部３０２の中心位置３０２−１を通り、辺部３０４−１、３０４−２に平行な直線に対して線対称に形成されている。このシール本体３００ａは、合成樹脂により形成されている。
【０１３５】
また、粘着部３００ｂは、円弧状部３０２の裏面に形成されている。また、剥離紙３００ｃは、粘着部３００ｂにおけるシール本体３００ａの反対側に粘着部３００ｂを被覆して設けられ、円弧状部３０２と同大同形状のシート状を呈している。
【０１３６】
また、近用シール３１０は、図９に示すように、シール本体（第２シール本体）３１０ａと、粘着部（第２粘着部）３１０ｂと、剥離紙（第２剥離紙）３１０ｃとから構成されている。
【０１３７】
ここで、シール本体３１０ａは、近用シール本体（本体部）３１１と、近用シール本体３１１と切目線を介して連設された目隠し用部材３２１とから構成されている。
【０１３８】
近用シール本体３１１は、円弧状部（第２円弧状部）３１２と、円弧状部３１２から連設された片部（第２片部）３１４とを有し、円弧状部３１２は、リング状（円環状）の一部を欠切した形状を有し、円弧状部３１２の中心３１２−１において円弧状部３１２の一方の端部から他方の端部までの角度範囲βは、２７０度よりも大きく３１０度よりも小さい角度（好適には、３００度）となっている。つまり、２７０度〜３１０度の角度範囲で円弧状で所定幅の帯状に形成されている。このようにリング状の一部を欠切した形状とすることにより、図１２に示すように、遠用シール３００と近用シール３１０とを同時に眼鏡のレンズに貼着する際に、近用シール本体３１１が遠用シール３００のシール本体３００ａに大きく重ならないようにすることができる。なお、円弧状部３１２の周方向の両端部は、目隠し用部材３２１との境界が直線状になっていることから、円弧状部３０２とは異なり、中心３１２−１を通る放射状の直線に対して傾斜した直線となっている。
【０１３９】
また、片部３１４は、円弧状部３１２の周方向と端部に近い位置から帯状に突出して形成されていて、片部３１４の一方の辺部３１４−１と反対側の辺部３１４−２とは、略平行に形成されている。なお、この片部３１４は、円弧状部３１２の中心位置３１２−１を通り、辺部３１４−１、３１４−２に平行な直線に対して線対称に形成されている。このシール本体３１０ａは、合成樹脂により形成されている。
【０１４０】
また、目隠し用部材３２１は、円弧状部３１２の内側から近用シール本体３１１の切欠部から突出して形成されていて、円弧状部３１２の内側に設けられた円形状部３２２と、円形状部３２２から円弧状部３１２の切欠部を通って円弧状部３１２の外側に突出した片部３２４とを有している。
【０１４１】
ここで、円形状部３２２は、円弧状部３１２の内側にミシン目状の切目線を介して連設され、略円形を呈している。また、片部３２４は、円弧状部３２２の切欠部側から帯状に突出して形成されていて、片部３２４の一方の辺部３２４−１と反対側の辺部３２４−２とは、略平行に形成されている。なお、この片部３２４は、円弧状部３１２の中心位置３１２−１を通り、辺部３２４−１、３２４−２に平行な直線に対して線対称に形成されている。また、この片部３２４は、片部３１４に対して略直角に形成されている。なお、片部３２４は、円形状部３２２側において、円弧状部３１２とはミシン目状の切目線を介して連設されている。このシール本体３１０ａは、合成樹脂により形成されている。
【０１４２】
また、粘着部３１０ｂは、近用シール本体３１１の円弧状部３１２の裏面に形成されている。なお、目隠し用部材３２１には粘着部は形成されていない。また、剥離紙３１０ｃは、粘着部３１０ｂにおけるシール本体３１０ａの反対側に粘着部３１０ｂを被覆して設けられ、円弧状部３１２と同大同形状のシート状を呈している。
【０１４３】
なお、遠用シールと近用シールとは、それぞれ右眼用と左眼用とが用意されていて、遠用シール３００と近用シール３１０は、右眼側のレンズに貼着するものであり、左眼用のレンズに貼着する遠用シール４００は、図１０に示すように、遠用シール３００とは線対称に形成され、左眼用のレンズに貼着する近用シール４１０は、図１１に示すように、近用シール３１０とは線対称に形成されている。
【０１４４】
つまり、左眼用の遠用シール４００は、図１０に示すように、シール本体４００ａと、粘着部４００ｂと、剥離紙４００ｃとから構成され、シール本体４００ａは、円弧状部４０２と、円弧状部４０２から連設された片部４０４とを有している。各部の構成は、遠用シール３００の各部と線対称である以外は同様であるので、詳しい説明を省略する。
【０１４５】
また、左眼用の近用シール４１０は、図１１に示すように、シール本体４１０ａと、粘着部４１０ｂと、剥離紙４１０ｃとから構成され、シール本体４１０ａは、近用シール本体４１１と、近用シール本体４１１と切目線を介して連設された目隠し用部材４２１とから構成されている。近用シール本体４１１は、円弧状部４１２と、円弧状部４１２から連設された片部４１４とを有している。各部の構成は、近用シール３１０の各部と線対称である以外は同様であるので、詳しい説明を省略する。
【０１４６】
次に、眼鏡用測定具１と、遠用シール３００、４００と、近用シール３１０、４１０の使用状態について説明する。
【０１４７】
まず、眼鏡の購入者（被験者）が購入しようとする眼鏡５００（この場合の眼鏡５００は、レンズに度が入っていないサンプルである）を装着する。そして、眼鏡作成スタッフ等の操作者が、購入者が前方を見る状態で、図１２に示すように、レンズ５０２、５０４における購入者の瞳孔の位置の前側の位置（つまり、眼鏡の装着者が前方を見た場合に視線がレンズの前側の面と交差する位置）に遠用シール３００、４００を貼着する。厳密には、遠用シール３００、４００から剥離紙３００ｃ、４００ｃを除いて、眼鏡のレンズ５０２、５０４にそれぞれ貼着する。つまり、シール本体３００ａ、４００ａを粘着部を介して貼着する。
【０１４８】
また、購入者の前方の近い位置に目標物を配置し（例えば、購入者の前に位置するテーブル上に、購入者から３０ｃｍの位置に目標物を配置する）、購入者の一方の眼をふさいだ状態で、他方の眼で目標物を視認し、レンズにおいて、その他方の眼で目標物が視認できなくなる位置に近用シール３１０、４１０を貼着する。また、他方の眼をふさいだ状態で、一方の眼で目標物を視認し、レンズにおいて、その一方の眼で目標物を視認できなくなる位置に近用シール４１０を貼着する。すなわち、目隠し用部材３２１の円形状部３２２により目標物が視認できない状態にする。つまり、眼鏡の装着者が前方の近い位置を見る状態で、レンズ５０２、５０４における瞳孔の位置の前側の位置（眼鏡の装着者が前方の近い位置を見た場合に視線とレンズの前側の面と交差する位置）に近用シール４１０を貼着する。厳密には、近用シール３１０、４１０から剥離紙３１０ｃ、４１０ｃを除いて、図１２に示すように、シール本体３１０ａ、４１０ａを眼鏡のレンズ５０２、５０４に貼着する。つまり、シール本体３１０ａ、４１０ａを粘着部を介して貼着する。
【０１４９】
遠用シールと近用シールを貼着したら、眼鏡５００を装着していた購入者から眼鏡５００を外して、図１３に示すように、左右の近用シール３１０、４１０のシール本体３１０ａ、４１０ａにおける目隠し用部材３２１、４２１を切目線を介して取り除く。
【０１５０】
そして、遠用シール３００、４００のシール本体３００ａ、４００ａと、近用シール３１０、４１０の近用シール本体３１１、４１１が貼られた状態の眼鏡を用いて、以下の測定を行う。
【０１５１】
すなわち、まず、平行保持部３０を用いて、瞳孔間距離を測定する。つまり、図１４に示すように、遠用シール３００、４００のシール本体３００ａ、４００ａの円弧状部３０２、４０２の中心位置に、アーム部４２をホルダ４０に対してスライドさせて、レンズ当接部５０ａ、５０ｂを当接させて、アーム部４２の目盛り４５を表示部５２の位置で読み取ることにより、遠用位置の瞳孔間距離が測定される。
【０１５２】
同様に、近用シール３１０、４１０の近用シール本体３１１、４１１の円弧状部３１２、４１２の中心位置に、アーム部４２をホルダ４０に対してスライドさせて、レンズ当接部５０ａ、５０ｂを当接させて、アーム部４２の目盛り４５を表示部５２の位置で読み取ることにより、近用位置の瞳孔間距離が測定される。
【０１５３】
また、平行保持部３０を用いて、眼鏡の中心位置と瞳孔の間の距離を測定する。つまり、遠用位置における眼鏡の中心位置と瞳孔の間の距離については、遠用シール３００、４００のシール本体３００ａ、４００ａの円弧状部３０２、４０２の中心位置に、アーム部４２をホルダ４０に対してスライドさせて、レンズ当接部５０ａ、５０ｂを当接させ、さらに、中央位置特定部６０のアーム部６４をホルダ６２に対してスライドさせて、突状部６４ｂを眼鏡の横方向における中心位置に配置し、アーム４２の目盛り４５と突状部６４ｂの位置により眼鏡の中心位置と瞳孔の間の距離を読み取る。つまり、眼鏡の中心位置と右眼の瞳孔の間の距離については、レンズ当接部５０ｂの中心位置から突状部６４ｂまでの長さを読み取り、眼鏡の中心位置と左眼の瞳孔の間の距離については、レンズ当接部５０ａの中心位置から突状部６４ｂまでの長さを読み取る。
【０１５４】
近用位置における眼鏡の中心位置と瞳孔の間の距離については、同様の方法により測定を行う。すなわち、近用シール３１０、４１０の近用シール本体３１１、４１１の円弧状部３１２、４１２の中心位置に、アーム部４２をホルダ４０に対してスライドさせて、レンズ当接部５０ａ、５０ｂを当接させ、さらに、中央位置特定部６０のアーム部６４をホルダ６２に対してスライドさせて、突状部６４ｂを眼鏡の横方向における中心位置に配置し、アーム４２の目盛り４５と突状部６４ｂの位置により眼鏡の中心位置と瞳孔の間の距離を読み取る。
【０１５５】
なお、第１主尺１００と第２主尺１１０を用いることにより、以下のような測定を行うことができる。つまり、遠用シール３００、４００のシール本体３００ａ、４００ａと、近用シール３１０、４１０の近用シール本体３１１、４１１が貼られた状態の眼鏡を用いて以下のような測定を行うことできる。
【０１５６】
つまり、図１５に示すように、第１主尺１００の円形板部１０６を遠用シール３００のシール本体３００ａの円弧状部３０２内に配置して、主尺本体１０２を眼鏡の縦方向（つまり、眼鏡の横方向（例えば、右側のフレームの上端と左側のフレームの上端を結ぶ方向）に対して直角の方向）に配置して、レンズ５０２の下端位置の主尺本体１０２の目盛りを読むことにより、遠用位置の瞳孔位置とレンズ５０２の下端間の距離を測定することができる。同様に、第１主尺１００の円形板部１０６を近用シール３１０の近用シール本体３１１の円弧状部３１２内に配置して、主尺本体１０２を眼鏡に対して垂直に配置して、レンズ５０２の下端位置の主尺本体１０２の目盛りを読むことにより、近用位置の瞳孔位置とレンズ５０２の下端間の距離を測定することができる。なお、レンズ５０２の下端ではなく、レンズ５０２の上端との間の長さを測定してもよい。なお、第１主尺１００の代わりに、第２主尺１１０を用いてもよい。また、左眼用のレンズ５０４についても同様に、測定を行う。
【０１５７】
また、図１６に示すように、第１主尺１００の円形板部１０６を遠用シール３００のシール本体３００ａの円弧状部３０２内に配置し、主尺本体１０２を眼鏡の縦方向に配置するとともに、第２主尺１１０の円形板部１１６を近用シール本体３１１の円弧状部３１２内に配置し、主尺本体１１２を眼鏡に対して横方向に配置して、主尺本体１０２と主尺本体１１２とを互いに直角にする。そして、主尺本体１１２の目盛りを読むことにより、遠用位置の瞳孔中心と近用位置の瞳孔中心の間の横方向の距離（内寄せ距離）Ｎ１を測定することができる。また、主尺本体１０２の目盛りを読むことにより、遠用位置の瞳孔中心と近用位置の瞳孔中心の間の縦方向の距離（累進帯距離）Ｎ２を測定することができる。なお、図１６において、第１主尺１００と第２主尺１１０とを逆にしてもよい。また、左眼用のレンズ５０４についても同様に、測定を行う。
【０１５８】
また、図１７に示すように、第１主尺１００の主尺本体１０２を眼鏡５００のブリッジ５０６に沿って横方向に配置し、第２主尺１１０の主尺本体１１２を主尺本体１０２に対して直角方向でブリッジ５０６の長さＮ３の中間位置に配置する。つまり、主尺本体１１２の目盛りが設けられている側を長さＮ３の中間位置（つまり、ブリッジ５０６の一方の端部から中間位置まので長さＮ４とブリッジ５０６の他方の端部と中間位置までの長さＮ５が等しい位置）に配置する。なお、第１主尺１００を移動させやすくするために、第２主尺１１０は、第１主尺１００とブリッジ５０６の間に配置するのが好ましい。
【０１５９】
その後、第１主尺１００を移動させて、第１主尺１００の円形板部１０６を近用シール本体３１１の円弧状部３１２内に配置し、主尺本体１０２を眼鏡に対して横方向に配置して、主尺本体１０２と主尺本体１１２とを互いに直角にする。そして、主尺本体１０２の目盛りを読むことにより近用位置の瞳孔中心と眼鏡５００の横方向の中心位置の間の長さＮ６を測定することができる。なお、第１主尺１００の円形板部１０６を遠用シール３００のシール本体３００ａの円弧状部３０２内に配置し、主尺本体１０２と主尺本体１１２とを互いに直角にして、主尺本体１０２の目盛りを読むことにより遠用位置の瞳孔中心と眼鏡５００の中心位置の間の長さを測定することができる。なお、図１７において、第１主尺１００と第２主尺１１０とを逆にしてもよい。また、左眼用のレンズ５０４についても同様に、測定を行う。
【０１６０】
また、レンズに度が入った検査用眼鏡６００において、レンズ・瞳間距離を測定する。すなわち、まず、上記と同様の方法で遠用シール３００、４００と近用シール３１０、４１０を貼着する。
【０１６１】
この検査用眼鏡６００は、図１８に示すように、フレーム部６０２と、フレーム部６０２の前枠部６０４に挿脱可能なレンズ６１２ａ〜６１２ｃ、６１４ａ〜６１４ｃとからなり、フレーム部６０２は、装着者の顔の正面に位置する前枠部６０４と、前枠部６０４の右側の端部から前枠部６０４に対して回動可能に設けられたテンプル部６０６と、前枠部６０４の左側の端部から前枠部６０４に対して回動可能に設けられたテンプル部６０８とを有している。なお、厳密には、前枠部６０４とテンプル部６０６間には、智（智部としてもよい）６０９が設けられている。つまり、智６０９は、前枠部６０４の右側の端部と左側の端部に固定され、テンプル部６０６、６０８は、智６０９に対して回動自在に形成されている。
【０１６２】
また、前枠部６０４の右眼に対応する位置には、レンズを装着するための複数のポケットが設けられ、具体的には、前方から後方に向けて、右側第１ポケット、右側第２ポケット、右側第３ポケットが設けられている。同様に、前枠部６０４の左眼に対応する位置には、レンズを装着するための複数のポケットが設けられ、具体的には、前方から後方に向けて、左側第１ポケット、左側第２ポケット、左側第３ポケットが設けられている。
【０１６３】
また、レンズ６１２ａ〜６１２ｃは、前枠部６０４に設けられた各ポケットに挿脱されるものであり、図１８においては、レンズ６１２ａは右側第１ポケットに装着され、レンズ６１２ｂは右側第２ポケットに装着され、レンズ６１２ｃは右側第３ポケットに装着されている。また、レンズ６１２ａ〜６１２ｃにおける各レンズは、互いに略平行に装着されている。
【０１６４】
また、レンズ６１４ａ〜６１４ｃは、前枠部６０４に設けられた各ポケットに挿脱されるものであり、図１８においては、レンズ６１４ａは左側第１ポケットに装着され、レンズ６１４ｂは左側第２ポケットに装着され、レンズ６１４ｃは左側第３ポケットに装着されている。また、レンズ６１４ａ〜６１４ｃにおける各レンズは、互いに略平行に装着されている。
【０１６５】
なお、遠用シール３００（厳密には、剥離紙３００ｃを除いた遠用シール３００）と近用シール３１０（厳密には、剥離紙３１０ｃを除いた近用シール３１０）は、レンズ６１２ａの前面側に貼着し、遠用シール４００（厳密には、剥離紙４００ｃを除いた遠用シール４００）と近用シール４１０（厳密には、剥離紙４１０ｃを除いた近用シール４１０）は、レンズ６１４ａの前面側に貼着する。
【０１６６】
遠用シールと近用シールを貼着したら、検査用眼鏡６００を装着していた購入者から眼鏡を外して、左右の近用シール３１０、４１０のシール本体３１０ａ、４１０ａにおける目隠し用部材３２１、４２１を切目線を介して取り除く。
【０１６７】
そして、レンズ・瞳間距離の測定を行う。すなわち、レンズの厚みの測定を行ない、その後、レンズ・瞳間距離を測定するのであるが、左眼用の眼鏡用測定具と右眼用の眼鏡用測定具のそれぞれを用いて測定を行う。つまり、左眼用の眼鏡用測定具１を用いて、遠用位置と近用位置のレンズの厚みを測定し、その後、遠用位置と近用位置のレンズ・瞳間距離を測定するとともに、右眼用の眼鏡用測定具を用いて、遠用位置と近用位置のレンズの厚みを測定し、その後、遠用位置と近用位置のレンズ・瞳間距離を測定する。
【０１６８】
まず、予め、スライド板部２３０を正面側（Ｙ１側）にスライドさせておいて、スライド板部２３０の切欠部２３２ａをデータ保持部材１２０（つまり、柱状部１２４）に係止させておく。そして、左眼用の眼鏡用測定具により測定を行う。すなわち、左眼側のレンズの遠用シール４００の位置と近用シール４１０の位置のレンズの厚みを測定する。レンズの厚みの測定に当たっては、検査用眼鏡を装着していない状態で行う。
【０１６９】
つまり、図１８に示すように、２つのレッグ部２０、２８０により眼鏡のレンズを挟んだ状態としてレンズの厚みを測定する。つまり、レッグ部２０の突状部２４の先端をレンズ６１４ａの一方の面に当接させるとともに、レッグ部２８０の突状部２８４の先端をレンズ６１４ｃの他方の面に当接させることにより、操作部２００は、２つの突状部２４，２８４とが互いに当接した状態（この状態では、操作部２００は、固定部７０に対して最も左側面側に位置し、図２０（ａ）に示す状態となる。操作部２００が固定部７０に対して最も左側面側となる位置を「原点位置」とする。）に対して、右側面側にスライドした位置となり、操作部２００が右方向にスライドしたのに合わせて、第１主尺１００（又は第２主尺１１０）を右方向にスライドさせて操作部２００の左側面に当接させる。
【０１７０】
上記の作業を遠用シール４００と近用シール４１０のそれぞれについて行う。つまり、遠用位置については、遠用シール４００のシール本体４００ａの円弧状部４０２の中心位置にレッグ部２０の突状部２４の先端とレッグ部２８０の突状部２８４の先端を接触させて（第１挟み工程）、操作部２００が固定部７０に対して原点位置から移動した分だけ第１主尺１００を移動させて第１主尺１００（特に、板状部１０４の右側面側の端部）を操作部２００（特に、上側構成部２１４の左側面側の端部）に当接させる（主尺第１スライド工程）。また、近用位置についても同様に、近用シール４１０のシール本体４１０ａにおける近用シール本体４１１の円弧状部４１２の中心位置にレッグ部２０の突状部２４の先端とレッグ部２８０の突状部２８４の先端を接触させて（第２挟み工程）、操作部２００が固定部７０に対して原点位置から移動した分だけ第２主尺１１０を移動させて第２主尺１１０（特に、板状部１１４の右側面側の端部）を操作部２００（特に、上側構成部２１４の左側面側の端部）に当接させる（主尺第２スライド工程）。
【０１７１】
以上のようにして、第１主尺１００と第２主尺１１０とを操作部２００に当接させた状態は図２０（ｂ）に示すようになる。
【０１７２】
なお、近視用レンズ等のように、近用位置のレンズの厚みが遠用位置のレンズの厚み以上の厚みである場合には、遠用位置のレンズの厚みを測定して第１主尺１００をスライドさせた後に、近用位置のレンズの厚みを測定した場合でも、操作部２００が第１主尺１００の板状部１０４を原点位置側（左側面側）に押してしまって、第１主尺１００を原点位置側に移動させてしまうことがない。
【０１７３】
一方、遠視用レンズ等のように、遠用シール４００の位置のレンズ厚よりも近用シール４１０の位置のレンズ厚の方が薄い場合には、遠用位置のレンズ厚を測定した後に近用位置のレンズ厚を測定すると、第１主尺１００が左側に移動してしまうため、近用シール４１０の位置のレンズ厚の方が薄い場合には、近用シール４１０の位置のレンズ厚を先に測定し（つまり、第２主尺１１０をスライドさせる）、その後、遠用シール４００の位置のレンズ厚を測定する（つまり、第１主尺１００をスライドさせる）。
【０１７４】
以上のようにすることにより、第１主尺１００と第２主尺１１０の位置により遠用位置と近用位置のレンズの厚みが保持されたことになる。
【０１７５】
なお、上記の説明においては、遠用位置に第１主尺１００を対応させ、近用位置に第２主尺１１０を対応させたが、遠用位置と近用位置とにおいて、レンズ厚の薄い方に第１主尺１００を対応させ、レンズ厚の厚い方に第２主尺１１０を対応させて、第１主尺１００をスライドさせた後に第２主尺１１０をスライドさせてもよい。また、第１主尺１００を近用位置に対応させ、第２主尺１１０を遠用位置に対応させて、近用位置のレンズの厚みが遠用位置のレンズの厚み以上の厚みである場合には、第２主尺１１０をスライドさせた後に第１主尺１００をスライドさせ、一方、遠用位置のレンズの厚みが近用位置のレンズの厚み以上の厚みである場合には、第１主尺１００をスライドさせた後に第２主尺１１０をスライドさせてもよい。
【０１７６】
その後、再び眼鏡を購入者に装着して、遠用位置と近用位置のそれぞれについてレンズ・瞳間距離を測定する。なお、データ保持部材１２０によりデータを保持し、表示部１２６ａが第２主尺１１０の目盛りに示す値を保持しておく関係から、遠用位置と近用位置とにおいて第２主尺１１０に対応した方を先に計測する。
【０１７７】
すなわち、上記の例では第２主尺１１０は近用位置に対応しているので、まず、近用位置のレンズ・瞳間距離を測定する。つまり、近用位置のレンズ・瞳間距離については、レンズ当接部５０ａ、５０ｂを２つの近用シール４１０の近用シール本体４１１の円弧状部４１２の中心位置（遠用位置と近用位置において第２主尺が対応する位置）にそれぞれ当接させた状態で、操作者が操作部２００の正面構成部２７０の覗き窓２７４を覗き込んで、覗き窓２７４、２４６を瞳の頂点（レンズ側の頂点）に一致するまで操作部２００をスライドさせる（操作部第１スライド工程）。つまり、覗き窓２７４、２４６と瞳の頂点とが一致する状態にする。
【０１７８】
ここで、覗き窓２７４、２４６と瞳の頂点とが一致する状態とは、図１９に示すように、覗き窓２４６における凹凸部２５０の直線部２５０ｃ（特に、直線部２５０ｃと直線部２４８ｂ−１とが接する点）が瞳Ｗの頂点に接し、かつ、覗き窓２４６の表示部２４７が覗き窓２７４内で覗き窓２７４の中心に位置する状態をいう。なお、覗き窓２４６の表示部２４７が覗き窓２７４内で覗き窓２７４の中心に位置する場合には、表示部２５１が表示部２７６内の上下左右に均等の位置に見ることができるので、表示部２５１が表示部２７６内の上下左右に均等の位置に見ることができるか否かで、覗き窓２４６の表示部２４７が覗き窓２７４内で覗き窓２７４の中心に位置するか否かを確認することができる。
【０１７９】
そして、覗き窓２７４、２４６と、瞳の頂点とが一致する位置で操作部２００のスライドを停止させて図２０（ｃ）に示す状態とし、その位置の第２主尺１１０の目盛りに対して表示部２２８、１２６ａが示す位置が近用位置のレンズ・瞳間距離となる。図２０（ｃ）の例では、αが近用位置のレンズ・瞳間距離となる。なお、水平挟設部２１０やスライド板部２３０は、透明な部材により形成されているので、スライド板部２３０や水平挟設部２１０を通して、第２主尺１１０の目盛りを読むのに支障はない。
【０１８０】
その後、図２１（ｄ）に示すように、スライド板部２３０を背面側にスライドさせて、スライド板部２３０の切欠部２３２ａのデータ保持部材１２０（つまり、柱状部１２４）への係止を解除する（係止解除工程）。これにより、近用位置のレンズ・瞳間距離のデータを保持することができる。つまり、スライド板部２３０の切欠部２３２ａのデータ保持部材１２０への係止を解除することにより、その後に、操作部２００を固定部７０に対してスライドさせても、データ保持部材１２０は移動しないので、データ保持部材１２０の表示部１２６ａが第２主尺１１０の目盛りに示す値を読み取ることにより（読取り工程）、近用位置のレンズ・瞳間距離を確認することができる。
【０１８１】
次に、遠用位置のレンズ・瞳間距離を測定する。測定の方法は、上記の近用位置のレンズ・瞳間距離の測定と同様であり、レンズ当接部５０ａ、５０ｂを２つの遠用シール４００の円弧状部４０２の中心位置（遠用位置と近用位置において第１主尺が対応する位置）にそれぞれ当接させた状態で、操作者が操作部２００の正面構成部２７０の覗き窓２７４を覗き込んで、覗き窓２７４、２４６を瞳の頂点（レンズ側の頂点）に一致するまで操作部２００をスライドさせる（操作部第２スライド工程）。
【０１８２】
そして、覗き窓２７４、２４６と、瞳の頂点とが一致する位置で操作部２００のスライドを停止させて図２１（ｅ）に示す状態とし、その位置の第１主尺１００の目盛りに対して表示部２２８が示す位置を読み取ることにより（読取り工程）、遠用位置のレンズ・瞳間距離を確認することができる。図２１（ｅ）は、図２１（ｄ）の状態に対して操作部２００を若干（図２１（ｅ）に示すγ分だけ）右側面側に移動した例を示している。図２１（ｅ）の例では、βが遠用位置のレンズ・瞳間距離となる。なお、水平挟設部２１０やスライド板部２３０は、透明な部材により形成されているので、スライド板部２３０や水平挟設部２１０を通して、第１主尺１００の目盛りを読むのに支障はない。また、データ保持部材１２０の表示部１２６ａが第２主尺１１０の目盛りに示す値を読み取ることにより（読取り工程）、近用位置のレンズ・瞳間距離を確認することができる。
【０１８３】
なお、遠用位置におけるレンズの厚みとレンズ・瞳間距離の和が、近用位置におけるレンズの厚みとレンズ・瞳間距離の和よりも小さい場合には、図２１（ｄ）の状態に対して、操作部２００が左側面側に移動することも考えられるが、スライド板部２３０に切欠部２３２ｂが設けられ、切欠部２１８の右側の端部位置が切欠部２３２ｂの右側の端部位置にまで形成されている（つまり、上側構成部２１４に設けられた切欠部２１８は平面視において切欠部２３２ｂの領域にも形成されている）ので、操作部２００を固定部７０に対して左側面側に移動させてもデータ保持部材１２０が、スライド板部２３０や水平挟設部２１０に押されて左側面側に移動してしまうことがない。
【０１８４】
なお、第２主尺１１０が遠用位置に対応し、第１主尺が近用位置に対応している場合には、まず、遠用位置のレンズ・瞳間距離を測定し、その後、近用位置のレンズ・瞳間距離を測定する。
【０１８５】
以上のように、左眼用のレンズについて、レンズ・瞳間距離の測定が行われるが、同様に、右眼用の眼鏡用測定具を用いて、上記と同様に、右眼用のレンズについてレンズ・瞳間距離の測定を行う。つまり、遠用位置と近用位置におけるレンズの厚みを測定した後に、操作部を固定部に対してスライドさせてレンズ・瞳間距離を測定する。
【０１８６】
なお、レンズ・瞳間距離は１２ｍｍが適当であるとされている。つまり、１２ｍｍよりも長いと、眼鏡の装着者にとってレンズの屈折度がプラス側にずれて、近視が弱く、遠視が強く感じ、１２ｍｍよりも近いと、眼鏡の装着者にとってレンズの屈折度がマイナス側にずれて、近視が強く、遠視が弱く感じられるため、レンズ・瞳間距離は１２ｍｍが適当であるとされている。よって、検査用眼鏡６００を用いたレンズ・瞳間距離の測定によって、１２ｍｍからずれている場合には、１２ｍｍになるように検査用眼鏡６００を調整してから他の測定（レンズの度数の測定等）をするのが好ましい。
【０１８７】
なお、レンズ・瞳間距離の測定に際しては、傾斜角度測定部２５２において、眼鏡用測定具１が水平方向に対する傾斜角度を測定しておき、その傾斜角度のデータを記録しておく。つまり、傾斜角度測定部２５２によれば、眼鏡用測定具１の左右方向における傾斜角度を測定できるので、レンズ当接部５０ａ、５０ｂを遠用位置に当接させた際の傾斜角度と近用位置に当接させた際の傾斜角度を測定して記録しておき、できあがった眼鏡の調整時にそのデータを用いる。
【０１８８】
なお、レンズ・瞳間距離を測定するに当たり、レンズ当接部５０ａ、５０ｂを２つの遠用シール４００の円弧状部４０２の中心位置や、２つの近用シール４１０の近用シール本体４１１の円弧状部４１２の中心位置にそれぞれ当接させるとしたが、平行保持部３０を眼鏡の横方向と平行に保つために、左右一対の円弧状部４０２（４１２）における一方のレンズの円弧状部４０２（４１２）と眼鏡の中心までの距離を測定し、他方のレンズについては、眼鏡の中心位置から該距離と等距離の位置にレンズ当接部を当接させることにより、眼鏡の中心位置から等距離の位置にレンズ当接部５０ａ、５０ｂを当接させることができ、その状態で、レンズ・瞳間距離を測定してもよい。つまり、この場合には、一対の遠用位置や近用位置にレンズ当接部５０ａ、５０ｂを当接させるのではなく、シールにより特定された左右一対の遠用位置や近用位置において、一方にはレンズ当接部を当接させるが、他方については、該レンズ当接部が当接した位置と眼鏡の中心位置の距離と同じ長さの位置にレンズ当接部を当接させるのであり、これにより、眼鏡の左右方向に対して正確に直角な方向において、レンズ・瞳間距離を測定することができる。
【０１８９】
以上のように測定された「瞳孔間距離」のデータや、「眼鏡の中心位置と瞳孔の間の距離」のデータや、「レンズ・瞳間距離」のデータを用いて、眼鏡を作成する。なお、当然他の検査に基づくデータも用いて眼鏡を作成することになる。
【０１９０】
次に、購入者用に製造された眼鏡（この眼鏡のレンズには度が入っている）を購入者に装着してもらい、眼鏡用測定具１により、以下のように、レンズ・瞳間距離を測定した後に眼鏡の調整を行う。
【０１９１】
すなわち、上記と同様の方法で遠用シール３００、４００と近用シール３１０、４１０を貼着する。
【０１９２】
遠用シールと近用シールを貼着したら、眼鏡を装着していた購入者から眼鏡を外して、左右の近用シール３１０、４１０のシール本体３１０ａ、４１０ａにおける目隠し用部材３２１、４２１を切目線を介して取り除く。
【０１９３】
なお、眼鏡の購入者（被験者）が購入しようとする眼鏡５００（レンズに度が入っていないもの）を装着して測定した記録があるので、その記録と比較して、遠用シールや近用シールの位置を修正するのが好ましい。つまり、図１５に示すように、遠用位置や近用位置から眼鏡の下端や上端までに距離のデータや、図１６に示すように、遠用位置の瞳孔中心と近用位置の瞳孔中心の間の縦方向や横方向の距離のデータや、図１７に示すように、近用位置や遠用位置の瞳孔中心と眼鏡の横方向の中心位置の間の長さのデータが記録されているので、これらの記録に基づき遠用シールや近用シールの位置を調整する。
【０１９４】
また、眼鏡の購入者（被験者）が購入しようとする眼鏡５００（レンズに度が入っていないもの）を装着して測定した記録に基づいて、遠用シールや近用シールを貼着してもよい。
【０１９５】
また、傾斜角度測定部２５２により遠用位置と近用位置の傾斜角度を測定して、眼鏡の購入者（被験者）が購入しようとする眼鏡５００（レンズに度が入っていないもの）を装着して測定した傾斜角度のデータと比較して、遠用シールや近用シールの位置をチェックするのが好ましい。
【０１９６】
そして、レンズ・瞳間距離の測定を行う。すなわち、左眼用の眼鏡用測定具１を用いて、遠用位置と近用位置のレンズの厚みを測定し、その後、遠用位置と近用位置のレンズ・瞳間距離を測定するとともに、右眼用の眼鏡用測定具を用いて、遠用位置と近用位置のレンズの厚みを測定し、その後、遠用位置と近用位置のレンズ・瞳間距離を測定する。右眼用のレンズについても、右眼用の眼鏡用測定具２を用いて同様に測定する。
【０１９７】
レンズの厚みの測定の方法や、レンズ・瞳間距離の測定の方法は、上記のレンズに度が入った検査用眼鏡におけるレンズ・瞳間距離の測定と同様であるので、詳しい説明を省略する。
【０１９８】
そして、測定されたレンズ・瞳間距離と、検査用眼鏡を装着して測定されたレンズ・瞳間距離とを比較して、レンズ・瞳間距離が等しいか否かをチェックし、等しくない場合には、レンズ・瞳間距離が検査用眼鏡を装着して測定されたレンズ・瞳間距離と同一となるように、眼鏡のフレームの形状（例えば、鼻当てやテンプル等の形状）を調整する。特に、検査用眼鏡を装着して測定した際に、レンズ・瞳間距離を１２ｍｍとした場合には、レンズ・瞳間距離が約１２ｍｍとなっているか否かを確認することにより、眼鏡が正しく装着されているか否かを確認し、約１２ｍｍから離れている場合には、眼鏡のつるの形状の曲げ具合を調整したり、眼鏡の鼻当ての箇所を調整する等して、レンズ・瞳間距離が約１２ｍｍとなるようにする。
【０１９９】
なお、上記の説明では、検査用眼鏡を装着した際に測定したレンズ・瞳間距離と、顧客用に製造された眼鏡を装着した際のレンズ・瞳間距離とを同一にすることにより、検査用眼鏡において調整した状況を再現するものとして説明したが、検査用眼鏡を装着した際にレンズ・瞳間距離を測定しなくても、購入者用に製造された眼鏡（この眼鏡のレンズには度が入っている）についてレンズ・瞳間距離が約１２ｍｍとなっているかを測定して、約１２ｍｍから離れている場合には、眼鏡のつるの形状の曲げ具合を調整したり、眼鏡の鼻当ての箇所を調整する等して、レンズ・瞳間距離が約１２ｍｍとなるようにしてもよい。
【０２００】
以上のように、本実施例の眼鏡用測定具１や眼鏡用測定具２によれば、レンズの厚みに応じて、第１主尺１００や第２主尺１１０をスライドさせておき、その後、操作部２００をスライドさせて、覗き窓２７４、２４６と瞳の頂点とが一致する状態にして、レンズ・瞳間距離を測定するので、レンズ・瞳間距離を正確に測定することができる。また、スライド板部２３０のデータ保持部材１２０への係止を解除することにより、データ保持部材に測定したレンズ・瞳間距離を保持させておくことができ、遠用位置のレンズ・瞳間距離と近用位置のレンズ・瞳間距離を同時に測定することができる。
【０２０１】
また、特に、検査用眼鏡を装着した際に測定したレンズ・瞳間距離と、顧客用に製造された眼鏡を装着した際のレンズ・瞳間距離とを同一にすることにより、検査用眼鏡において調整した状況を再現して、最適な眼鏡を製造することができる。特に、検査用眼鏡においてレンズ・瞳間距離を１２ｍｍに調整して、レンズの度数等を調整し、製造された眼鏡においてレンズ・瞳間距離を１２ｍｍにすることにより、適切な眼鏡を製造することが可能となる。
【０２０２】
また、前後方向にレンズを移動させることができる眼鏡を製造する際には、レンズ・瞳間距離の長さに応じた見え具合のデータを記録し、そのデータに基づいて眼鏡を製造する必要があるので、前後方向にレンズを移動させることができる眼鏡の製造に大きく寄与することができる。
【０２０３】
また、本実施例における遠用シール３００、４００と近用シール３１０、４１０によれば、眼鏡を装着した際の装着者の眼の遠用位置と近用位置に各シールを貼ることにより、遠用位置と近用位置を正確に把握することができ、遠用位置のレンズ・瞳間距離や近用位置のレンズ・瞳間距離を測定するに当たり、遠用シール３００、４００や近用シール３１０、４１０の位置にレンズ当接部５０ａ、５０ｂを当接させることにより、正確に遠用位置と近用位置のレンズ・瞳間距離を測定することができる。つまり、遠用シールや近用シールは、レンズ・瞳間距離を正確に測定するために大きく寄与することができる。
【０２０４】
また、瞳孔間距離や眼鏡の中心位置と瞳孔の間の距離を測定する際にも、遠用シール３００、４００や近用シール３１０、４１０の位置にレンズ当接部５０ａ、５０ｂを当接させることにより、正確に測定することができ、遠用シールや近用シールは、瞳孔間距離や眼鏡の中心位置と瞳孔の間の距離を正確に測定するために大きく寄与することができる。
【０２０５】
また、第１主尺１００や第２主尺１１０は、図１５から図１７に示すように、各種測定を行うために利用することができる。つまり、第１主尺１００や第２主尺１１０は、図１５から図１７に示すように、遠用シールや近用シールとともに使用することにより、眼鏡における各種データを取得するのに寄与することができる。
【０２０６】
なお、本体部５や操作部２００は、透明の部材により構成されているとしたが、目盛りが視認可能な程度に半透明の部材により構成されているものとしてもよい。つまり、上記の説明で、透明な部材としたものについては、半透明な部材としてもよい。
【０２０７】
なお、上記の説明において、検査用眼鏡６００を装着した状態でレンズ・瞳間距離を測定するに際して、眼鏡用測定具１を使用してレンズ・瞳間距離を測定するとして説明したが、図２２、図２３に示すような測定具６１０、６８０を用いてもよい。
【０２０８】
すなわち、測定具６１０は、検査用眼鏡６００のテンプル部６０８の外側面の前方端部に設けられ、ホルダ６１２と、スライド目盛り部６３０とを有している。なお、測定部６１０を智６０９の側方の外面に取り付けてもよい。
【０２０９】
ホルダ６１２は、四角筒状の１つの側面に帯状の切欠きを設けた形状を呈し、帯状の板状部６１４と、板状部６１４の一方の長手辺に沿って板状部６１４から直角に立設して設けられた板状部６１６と、板状部６１４の他方の長手辺に沿って板状部６１４から直角に立設して設けられた板状部６１８と、板状部６１６の板状部６１４とは反対側の端部から板状部６１２側に向けて板状部６１４と平行に設けられた板状部６２０と、板状部６１８の板状部６１４とは反対側の端部から板状部６１６側に向けて板状部６１４と平行に設けられた板状部６２２とを有し、板状部６２０と板状部６２２間には隙間が形成されている。板状部６２０と板状部６２２間の隙間は、係合部６４０の幅狭部６４２の幅以上の幅に形成されている。
【０２１０】
また、スライド目盛り部６３０は、ホルダ６１２に嵌合した状態でスライドするものであり、本体部６３２と、本体部６３２の裏面に設けられた係合部６４０とを有している。
【０２１１】
ここで、本体部６３２は、長手方向（スライド目盛り部６３０のスライド方向）に沿って目盛り６３３が表示された板状部６３４と、板状部６３４の一方の長手辺の一方の端部側から突設された突設部６３６と、板状部６３４の他方の長手辺の一方の端部側から突設された突設部６３８とを有しており、突設部６３６と突設部６３８とは長方形状の板状部材を略コ字状に折曲した形状を呈している。つまり、突設部６３６は、板状部６３４と面一に形成された四角形状の板状部６３６ａと、板状部６３６ａの板状部６３４とは反対側の辺部から直角に形成された四角形状の板状部６３６ｂと、板状部６３６ｂの板状部６３６ａと反対側の辺部から突設部６３８側に板状部６３６ａと平行に形成された板状部６３６ｃとを有している。また、突設部６３８は、突設部６３６と対称に形成されている点以外は同様の構成であるので、詳しい説明を省略する。つまり、突設部６３８は、板状部６３８ａと板状部６３８ｂと板状部６３８ｃとを有している。
【０２１２】
なお、板状部６３６ｃと板状部６３８ｃの外側の面には、板状部６３４に設けられた目盛りを示す線と平行な直線からなる表示部が設けられている。つまり、板状部６３６ｃには直線状の表示部６３７−１が設けられ、板状部６３８ｃには直線状の表示部６３７−２が設けられている。なお、表示部６３７−１と表示部６３７−２とは同一直線上に形成されている。
【０２１３】
また、表示部６３７−１を板状部６３６ｃに対して直角に見た場合や、表示部６３７−２を板状部６３８ｃに対して直角に見た場合には、目盛り６３３における端部の直線６３３−１（突設部６３６、６３８側の端部の直線）と板状部６３６ｃ、６３８ｃとが重なるように形成されている。
【０２１４】
また、係合部６４０は、断面略凸状の板状を呈し、長方形状の幅狭部６４２と、長方形状の板状部６４４とを積層した形状を呈し、板状部６４４の幅（短手方向の幅）は、ホルダ６１２における板状部６１６と板状部６１８間の間隔以下の長さに形成されている。また、幅狭部６４２の厚みは、板状部６２０、６２２の厚みよりも厚く形成されている。
【０２１５】
ホルダ６１２の板状部６１４の裏面側が、テンプル部６０８の外側の面に接着等により固定されている。
【０２１６】
また、測定具６８０は、検査用眼鏡６００のテンプル部６０６の外側面の前方端部に設けられいて、測定具６１０と線対称（厳密には、面対称）に形成されている点以外は同一の構成であるので、詳しい説明を省略する。
【０２１７】
測定具６１０、６８０の使用方法について説明する。測定具６１０と測定具６８０の使用方法は同じであるので、測定具６１０を例にとって説明する。
【０２１８】
検査用眼鏡６００を装着した状態で、スライド目盛り部６３０をホルダ６１２に対してスライドさせて、表示部６３７−１、６３７−２と直線６３３−１とが重なった状態で、該直線６３３−１が瞳の頂点に接するようにする。つまり、直線６３３−１（目盛りの基点）の位置を測定しやすい位置に移動させる。その状態で、視線を横方向にスライドさせてレンズ６１４ｃの内側の面の位置の目盛りを読み取る。この目盛りに示された数値がレンズ６１４ｃと瞳間の距離となる。測定具６８０の使用方法は測定具６１０と同様であるので、詳しい説明を省略する。
【０２１９】
なお、この実施例１においても、実施例２と同様に、眼鏡の購入者（被験者）が購入しようとする眼鏡５００（この場合の眼鏡５００には、度が入っていないサンプルレンズが装着されている）を装着した状態で、レンズ・瞳間距離（特に、遠用位置のレンズ・瞳間距離）を測定し、検査用眼鏡による測定によりレンズの度数が決定し、決定された度数等に従いとレンズ（購入者が実際に購入する眼鏡）の厚みが決定されるので、この決定されたレンズの厚みとサンプルレンズの厚みとを比較して、購入しようとする眼鏡に度入りのレンズを装着した際にレンズ・瞳間距離が１２ｍｍとなるように、眼鏡のフレームの形状（例えば、鼻当てやテンプル等の形状）を調整するようにするのが好ましい。
【実施例２】
【０２２０】
次に、実施例２の眼鏡用測定具について説明する。実施例２に基づく眼鏡用測定具３は、図２４〜図２８に示すように構成され、本体部５と、操作部２００とを有しており、操作部２００が本体部５に対してスライドするように構成されている。
【０２２１】
本体部５は、図２４、図２５に示すように構成され、平面視で略Ｔ字状を呈し、中央板部１０と、レッグ部２０と、平行保持部３０と、固定部７０と、第１主尺１００と、第２主尺１１０とを有している。この本体部５は、一部の部材（例えば、平行保持部３０における上面部４０ｇとＬ字状板部３９とＬ字状板部４７と中央位置特定部６０と斜め測定部７００）を除きステンレス等の金属製部材により形成されている。
【０２２２】
ここで、中央板部（中央部）１０は、略方形状の平板状を呈している。中央板部１０は、水平方向に設けられている。つまり、中央板部１０は、第１主尺１００や第２主尺１１０がスライドするための平面部（水平面）を上面に有している。
【０２２３】
また、レッグ部（第１レッグ部）２０は、中央板部１０の正面側（Ｙ１側）の端部から連設され、略長方形状の平板状を呈し、前後方向（Ｙ１−Ｙ２方向）に伸びた長方形状の板状を呈する本体部２２と、本体部２２の上面の正面側の端部に設けられたＬ字板部２５ａと、Ｌ字板部２５ａの垂直板部の右側面側に設けられたレンズ当接部２５ｂとを有している。このＬ字板部２５ａは、本体部２２の上面の正面側と右側面側の角部に設けられた方形状の水平板部２５ａ−１と水平板部２５ａ−１の右側面側の端部から水平板部２５ａ−１に対して直角に立設した方形状の垂直板部２５ａ−２とを有している。また、レンズ当接部２５ｂは、右側面側が尖った突状を呈し、操作部２００を左側面側にスライドさせた際に、レンズ当接部２８５ｂの先端と接する。また、このレンズ当接部２５ｂは、眼鏡のレンズの厚みを測定する際に、右側面側（Ｘ２側）（左右方向の一方の側）の端部をレンズ面に当接させる。なお、このレッグ部２０の本体部２２は、中央板部１０と同じ厚みに形成され、レッグ部２０の上面と下面は中央板部１０の上面と下面にそれぞれ面一となっている。なお、左側面側（Ｘ１側）は、左右方向の他方の側に当たる。中央板部１０と本体部２２とを合わせた形状は、略鉤状（略Ｌ字状）（長方形状における正面側と右側面側の角部に長方形状の切欠部を形成した形状）を呈しているといえる。
【０２２４】
また、平行保持部３０は、主として、眼鏡に当接して眼鏡用測定具３を眼鏡と平行に保つための部材であり、傾斜板部３２と、平行保持部本体３４と、中央位置特定部６０と、斜め測定部７００とを有している。平行保持部３０における上面部４０ｇとＬ字状板部３９とＬ字状板部４７と中央位置特定部６０と斜め測定部７００とは、透明な部材（例えば、合成樹脂）（半透明の部材でもよい）により形成されている。
【０２２５】
傾斜板部３２は、中央板部１０の背面側の端部から連設され、板状を呈し、正面側から背面側にいくほど上方に傾斜する。
【０２２６】
また、平行保持部本体３４は、傾斜板部３２の背面側の端部から連設された水平板部３６と、水平板部３６の右側面側の辺部における背面側の端部に水平板部３６に対して垂直に立設したＬ字状板部３９と、水平板部３６の上面の左側面側の端部に前後方向に設けられた突条部４０ｅと、水平板部３６の上面の突条部４０ｅの右側面側に間隔を介して突条部４０ｅと平行に設けられた突条部４０ｆと、突条部４０ｅと突条部４０ｆの上面に設けられた上面部４０ｇと、水平板部３６の上面の右側面側の端部に前後方向に設けられた突条部４０ｈと、上面部４０ｇと突条部４０ｈ間をつなぐ板状の横架部４０ｉと、ホルダ４０Ａに支持され、ホルダ４０Ａに対してスライドするアーム部（スライド部）４２と、Ｌ字状板部３９の垂直板部３９ｂの右側面に固定されたレンズ当接部（第１当接部）５０ａと、アーム部４２の垂直板部４７ｂの右側面に固定されたレンズ当接部（第２当接部）５０ｂとを有している。
【０２２７】
水平板部３６は、前後方向を長手方向とした長方形状の右側面側かつ背面側の角部に方形状の切欠部を設けた平板状であり、水平方向に設けられている。
【０２２８】
Ｌ字状板部３９は、水平板部３６の右側面側でかつ背面側の角部に設けられた方形状の水平板部３９ａと水平板部３９ａに対して垂直に立設した垂直板部３９ｂとを有している。
【０２２９】
また、突条部４０ｅ、４０ｆ、４０ｈは、ともに四角柱状を呈し、互いに平行に配設されている。
【０２３０】
また、上面部４０ｇは、略コ字状の平板状を呈し、上面部４０ｇの左右方向の中央の領域に正面側から背面側に向けて切欠部が形成されている。つまり、上面部４０ｇは、前後方向に伸びて形成され右側面側に設けられた帯板状部４０ｇ−１と、前後方向に伸びて形成され左側面側に設けられた帯板状部４０ｇ−２と、帯板状部４０ｇ−１及び帯板状部４０ｇ−２の背面側の端部を連結する帯板状部４０ｇ−３とから構成されている。上面部４０ｇと、突条部４０ｅと、突条部４０ｆと、水平板部３６の突条部４０ｅと突条部４０ｆ間の領域とでホルダ４０Ａが形成され、ホルダ４０Ａの正面側と背面側は、開口している。また、突条部４０ｆと突条部４０ｈと横架部４０ｉと水平板部３６の突条部４０ｆと突条部４０ｈ間の領域とでホルダ４０Ｂが形成される。
【０２３１】
また、アーム部４２は、略Ｌ字状の平板状を呈し、前後方向に帯状（細長長方形状）の本体部４４ａと、本体部４４ａの右側面側の背面側の端部から右側面側に連設された帯状（細長長方形状）の先端部４４ｂと、先端部４４ｂの右側面側の端部領域に設けられたＬ字状板部４７と、本体部４４ａの上面に固定して設けられたストッパ４８とを有し、本体部４４ａをホルダ４０Ａに挿通した状態でストッパ４８を固着することにより、アーム部４２がホルダ４０Ａから脱落しないように構成されている。Ｌ字状板部４７は、先端部４４ｂの上面の先端領域に設けられた方形状の水平板部４７ａと水平板部４７ａに対して直角に立設した方形状の垂直板部４７ｂとから構成されている。垂直板部４７ｂと垂直板部３９ｂとは左右方向に一致した位置に設けられている。この垂直板部４７ｂと垂直板部３９ｂには、円形と十字を重ねた視標ＥＳが設けられていて、円形の中心と十字の交点（十字を構成する２つの直線の交点）とは一致し、垂直板部４７ｂにおける該円形の中心と十字の交点は、レンズ当接部５０ｂの右側面視における中心と一致し、垂直板部３９ｂにおける該円形の中心と十字の交点は、レンズ当接部５０ａの右側面視における中心と一致している。Ｌ字状板部３９、４７を透明な部材により形成し、レンズ当接部５０ａ、５０ｂを透明な部材により形成することにより、この指標ＥＳにおける十字の交点をレンズ当接部５０ａ、５０ｂの当接対象（例えば、遠用シールや近用シールの中心）に合わせることにより、正確にレンズ当接部５０ａ、５０ｂを当接させることができる。
【０２３２】
また、レンズ当接部５０ａとレンズ当接部５０ｂは、略半球状を呈している。レンズ当接部５０ａ、５０ｂの先端（右側面側の端部）は、左右方向において同じ位置に設けられ
（つまり、左右方向において一致して設けられ）（レンズ当接部５０ａの先端の左右方向の位置とレンズ当接部５０ｂの先端の左右方向の位置とが一致しているとしてもよい）、レンズ当接部５０ａ、５０ｂの先端（右側面側の端部）は、固定部７０（特に、上側板状部７０ｃ）の左側面側の端部（つまり、目盛り８４、８６のゼロ位置）及びレンズ当接部２５ｂの右側面側の先端と左右方向において一致するように構成されている。中央板部１０の右側面側の端部（端面）も、レンズ当接部５０ａ、５０ｂの先端と左右方向において一致している。つまり、レンズ当接部５０ａ、５０ｂの先端と、固定部７０の左側面側の端部と、中央板部１０の右側面側の端部（端面）と、レンズ当接部２５ｂの右側面側の先端とは、左右方向において一致している。
【０２３３】
なお、上記Ｌ字状板部４７の代わりに、図２８に示すように、掛止板部４７−１と、Ｌ字状板部４７と、補強板部４７−２の構成としてもよい。すなわち、掛止板部４７−１は、先端部４４ｂの右側面側の端部領域の上面に接着剤により固着された方形状の板状部４７−１ａと該板状部４７−１ａの右側面側の端部から下方に連設された突条部４７−１ｂとを有し、突条部４７−１ｂは、先端部４４ｂの右側面側の端部に接している。また、Ｌ字状板部４７は、Ｌ字状板部４７と同様の構成であり、板状部４７−１ａの上面に接着剤により固着して設けられた方形状の水平板部４７ａと水平板部４７ａに対して直角に立設した方形状の垂直板部４７ｂとから構成されている。レンズ当接部５０ｂは、垂直板部４７ｂの右側面側に接着剤により固着されている。また、補強板部４７−２は、水平板部４７ａの上面に接着剤により固着して設けられ、ＰＥＴ（ポリエチレンテレフタラート）により形成された方形状の板状を呈している。Ｌ字状板部４７もＰＥＴにより形成され、これにより、垂直板部４７ｂがしなるように形成され、レンズ当接部５０ｂをレンズに当接させた際に、弾力をもってレンズに接するので、装着者に装着された眼鏡を装着者の顔に対して無理に押すことがない。また、補強板部４７−２が設けられているので、垂直板部４７ｂが水平板部４７ａに対して大きく折れ曲がって垂直板部４７ｂが折れてしまうことがない。また、掛止板部４７−１が設けられているので、Ｌ字状板部４７が左側面側に移動してしまうことがない。すなわち、アーム部４２は金属製であり、Ｌ字状板部４７を直接金属製の先端部４４ｂに接着剤により固着しても、接着強度が弱く、レンズ当接部５０ｂをレンズに当接させた場合に、Ｌ字状板部４７が左側面側に移動してしまうおそれがあるが、掛止板部４７−１の突条部４７−１ｂが先端部４４ｂの右側面側の端部に掛止しているので、レンズ当接部５０ｂをレンズに当接させた際に、掛止板部４７−１が左側面側に移動してしまうことがない。
【０２３４】
なお、上記の構成は、Ｌ字状板部３９とレンズ当接部５０ａの代わりに用いてもよく、すなわち、水平板部３６の右側面側で背面側の端部領域に掛止板部４７−１と同様の構成の掛止板部を接着剤により固着し、さらに、掛止板部にＬ字状板部４７と同様の構成のＬ字状板部を接着剤により固着し、さらに、Ｌ字状板部の水平板部に補強板部４７−２と同様の構成の補強板部を接着剤により固着し、Ｌ字状板部の垂直板部の右側面側にレンズ当接部５０ａを接着剤により固着するのである。
【０２３５】
なお、本体部４４ａには、目盛り４５が表示して設けられている。また、上面部４０ｇの帯板状部４０ｇ−１の上面には、左右方向に直線により形成された表示部（第４目印）５２が設けられている。この表示部５２は、レンズ当接部５０ａの前後方向の中心位置に合わせて設けられ、レンズ当接部５０ａとレンズ当接部５０ｂとを眼鏡を装着した被験者の瞳孔位置に設定することにより、目盛り４５における表示部５２の位置の値を見ることにより、瞳孔間距離を測定することができるようになっている。
【０２３６】
なお、本体部４４ａに目盛り４５を設け、ホルダ４０Ａの上面部４０ｇ等に表示部５２を設けるとしたが、ホルダ４０Ａ（特に、帯板状部４０ｇ−２）に目盛りを設け、本体部４４ａに目印を設けてもよい。
【０２３７】
また、中央位置特定部６０は、ホルダ４０Ａに設けられ、アーム部６４と、ストッパ６４ｄを有している。アーム部６４は、長方形状の板状のアーム部本体６４ｅと、アーム部本体６４ｅの背面側の端部からアーム部本体６４ｅに対して直角に立設した垂直板部６４ｆ（中央位置用目印）とを有している。アーム部本体６４ｅは、ホルダ４０Ａ内に配置され、本体部４４ａの上面に接した状態で設けられている。ストッパ６４ｄは、アーム部本体６４ｅの上面に固定して設けられ、アーム部６４を背面側にスライドしてもホルダ４０Ａから脱落しないように形成されている。
【０２３８】
この中央位置特定部６０においては、アーム部６４の垂直板部６４ｆを被験者が装着している眼鏡の中心位置（つまり、ブリッジ５０６（図１４参照）の中心位置）に合わせることにより、この垂直板部６４ｆと目盛り４５により被験者の瞳孔と眼鏡の中心位置の間の距離を測定することができる。
【０２３９】
また、斜め測定部７００は、スライド板部７０２と、スライド板部７０２の上面に立設して設けられた平板状の計測板部７０４と、スライド板部７０２の上面に固定して設けられたストッパ７０６とを有している。
【０２４０】
ここで、スライド板部７０２は、長方形状の板状を呈し、ホルダ４０Ｂ内に設けられ、ホルダ４０Ｂを前後方向にスライドする。つまり、スライド板部７０２は、平行保持部３０の右側面側の辺部に沿ってスライド可能となっている。計測板部７０４は、スライド板部７０２の上面に立設して設けられ、平面視における計測板部７０４の方向は、前後方向に対して４５度の角度をなし、背面側（つまり、当接部５０ａ側）が右側面側に４５度傾斜し、正面側（当接部５０ａ側とは反対側）が左側面側に４５度傾斜している。つまり、平面視における計測板部７０４の延長線と前後方向とがなす角度Ｖは、４５度となっている。また、スライド板部７０２の背面側の辺部７０２ａは、計測板部７０４の延長線（計測板部７０４の平面視における軸線（中心線）（長手方向の軸線（中心線）））と突条部４０ｈの右側面側の辺部との交点Ｈａと前後方向において一致し、スライド板部７０２の辺部７０２ａの位置で（つまり、辺部７０２ａを目盛り読取り用の目印として）目盛り７１０を読むことにより、レンズ・瞳間距離Ｌｈを測定できるようになっている。つまり、上面部４０ｇの帯板状部４０ｇ−１には、目盛り７１０が表示されているが、この目盛り７１０のゼロ位置（基点）７１０ａは、レンズ当接部５０ａの先端の前後方向の位置（つまり、表示部５２の位置）からレンズ当接部５０ａの厚み（左右方向の厚み）Ｌａだけ正面側（Ｙ１側）に移動させた位置となっている（つまり、前後方向に、レンズ当接部５０ａの前後方向の中心位置からレンズ当接部５０ａの左右方向の厚み分斜め測定部７００側にずれた位置となっている）。なお、角度Ｖが４５度であるので、目盛り７１０のゼロ位置をレンズ当接部５０ａの先端の前後方向の位置からレンズ当接部５０ａの厚みＬａだけ正面側（Ｙ１側）に移動させた位置とすればよく、目盛りの基点を設定しやすいといえる。垂直板部３９ｂの右側面側の面と突条部４０ｈの右側面側の面とは左右方向に一致しているので、図２７に示すように、瞳の頂点Ｈｔと、交点Ｈａと、垂直板部３９ｂにおける前後方向においてレンズ当接部５０ａの先端に対応する位置Ｈｂがなす三角形において、角度Ｖが４５度であることから、ＨｔとＨｂ間の距離（＝Ｌｃ）は、ＨｂとＨａ間の距離（＝Ｌｂ）となる。よって、スライド板部７０２の辺部７０２ａで目盛り７１０を読み取った値をＰとすると、Ｌｈ＋Ｌｉ（レンズの厚み）＋Ｌａ＝Ｐ＋Ｌａとなり、Ｌｈ＝Ｐ−Ｌｉとなり、計測板部７０４の方向が瞳の頂点と一致する位置での目盛りの値Ｐを読み取り、レンズの厚みＬｉをレンズ当接部２５ｂとレンズ当接部２８５ｂによりレンズを挟んで目盛り８４（又は目盛り８６）を水平挟設部２１０の左端位置で読み取って計測し、Ｐ−Ｌｉを算出することにより、レンズ・瞳間距離Ｌｈを計測することができる。
【０２４１】
なお、ホルダ４０ＢをＬ字状板部３９の背面側に設けて、スライド板部７０２とスライド板部７０２に立設する計測板部７０４をＬ字状板部３９の背面側において前後方向にスライドするようにしてもよい。その場合には、計測板部７０４は、背面側（つまり、当接部５０ａ側と反対側）が左側面側に４５度傾斜し、正面側（当接部５０ａ側）が右側面側に４５度傾斜する構成となる。
【０２４２】
次に、固定部７０は、中央板部１０の右側面側の端部から連設され、水平方向に設けられている。
【０２４３】
すなわち、固定部７０は、図２５に示すように、方形状（具体的には、長方形状）の板状の下側板状部７０ａと、下側板状部７０ａの上面に互いに間隔を介して設けられた第１中間板状部７０ｂ−１、第２中間板状部７０ｂ−２、第３中間板状部７０ｂ−３と、第１中間板状部７０ｂ−１と第２中間板状部７０ｂ−２と第３中間板状部７０ｂ−３の上面に固定して設けられた上側板状部７０ｃと、ストッパ８８とを有している。
【０２４４】
ここで、第１中間板状部７０ｂ−１と第２中間板状部７０ｂ−２とは、主尺本体１０２が左右方向にスライド可能な間隔を介して設けられ、第２中間板状部７０ｂ−２と第３中間板状部７０ｂ−３とは、主尺本体１１２が左右方向にスライド可能な間隔を介して設けられている。つまり、第１中間板状部７０ｂ−１と第２中間板状部７０ｂ−２間の幅と第２中間板状部７０ｂ−２と第３中間板状部７０ｂ−３間の幅とは、略同一（同一としてもよい）に形成されている。第１中間板状部７０ｂ−１と第２中間板状部７０ｂ−２と第３中間板状部７０ｂ−３は、ともに、左右方向に下側板状部７０ａの左右方向の長さと略同一の長さを有し、前後方向の長さは、第１中間板状部７０ｂ−１と第３中間板状部７０ｂ−３について略同一となり、第２中間板状部７０ｂ−２の前後方向の長さは、第１中間板状部７０ｂ−１と第３中間板状部７０ｂ−３の前後方向の長さよりも大きく形成されている。第１中間板状部７０ｂ−１の背面側の辺部は、下側板状部７０ａの背面側の辺部と一致し、第３中間板状部７０ｂ−３の正面側の辺部は、下側板状部７０ａの正面側の辺部と一致して設けられている。また、第１中間板状部７０ｂ−１と第２中間板状部７０ｂ−２と第３中間板状部７０ｂ−３の右側面側の辺部は、下側板状部７０ａの右側面側の辺部と一致して設けられている。
【０２４５】
また、上側板状部７０ｃは、下側板状部７０ａと同大同形状の板状部材の左側面側に一対の方形状の切欠部７４ａ、７８ａを設けた構成であり、切欠部７４ａ、７８ａの前後方向の幅は、第１中間板状部７０ｂ−１と第２中間板状部７０ｂ−２間の幅や第２中間板状部７０ｂ−２と第３中間板状部７０ｂ−３間の幅と略同一に形成され、切欠部７４ａの背面側の辺部は、第１中間板状部７０ｂ−１の正面側の辺部と前後方向で一致し、切欠部７４ａの正面側の辺部は、第２中間板状部７０ｂ−２の背面側の辺部と前後方向で一致し、切欠部７８ａの背面側の辺部は、第２中間板状部７０ｂ−２の正面側の辺部と前後方向で一致し、切欠部７８ａの正面側の辺部は、第３中間板状部７０ｂ−３の背面側の辺部と前後方向で一致している。
【０２４６】
下側板状部７０ａは、中央板部１０の右側面側の端部から連設され、下側板状部７０ａの上面は、中央板部１０の上面と面一に構成され、下側板状部７０ａの下面（底面）は、中央板部１０の下面（底面）よりも高く、中央板部１０の上面よりも低く形成され、結果として、これにより、固定部７０は、中央板部１０に対して上側にずれた状態で、中央板部１０と接続している。つまり、中央板部１０と固定部７０の境界位置の下面側には、段差が形成され、中央板部１０の右側面側の端面は、前後方向を向いている。固定部７０の前後方向の長さは、中央板部１０の前後方向と長さと略同一となっている。
【０２４７】
切欠部７４は、上側板状部７０ｃの切欠部７４ａと第１中間板状部７０ｂ−１と第２中間板状部７０ｂ−２間の隙間の一部７４ｂにより形成され、切欠部７８は、上側板状部７０ｃの切欠部７８ａと第２中間板状部７０ｂ−２と第３中間板状部７０ｂ−３間の隙間の一部７８ｂにより形成され、切欠部７４、７８は平面視において長方形状を呈し、固定部７０の上面から中央板部１０の上面の位置まで形成されている。つまり、切欠部７４、７８を形成した領域の上面は、中央板部１０の上面と面一になっている。なお、切欠部７４と切欠部７８とは、間隔を介して形成され、切欠部７８が切欠部７４に対して正面側に形成されている。切欠部７４と切欠部７８の形状・大きさは略同一となっている。
【０２４８】
また、切欠部７４の奥部（右側面側の端部）からは左右方向に挿通穴（第１主尺収納部）７６が形成されている。つまり、この挿通穴７６は、第１中間板状部７０ｂ−１と第２中間板状部７０ｂ−２と下側板状部７０ａと上側板状部７０ｃで囲まれた空間であり、帯板状（細長長方形状の板状）の空間を有し、第１主尺１００の主尺本体１０２が挿通可能に形成されている。
【０２４９】
また、切欠部７８の奥部（右側面側の端部）からは左右方向に挿通穴（第２主尺収納部）８０が形成されている。つまり、この挿通穴８０は、第２中間板状部７０ｂ−２と第３中間板状部７０ｂ−３と下側板状部７０ａと上側板状部７０ｃで囲まれた空間であり、帯板状（細長長方形状の板状）の空間を有し、第２主尺１１０の主尺本体１１２が挿通可能に形成されている。
【０２５０】
以上のような構成とすることにより、固定部７０は、切欠部７４、７８と、挿通穴７６、８０と、ストッパ８８を設けた構成となっている。固定部７０における第１中間板状部７０ｂ−１、第２中間板状部７０ｂ−２、第３中間板状部７０ｂ−３と、上側板状部７０ｃとは、透明な部材（例えば、合成樹脂）（半透明の部材でもよい）により形成されている。
【０２５１】
また、ストッパ８８は、固定部７０の底面の右側面側の端部に沿って形成され、帯板状を呈している。このストッパ８８により、操作部２００を固定部７０に対して右側面側にスライドさせた場合でも、操作部２００が固定部７０から脱落することがない。
【０２５２】
また、上側板状部７０ｃの上面における切欠部７４ａの背面側の領域には、目盛り８４が形成され、また、上側構成部７０ｃの上面における切欠部７８ａの背面側の領域には、目盛り８６が形成されている。この目盛り８４、８６は、上側板状部７０ｃの左側面側の端部の位置をゼロ位置として表示されている。
【０２５３】
また、第１主尺１００は、主尺本体１０２と、主尺本体１０２の上面の左側面側の端部に連設された板状部（突状部）１０４とを有している。板状部１０４は、主尺本体１０２よりも左右方向に短く形成されている。ここで、主尺本体１０２は、帯板状（細長長方形状の板状）を呈し、挿通穴７６に挿通可能な大きさに形成され、上面に長手方向に沿って目盛りが形成されている。この目盛りは、板状部１０４の右側面側の端部位置を基点として設けられている。なお、主尺本体１０２の目盛りの基点Ｊ１は、操作部２００が最も左側面側にある状態で板状部１０４の右側面側を操作部２００の水平挟設部２１０の上側構成部２１４に当接させた場合に、目盛り８４のゼロ位置と一致し、また、レンズ当接部５０ａ、５０ｂの先端と左右方向において一致する。
【０２５４】
また、第２主尺１１０は、主尺本体１１２と、主尺本体１１２の上面の左側面側の端部に連設された板状部（突状部）１１４とを有している。板状部１１４は、主尺本体１１２よりも左右方向に短く形成されている。ここで、主尺本体１１２は、帯板状（細長長方形状の板状）を呈し、挿通穴８０に挿通可能な大きさに形成され、上面に長手方向に沿って目盛りが形成されている。この目盛りは、板状部１１４の右側面側の端部位置を基点として設けられている。なお、主尺本体１１２の目盛りの基点Ｊ２は、操作部２００が最も左側面側にある状態で板状部１１４の右側面側を操作部２００の水平挟設部２１０の上側構成部２１４に当接させた場合に、目盛り８６のゼロ位置と一致し、また、レンズ当接部５０ａ、５０ｂの先端と左右方向において一致する。
【０２５５】
板状部１０４、１１４は、板状部１０４、１１４を右側面側に移動させるか、又は、操作部２００を左側面側に移動させることにより、操作部２００（特に、上側構成部２１４）に当接する。
【０２５６】
次に、操作部２００は、本体部５の固定部７０に対してスライド可能に形成され、図２４、図２６に示すように、水平挟設部（操作部本体）２１０と、水平挟設部２１０の背面側の端部に形成された操作部背面部２９０と、水平挟設部２１０の操作部背面部２９０よりも正面側に立設して設けられた正面構成部２７０と、水平挟設部２１０の正面側の端部から正面側に連設されたレッグ部（第２レッグ部）２８０と、レッグ部２８０に着脱する拡大鏡ユニット８００とを有している。この操作部２００における水平挟設部２１０の上側構成部２１４と、操作部背面部２９０と正面構成部２７０とは透明な部材（例えば、合成樹脂）（半透明の部材でもよい）により形成され、水平挟設部２１０における下側構成部２１２と中間部２３８、２３９とレッグ部２８０における本体部２８２は、ステンレス等の金属製である。
【０２５７】
ここで、水平挟設部２１０は、固定部７０の上面側及び下面側から挟むように構成され、平板状の下側構成部２１２と、下側構成部２１２の上方に下側構成部２１２に略平行に設けられた平板状の上側構成部２１４と、下側構成部２１２と上側構成部２１４とを正面側で連結する中間部２３８と、下側構成部２１２と上側構成部２１４とを背面側で連結する中間部２３９とを有している。
【０２５８】
下側構成部２１２は、略方形状の平板状を呈し、水平方向に形成されている。下側構成部２１２の前後方向の長さは、固定部７０の前後方向の長さと略同一に（厳密には、操作部２００が固定部７０に対してスライド容易なように若干長く）形成され、また、左右方向の長さは、固定部７０の左右方向の長さよりも短く形成されている。下側構成部２１２は、固定部７０の下側に設けられる。
【０２５９】
また、上側構成部２１４は、略方形状の平板状を呈し、下側構成部２１２と間隔を介して平行に設けられている。この上側構成部２１４の上面には、前後方向の直線からなる表示部２２８が設けられている。この表示部２２８の左右方向の位置は、操作部背面部２９０の縦方向直線部９０４ｂの左右方向の位置と一致して設けられている。
【０２６０】
また、中間部２３８は、下側構成部２１２と上側構成部２１４の間の正面側の端部位置に下側構成部２１２と上側構成部２１４に固着して設けられた棒状部材であり、下側構成部２１２と上側構成部２１４間に中間部２３８が設けられていることにより、下側構成部２１２と上側構成部２１４とが間隔を介して形成される。同様に、中間部２３９は、下側構成部２１２と上側構成部２１４の間の背面側の端部位置に下側構成部２１２と上側構成部２１４に固着して設けられた棒状部材であり、下側構成部２１２と上側構成部２１４間に中間部２３９が設けられていることにより、下側構成部２１２と上側構成部２１４とが間隔を介して形成される。
【０２６１】
水平挟設部２１０と中間部２３８、２３９によって固定部７０が挿通可能な筒状に形成されている。
【０２６２】
また、操作部背面部２９０は、上側構成部２１４の背面側の端部から連設され、上方に鉛直方向に立設して形成され、略方形状（長方形状）の平板状を呈する本体部２９２に、指標部９００が設けられるとともに、傾斜角度測定部２５２が設けられている。
【０２６３】
本体部２９２は、上側構成部２１４に対して直角に立設し、左右方向を向いている。指標部９００は、本体部２９２の正面側又は背面側に表示して設けられ、円形部９０２と、鉛直方向に間隔を介して形成された３本の縦方向直線部９０４ａ、９０４ｂ、９０４ｃと、水平方向に形成された横方向直線部９０６とを有している。３本の縦方向直線部９０４ａ、９０４ｂ、９０４ｃは、円形部９０２と２箇所で交差するように形成され、中央の縦方向直線部９０４ｂは、円形部９０２の円の中心を通っている。縦方向直線部９０４ａと縦方向直線部９０４ｂ間の間隔と縦方向直線部９０４ｂと縦方向直線部９０４ｃ間の間隔は、同一に形成されている。また、横方向直線部９０６は、円形部９０２と２箇所で交差するように形成され、円形部９０２の円の中心を通っている。この指標部９００が、第３目印に当たる。
【０２６４】
また、傾斜角度測定部２５２は、実施例１の傾斜角度測定部２５２と同様の構成であり、２つの直線状の辺部と円弧状の辺部とから構成された扇状の板状を呈し、２つの直線状の辺部が接する端部位置でピン２５２ａにより揺動可能に本体部２９２に軸支されている。また、傾斜角度測定部２５２の円弧状の辺部に沿って傾斜角度を測定するための目盛り２５２ｂが形成されている。また、本体部２９２には、目盛り２５２ｂを読み取るための直線状の目印２５２ｃが設けられている。なお、目印２５２ｃを傾斜角度測定部２５２に設け、目盛りを本体部２９２に設けてもよい。
【０２６５】
また、正面構成部２７０は、上側構成部２１４の上面の操作部背面部２９０よりも正面側の位置に、上側構成部２１４の上面に直角に立設して設けられ、平板状を呈し、操作部背面部２９０と平行（つまり、左右方向）に設けられている。正面構成部２７０の正面側又は背面側には、指標部９１０が設けられ、指標部９１０は、鉛直方向に間隔を介して形成された３本の縦方向直線部９１２ａ、９１２ｂ、９１２ｃを有している。縦方向直線部９１２ａと縦方向直線部９１２ｂ間の間隔と縦方向直線部９１２ｂと縦方向直線部９１２ｃ間の間隔は、同一に形成され、縦方向直線部９０４ａと縦方向直線部９０４ｂ間の間隔や縦方向直線部９０４ｂと縦方向直線部９０４ｃ間の間隔と同一に形成されている。
【０２６６】
また、レッグ部２８０は、水平挟設部２１０の正面側の端部から連設され、長方形状の平板状を呈し、前後方向（Ｙ１−Ｙ２方向）に伸びた長方形状の板状を呈する本体部２８２と、本体部２８２の上面の正面側の端部に設けられたＬ字板部２８５ａと、Ｌ字板部２８５ａの垂直板部の左側面側に設けられたレンズ当接部２８５ｂとを有している。このＬ字板部２８５ａは、本体部２８２の上面の正面側と右側面側の角部に設けられた方形状の水平板部２８５ａ−１と水平板部２８５ａ−１の右側面側の端部から水平板部２８５ａ−１に対して直角に立設した方形状の垂直板部２８５ａ−２とを有している。また、レンズ当接部２８５ｂは、左側面側が尖った突状を呈し、操作部２００を左側面側にスライドさせた際に、レンズ当接部２５ｂの先端と接する。また、このレンズ当接部２８５ｂは、眼鏡のレンズの厚みを測定する際に、右左側面側（Ｘ１側）（左右方向の他方の側）の端部をレンズ面に当接させる。
【０２６７】
また、拡大鏡ユニット８００は、レッグ部２８０の本体部２８２に着脱可能な挟設部８０２と、拡大鏡８０６を斜めに支持するための台部８０４と、拡大鏡８０６とを有し、挟設部８０２は、板状部材を断面略コ字状に折曲した形状を呈している。また、台部８０４は、挟設部８０２の上面に固定された平板状の水平板部と、該水平板部の背面側の端部から水平板部に対して４５度の角度で連設された平板状の傾斜板部とを有している。拡大鏡８０６は、凸状の鏡面を有し、傾斜板部に固定して設けられている。つまり、挟設部８０２を本体部２８２に装着することにより、拡大鏡８０６が背面側に対して斜め上方を向くように配置される。つまり、拡大鏡ユニット８００は、水平方向に対して正面側が上方となるように傾斜した鏡面を有している。この拡大鏡ユニット８００をレッグ部２８０の本体部２８２に装着することにより、レンズ・瞳間距離を測定するに際して、指標部９００、９１０を側方から視認しなくても、上方から拡大鏡８０６を介して視認することにより測定することができ、腰をかがめなくても容易に測定することができる。なお、拡大鏡としたが、拡大鏡ではなく、平面状の鏡面であってもよい。
【０２６８】
操作部２００を左側面側に移動させると、中央板部１０の下面と固定部７０の下面とは段差があるので、操作部２００の水平挟設部２１０の下側構成部２１２は、中央板部１０の右側面側の端部に接触して、それ以上は左側面側には移動せず、最も左側面側の位置となる。なお、操作部２００が最も左側面側の位置にある場合には、レンズ当接部２５ｂの先端とレンズ当接部２８５ｂの先端とが当接するようになっている。つまり、中央板部１０の右側面側の端部が、「操作部を左右方向の一方の側とは反対側である他方の側にスライドさせた際に左右方向の他方の側へのスライドを規制する規制部」となる。また、操作部２００が最も左側面側の位置にある状態で、第１主尺１００の板状部１０４と第２主尺１１０の板状部１１４を当接させた場合には、板状部１０４、１１４の右側面側の端部は、レンズ当接部５０ａ、５０ｂの先端と左右方向において一致する。
【０２６９】
なお、眼鏡用測定具３は、実際には、左眼用のものであり、眼鏡用測定具３と左右対称の構成のものが右眼用となる。つまり、図２４〜図２８に示す構成は左眼用であり、図２４〜図２８に示す構成に対して、図２９に示すように左右対称の構成のものが右眼用となる。図２９に示す右眼用の眼鏡用測定具４は、左目用の眼鏡用測定具３と左右対称である点以外は同様の構成であるので、詳しい説明を省略する。なお、右眼用の眼鏡用測定具４を示す図２９においては、左側面側（Ｘ２側）が「左右方向の一方の側」となり、右側面側（Ｘ１側）が「左右方向の他方の側」となる。
【０２７０】
次に、眼鏡用測定具３と、遠用シール３００、４００と、近用シール３１０、４１０の使用状態について説明する。眼鏡用測定具３の使用方法は、基本的には実施例１の眼鏡用測定具１と同様である。なお、本実施例２の眼鏡用測定具３、４は、短時間に計測を行なうためのものであるので、レンズ・瞳間距離の測定は、遠用位置についてのみ行なう。つまり、主尺は、第１主尺１００と第２主尺１１０とが設けられているが、基本的に測定は、第１主尺１００を用いればよく、第２主尺１１０は、近用位置を計測する必要が生じた場合の予備的なものである。
【０２７１】
まず、実施例１と同様に、遠用位置の瞳孔間距離や近用位置の瞳孔間距離や眼鏡の中心位置と瞳孔の間の距離を測定する。すなわち、眼鏡の購入者（被験者）が購入しようとする眼鏡５００（この場合の眼鏡５００には、度が入っていないサンプルレンズが装着されている）を装着する。そして、眼鏡作成スタッフ等の操作者が、購入者が前方を見る状態で、図１２に示すように、レンズ５０２、５０４における購入者の瞳孔の位置の前側の位置（つまり、眼鏡の装着者が前方を見た場合に視線がレンズの前側の面と交差する位置）に遠用シール３００、４００を貼着する。厳密には、遠用シール３００、４００から剥離紙３００ｃ、４００ｃを除いて、眼鏡のレンズ５０２、５０４にそれぞれ貼着する。つまり、シール本体３００ａ、４００ａを粘着部を介して貼着する。
【０２７２】
また、購入者の前方の近い位置に目標物を配置し（例えば、購入者の前に位置するテーブル上に、購入者からら３０ｃｍの位置に目標物を配置する）、購入者の一方の眼をふさいだ状態で、他方の眼で目標物を視認し、レンズにおいて、その他方の眼で目標物が視認できなくなる位置に近用シール３１０、４１０を貼着する。また、他方の眼をふさいだ状態で、一方の眼で目標物を視認し、レンズにおいて、その一方の眼で目標物を視認できなくなる位置に近用シール４１０を貼着する。すなわち、目隠し用部材３２１の円形状部３２２により目標物が視認できない状態にする。つまり、眼鏡の装着者が前方の近い位置を見る状態で、レンズ５０２、５０４における瞳孔の位置の前側の位置（眼鏡の装着者が前方の近い位置を見た場合に視線とレンズの前側の面と交差する位置）に近用シール４１０を貼着する。厳密には、近用シール３１０、４１０から剥離紙３１０ｃ、４１０ｃを除いて、図１２に示すように、シール本体３１０ａ、４１０ａを眼鏡のレンズ５０２、５０４に貼着する。つまり、シール本体３１０ａ、４１０ａを粘着部を介して貼着する。
【０２７３】
遠用シールと近用シールを貼着したら、眼鏡５００を装着していた購入者から眼鏡５００を外して、図１３に示すように、左右の近用シール３１０、４１０のシール本体３１０ａ、４１０ａにおける目隠し用部材３２１、４２１を切目線を介して取り除く。
【０２７４】
そして、遠用シール３００、４００のシール本体３００ａ、４００ａと、近用シール３１０、４１０の近用シール本体３１１、４１１が貼られた状態の眼鏡を用いて、以下の測定を行う。
【０２７５】
すなわち、まず、平行保持部３０を用いて、瞳孔間距離を測定する。つまり、図３０に示すように、遠用シール３００、４００のシール本体３００ａ、４００ａの円弧状部３０２、４０２の中心位置に、アーム部４２をホルダ４０Ａに対してスライドさせて、レンズ当接部５０ａ、５０ｂを当接させて、アーム部４２の目盛り４５を表示部５２の位置で読み取ることにより、遠用位置の瞳孔間距離が測定される。
【０２７６】
同様に、近用シール３１０、４１０の近用シール本体３１１、４１１の円弧状部３１２、４１２の中心位置に、アーム部４２をホルダ４０Ａに対してスライドさせて、レンズ当接部５０ａ、５０ｂを当接させて、アーム部４２の目盛り４５を表示部５２の位置で読み取ることにより、近用位置の瞳孔間距離が測定される。
【０２７７】
また、平行保持部３０を用いて、眼鏡の中心位置と瞳孔の間の距離を測定する。つまり、遠用位置における眼鏡の中心位置と瞳孔の間の距離については、遠用シール３００、４００のシール本体３００ａ、４００ａの円弧状部３０２、４０２の中心位置に、アーム部４２をホルダ４０Ａに対してスライドさせて、レンズ当接部５０ａ、５０ｂを当接させ、さらに、中央位置特定部６０のアーム部６４をホルダ４０Ａに対してスライドさせて、垂直板部６４ｆを眼鏡の横方向における中心位置に配置し、アーム部４２の目盛り４５と垂直板部６４ｆの位置により眼鏡の中心位置と瞳孔の間の距離を読み取る。つまり、眼鏡の中心位置と右眼の瞳孔の間の距離については、レンズ当接部５０ｂの中心位置から垂直板部６４ｆまでの長さを読み取り、眼鏡の中心位置と左眼の瞳孔の間の距離については、レンズ当接部５０ａの中心位置から垂直板部６４ｆまでの長さを読み取る。
【０２７８】
近用位置における眼鏡の中心位置と瞳孔の間の距離については、同様の方法により測定を行う。すなわち、近用シール３１０、４１０の近用シール本体３１１、４１１の円弧状部３１２、４１２の中心位置に、アーム部４２をホルダ４０Ａに対してスライドさせて、レンズ当接部５０ａ、５０ｂを当接させ、さらに、中央位置特定部６０のアーム部６４をホルダ４０Ａに対してスライドさせて、垂直板部６４ｆを眼鏡の横方向における中心位置に配置し、アーム部４２の目盛り４５と垂直板部６４ｆの位置により眼鏡の中心位置と瞳孔の間の距離を読み取る。
【０２７９】
また、眼鏡の購入者が購入しようとする眼鏡５００（サンプルレンズが取り付けられた眼鏡）の遠用位置についてレンズ・瞳間距離を測定する。すなわち、レンズの厚みの測定を行ない、その後、レンズ・瞳間距離を測定するのであるが、左眼用の眼鏡用測定具と右眼用の眼鏡用測定具のそれぞれを用いて測定を行う。つまり、左眼用の眼鏡用測定具３を用いて、遠用位置のレンズ５０４の厚みを測定し、その後、遠用位置のレンズ・瞳間距離を測定するとともに、右眼用の眼鏡用測定具を用いて、遠用位置のレンズ５０２の厚みを測定し、その後、遠用位置のレンズ・瞳間距離を測定する。
【０２８０】
まず、左眼用の眼鏡用測定具により測定を行う。すなわち、左眼側のレンズの遠用シール４００の位置のレンズの厚みを測定する。レンズの厚みの測定に当たっては、眼鏡を装着していない状態で行う。
【０２８１】
つまり、２つのレッグ部２０、２８０により眼鏡のレンズを挟んだ状態としてレンズの厚みを測定する。つまり、レッグ部２０のレンズ当接部２５ｂの先端をレンズ５０４の一方の面に当接させるとともに、レッグ部２８０のレンズ当接部２８５ｂの先端をレンズ５０４の他方の面に当接させることにより、操作部２００は、レンズ当接部２５ｂとレンズ当接部２８５ｂとが互いに当接した状態（この状態では、操作部２００は、固定部７０に対して最も左側面側に位置し、図３３（ａ）に示す状態となる。操作部２００が固定部７０に対して最も左側面側となる位置を「原点位置」とする。）に対して、右側面側にスライドした位置となり、操作部２００が右方向にスライドしたのに合わせて、第１主尺１００を右方向にスライドさせて操作部２００の左側面に当接させる。
【０２８２】
つまり、遠用シール４００のシール本体４００ａの円弧状部４０２の中心位置にレンズ当接部２５ｂの先端とレンズ当接部２８５ｂの先端を接触させて（第１挟み工程）、操作部２００が固定部７０に対して原点位置から移動した分だけ第１主尺１００を移動させて第１主尺１００（特に、板状部１０４の右側面側の端部）を操作部２００（特に、上側構成部２１４の左側面側の端部）に当接させる（主尺第１スライド工程）。以上のようにして、第１主尺１００を操作部２００に当接させた状態は図３３（ｂ）に示すようになり、第１主尺１００の位置により遠用位置のレンズの厚みが保持されたことになる。なお、図３３（ｂ）の目盛りの値はあくまで例を示すものであり、レンズ５０４の厚みは実際にはもっと小さくなる。
【０２８３】
その後、再び眼鏡を購入者に装着して、遠用位置についてレンズ・瞳間距離を測定する。
【０２８４】
測定の方法は、レンズ当接部５０ａ、５０ｂを２つの遠用シール３００、４００の円弧状部４０２の中心位置（遠用位置と近用位置において第１主尺が対応する位置）にそれぞれ当接させた状態で、操作者が操作部２００の正面構成部２７０を覗き込んで、図３２に示すように、縦方向直線部９１２ｂと縦方向直線部９０４ｂとが一致した状態で、縦方向直線部９１２ｂ、９０４ｂが瞳の頂点（レンズ側の頂点）に一致するまで操作部２００をスライドさせる（操作部第２スライド工程）。なお、短時間に測定を行なうために、アーム部４２を伸ばすことなく、レンズ当接部５０ａのみを遠用シール４００の円弧状部４０２の中心位置に当接させるようにしてもよい。
【０２８５】
そして、縦方向直線部９１２ｂ、９０４ｂと、瞳の頂点とが一致する位置で操作部２００のスライドを停止させて図３４（ｃ）に示す状態とし、その位置の第１主尺１００の目盛りに対して表示部２２８が示す位置を読み取ることにより（読取り工程）、遠用位置のレンズ・瞳間距離を確認することができる。図３４（ｃ）の例では、Ｋが遠用位置のレンズ・瞳間距離となる。なお、水平挟設部２１０の上側構成部２１４と上側板状部７０ｃとは、透明な部材又は半透明な部材により形成されているので、上側構成部２１４や上側板状部７０ｃを通して、第１主尺１００の目盛りを読むのに支障はない。
【０２８６】
なお、上記の説明において、操作者が操作部２００の正面構成部２７０を覗き込んで、レンズ・瞳間距離を測定するものとして説明したが、拡大鏡ユニット８００をレッグ部２８０の本体部２８２に取り付けて、上方から視認して測定してもよい。これにより、操作者（測定者）が腰をかがめることなく、楽な姿勢で測定を行なうことができる。
【０２８７】
また、操作部２００を固定部７０に対してスライドさせてレンズ・瞳間距離を測定するものとしたが、眼鏡のテンプルの幅が広いことにより正面構成部２７０を覗き込んでの測定が困難な場合には、斜め測定部７００を用いて、計測板部７０４の方向に瞳の頂点を合わせて、スライド板部７０２の辺部７０２ａで目盛り７１０の値Ｐを読み取り、上記のようにレッグ部２０とレッグ部２８０によりレンズの厚みＬｉを測定して、Ｐ−Ｌｉを算出することにより、レンズ・瞳間距離Ｌｈを計測することができる。
【０２８８】
以上のように、左眼用のレンズについて、レンズ・瞳間距離の測定が行われるが、同様に、右眼用の眼鏡用測定具を用いて、上記と同様に、右眼用のレンズについてレンズ・瞳間距離の測定を行う。つまり、遠用位置と近用位置におけるレンズの厚みを測定した後に、操作部を固定部に対してスライドさせてレンズ・瞳間距離を測定する。
【０２８９】
また、レンズに度が入った検査用眼鏡６００において、レンズ・瞳間距離を測定する。すなわち、まず、上記と同様の方法で遠用シール３００、４００を貼着する。この検査用眼鏡６００は、実施例１の検査用眼鏡６００と同様の構成である。なお、近用シールは貼着しない。
【０２９０】
なお、遠用シール３００（厳密には、剥離紙３００ｃを除いた遠用シール３００）は、レンズ６１２ａの前面側に貼着し、遠用シール４００（厳密には、剥離紙４００ｃを除いた遠用シール４００）は、レンズ６１４ａの前面側に貼着する。
【０２９１】
そして、レンズ・瞳間距離の測定を行う。すなわち、レンズの厚みの測定を行ない、その後、レンズ・瞳間距離を測定するのであるが、左眼用の眼鏡用測定具と右眼用の眼鏡用測定具のそれぞれについて測定を行う。つまり、左眼用の眼鏡用測定具３を用いて、遠用位置のレンズの厚みを測定し、その後、遠用位置のレンズ・瞳間距離を測定するとともに、右眼用の眼鏡用測定具を用いて、遠用位置のレンズの厚みを測定し、その後、遠用位置のレンズ・瞳間距離を測定する。
【０２９２】
まず、左眼用の眼鏡用測定具により測定を行う。すなわち、左眼側のレンズの遠用シール４００の位置のレンズの厚みを測定する。レンズの厚みの測定に当たっては、検査用眼鏡を装着していない状態で行う。
【０２９３】
つまり、図３１に示すように、２つのレッグ部２０、２８０により眼鏡のレンズを挟んだ状態としてレンズの厚みを測定する。つまり、レッグ部２０のレンズ当接部２５ｂの先端をレンズ６１４ａの一方の面に当接させるとともに、レッグ部２８０のレンズ当接部２８５ｂの先端をレンズ６１４ｃの他方の面に当接させることにより、操作部２００は、２つのレンズ当接部２５ｂ、２８５ｂが互いに当接した状態（この状態では、操作部２００は、固定部７０に対して最も左側面側に位置し、図３３（ａ）に示す状態となる。操作部２００が固定部７０に対して最も左側面側となる位置を「原点位置」とする。）に対して、右側面側にスライドした位置となり、操作部２００が右方向にスライドしたのに合わせて、第１主尺１００を右方向にスライドさせて操作部２００の左側面に当接させる。
【０２９４】
つまり、遠用シール４００のシール本体４００ａの円弧状部４０２の中心位置にレッグ部２０のレンズ当接部２５ｂとレンズ当接部レッグ部２８０のレンズ当接部２８５ｂの先端同士を接触させて（第１挟み工程）、操作部２００が固定部７０に対して原点位置から移動した分だけ第１主尺１００を移動させて第１主尺１００（特に、板状部１０４の右側面側の端部）を操作部２００（特に、上側構成部２１４の左側面側の端部）に当接させる（主尺第１スライド工程）。以上のようにして、第１主尺１００を操作部２００に当接させた状態は図３３（ｂ）に示すようになり、第１主尺１００の位置により遠用位置のレンズの厚みが保持されたことになる。
【０２９５】
その後、再び眼鏡を購入者に装着して、遠用位置についてレンズ・瞳間距離を測定する。測定の方法は、レンズ当接部５０ａ、５０ｂを２つの遠用シール４００の円弧状部４０２の中心位置（遠用位置と近用位置において第１主尺が対応する位置）にそれぞれ当接させた状態で、操作者が操作部２００の正面構成部２７０を覗き込んで、図３２に示すように、縦方向直線部９１２ｂと縦方向直線部９０４ｂとが一致した状態で、縦方向直線部９１２ｂ、９０４ｂが瞳の頂点（レンズ側の頂点）に一致するまで操作部２００をスライドさせる（操作部第２スライド工程）。なお、短時間に測定を行なうために、アーム部４２を伸ばすことなく、レンズ当接部５０ａのみを遠用シール４００の円弧状部４０２の中心位置に当接させるようにしてもよい。
【０２９６】
そして、縦方向直線部９１２ｂ、９０４ｂと、瞳の頂点とが一致する位置で操作部２００のスライドを停止させて図３４（ｃ）に示す状態とし、その位置の第１主尺１００の目盛りに対して表示部２２８が示す位置を読み取ることにより（読取り工程）、遠用位置のレンズ・瞳間距離を確認することができる。図３４（ｃ）の例では、Ｋが遠用位置のレンズ・瞳間距離となる。なお、水平挟設部２１０の上側構成部２１４と上側板状部７０ｃとは、透明な部材又は半透明な部材により形成されているので、上側構成部２１４や上側板状部７０ｃを通して、第１主尺１００の目盛りを読むのに支障はない。
【０２９７】
なお、上記の説明において、操作者が操作部２００の正面構成部２７０を覗き込んで、レンズ・瞳間距離を測定するものとして説明したが、拡大鏡ユニット８００をレッグ部２８０の本体部２８２に取り付けて、上方から視認して測定してもよい。これにより、操作者（測定者）が腰をかがめることなく、楽な姿勢で測定を行なうことができる。
【０２９８】
以上のように、左眼用のレンズについて、レンズ・瞳間距離の測定が行われるが、同様に、右眼用の眼鏡用測定具を用いて、上記と同様に、右眼用のレンズについてレンズ・瞳間距離の測定を行う。つまり、遠用位置におけるレンズの厚みを測定した後に、操作部を固定部に対してスライドさせてレンズ・瞳間距離を測定する。
【０２９９】
なお、検査用眼鏡６００を用いたレンズ・瞳間距離の測定によって、１２ｍｍからずれている場合には、１２ｍｍになるように検査用眼鏡６００を調整してから他の測定（レンズの度数の測定等）をする。
【０３００】
また、レンズ・瞳間距離の測定に際しては、傾斜角度測定部２５２において、眼鏡用測定具３が水平方向に対する傾斜角度を測定しておき、その傾斜角度のデータを記録しておく。つまり、傾斜角度測定部２５２によれば、眼鏡用測定具３の左右方向における傾斜角度を測定できるので、レンズ当接部５０ａ、５０ｂを遠用位置に当接させた際の傾斜角度と近用位置に当接させた際の傾斜角度を測定して記録しておき、できあがった眼鏡の調整時にそのデータを用いる。
【０３０１】
なお、検査用眼鏡による測定によりレンズの度数が決定し、決定された度数等に従いレンズ（購入者が実際に購入する眼鏡）の厚みが決定されるので、この決定されたレンズの厚みとサンプルレンズの厚みとを比較して、購入しようとする眼鏡に度入りのレンズを装着した際にレンズ・瞳間距離が１２ｍｍとなるように、眼鏡のフレームの形状（例えば、鼻当てやテンプル等の形状）を調整する。例えば、眼鏡のつるの形状の曲げ具合を調整したり、眼鏡の鼻当ての箇所を調整する。つまり、通常サンプルレンズの遠用位置の厚みは１．０ｍｍであるので、仮に、度入りのレンズの遠用位置の厚みが１．５ｍｍの場合には、サンプルレンズに比べて前後に０．２５ｍｍずつ突出するので、サンプルレンズの段階で、レンズ・瞳間距離が１２．２５ｍｍとなるようにしておけば、度入りのレンズが取り付けられた眼鏡を装着した際に、レンズ・瞳間距離が１２ｍｍとなる。つまり、度入りのレンズの厚みをａとした場合に、サンプルレンズを取り付けた眼鏡を装着した状態で、レンズ・瞳間距離が１２＋（ａ−１．０ｍｍ）／２となるようにしておく。つまり、サンプルレンズを取り付けた眼鏡において、レンズ・瞳間距離を測定してあるので、その値に従い、眼鏡のフレームの形状（例えば、鼻当てやテンプル等の形状）を調整する。
【０３０２】
また、眼鏡のテンプルの幅が広い場合には、度入りのレンズが取り付けられた眼鏡において、眼鏡を装着した状態で側方からレンズ・瞳間距離を測定することができず、また、度入りのレンズが取り付けられた眼鏡を装着した状態で、斜め測定部７００を用いて測定しても、度入りのレンズを通して瞳の頂点の位置を決定することから、瞳の頂点の位置が歪んで見えてしまうので、予め、図３５に示すように、レンズ５０４の前面（具体的には、前面側の頂面の位置）と眼鏡の智５１２（又はテンプル５１０）の任意の位置（側方計測位置とする）間の距離Ｔを計測しておく。計測は定規又は主尺（第１主尺１００又は第２主尺１１０）により行なう。
【０３０３】
つまり、距離Ｔを計測しておけば、サンプルレンズを取り付けた眼鏡を装着した状態で、レンズ・瞳間距離が１２＋（ａ−１．０ｍｍ）／２（ａは、度入りのレンズの厚み）となるようにしておくことにより、度入りのレンズを取り付けた眼鏡を装着した状態で、レンズ（度入りレンズ）の前面と側方計測位置間の距離がＴ＋（ａ−１．０ｍｍ）／２となっていることにより、度入りレンズを取り付けた眼鏡を装着した状態で、レンズ・瞳間距離が１２ｍｍとなっていることを確認できる。
【０３０４】
以上のように測定された「瞳孔間距離」のデータや、「眼鏡の中心位置と瞳孔の間の距離」のデータや検査用眼鏡を装着した状態で検出したレンズの度数等の情報を用いて、眼鏡を作成する。なお、当然他の検査に基づくデータも用いて眼鏡を作成することになる。
【０３０５】
次に、購入者用に製造された眼鏡（この眼鏡のレンズには度が入っている）を購入者に装着してもらい、眼鏡用測定具３により、以下のように、レンズ・瞳間距離を測定した後に眼鏡の調整を行う。
【０３０６】
すなわち、上記と同様の方法で遠用シール３００、４００を貼着する。なお、傾斜角度測定部２５２により遠用位置と近用位置の傾斜角度を測定して、眼鏡の購入者（被験者）が購入しようとする眼鏡５００（レンズに度が入っていないもの）を装着して測定した傾斜角度のデータと比較して、遠用シールの位置をチェックするのが好ましい。
【０３０７】
そして、レンズ・瞳間距離の測定を行う。すなわち、左眼用の眼鏡用測定具３を用いて、遠用位置のレンズの厚みを測定し、その後、遠用位置のレンズ・瞳間距離を測定するとともに、右眼用の眼鏡用測定具を用いて、遠用位置のレンズの厚みを測定し、その後、遠用位置のレンズ・瞳間距離を測定する。右眼用のレンズについても、右眼用の眼鏡用測定具４を用いて同様に測定する。
【０３０８】
レンズの厚みの測定の方法や、レンズ・瞳間距離の測定の方法は、上記のサンプルレンズが取り付けられた眼鏡における方法や、上記のレンズに度が入った検査用眼鏡における方法と同様であるので、詳しい説明を省略する。
【０３０９】
そして、測定されたレンズ・瞳間距離が１２ｍｍとなっているか否かを確認する。なお、サンプルレンズが取り付けられた眼鏡の段階で、度入りのレンズが取り付けられた眼鏡の状態でレンズ・瞳間距離が１２ｍｍとなるように調整を行っているので、測定されたレンズ・瞳間距離は１２ｍｍとなっているはずであるが、１２ｍｍと微妙に異なる場合には、１２ｍｍとなるように眼鏡のフレームの形状（例えば、鼻当てやテンプル等の形状）を調整する。例えば、眼鏡のつるの形状の曲げ具合を調整したり、眼鏡の鼻当ての箇所を調整する。
【０３１０】
なお、眼鏡のテンプルの幅が広く、側方から操作者が操作部２００の正面構成部２７０を覗き込んで測定を行なうことができない場合には、度入りのレンズを取り付けた眼鏡を装着した状態で、レンズ（度入りレンズ）の前面と側方計測位置間の距離がＴ＋（ａ−１．０ｍｍ）／２（なお、Ｔは、サンプルレンズが取り付けられた眼鏡において測定された、レンズ５０４の前面（具体的には、前面側の頂面の位置）と眼鏡の智５１２（又はテンプル５１０）の任意の位置（側方計測位置とする）間の距離である）となっていることにより、度入りレンズを取り付けた眼鏡を装着した状態で、レンズ・瞳間距離が１２ｍｍとなっていることを確認できる。なお、１２ｍｍと微妙に異なる場合には、１２ｍｍとなるように眼鏡のフレームの形状（例えば、鼻当てやテンプル等の形状）を調整する。
【０３１１】
以上のように、本実施例の眼鏡用測定具３や眼鏡用測定具４によれば、レンズの厚みに応じて、第１主尺１００をスライドさせておき、その後、操作部２００をスライドさせて、縦方向直線部９１２ｂと縦方向直線部９０４ｂとが一致した状態で、レンズ・瞳間距離を測定するので、レンズ・瞳間距離を正確に測定することができ、レンズ・瞳間距離を正確に１２ｍｍにすることができる。また、眼鏡のテンプルの幅が広い場合でも、斜め測定部７００が設けられているので、これによっても、レンズ・瞳間距離を正確に測定することができ、レンズ・瞳間距離を正確に１２ｍｍにすることができる。
【０３１２】
また、特に、検査用眼鏡を装着した際に測定したレンズ・瞳間距離と、顧客用に製造された眼鏡を装着した際のレンズ・瞳間距離とを同一にすることにより、検査用眼鏡において調整した状況を再現して、最適な眼鏡を製造することができる。特に、検査用眼鏡においてレンズ・瞳間距離を１２ｍｍに調整して、レンズの度数等を調整し、製造された眼鏡においてレンズ・瞳間距離を１２ｍｍにすることにより、適切な眼鏡を製造することが可能となる。
【０３１３】
また、前後方向にレンズを移動させることができる眼鏡を製造する際には、レンズ・瞳間距離の長さに応じた見え具合のデータを記録し、そのデータに基づいて眼鏡を製造する必要があるので、前後方向にレンズを移動させることができる眼鏡の製造に大きく寄与することができる。
【０３１４】
また、本実施例における遠用シール３００、４００によれば、眼鏡を装着した際の装着者の眼の遠用位置に遠用シールを貼ることにより、遠用位置を正確に把握することができ、遠用位置のレンズ・瞳間距離を測定するに当たり、遠用シール３００、４００の位置にレンズ当接部５０ａ、５０ｂを当接させることにより、正確に遠用位置と近用位置のレンズ・瞳間距離を測定することができる。つまり、遠用シールは、レンズ・瞳間距離を正確に測定するために大きく寄与することができる。
【０３１５】
また、瞳孔間距離や眼鏡の中心位置と瞳孔の間の距離を測定する際にも、遠用シール３００、４００の位置にレンズ当接部５０ａ、５０ｂを当接させることにより、正確に測定することができ、遠用シールや近用シールは、瞳孔間距離や眼鏡の中心位置と瞳孔の間の距離を正確に測定するために大きく寄与することができる。
【０３１６】
また、本実施例の眼鏡用測定具３、４によれば、一部の部材を除き金属製とすることができ、また、実施例１に比べて部品点数が少ないので、製造コストを低減させることができる。
【０３１７】
なお、上記の説明では、実施例２の眼鏡用測定具３、４においては、固定部７０が、一対の切欠部７４、７８と、一対の挿通穴７６、８０を有し、主尺についても、一対の主尺（つまり、第１主尺１００と第２主尺１１０）を有しているとしたが、上記のように、遠用位置についてのみレンズ・瞳間距離を測定するのであれば、主尺は１つでよく、切欠部７４、７８と挿通穴７６、８０についてもいずれか１つ設ければよい。例えば、上記の眼鏡用測定具３、４において、切欠部７８、挿通穴８０と第２主尺１１０を省略する構成としてもよいし、又は、切欠部７４、挿通穴７６と第１主尺１００を省略する構成としてもよい。
【０３１８】
また、上記において、短時間に測定を行なうために、アーム部４２を伸ばすことなく、レンズ当接部５０ａのみを遠用シール４００の円弧状部４０２の中心位置に当接させるようにしてもよい旨を説明したが、実施例２において、レンズ当接部５０ｂとＬ字状板部４７とアーム部４２の構成を省略した構成としてもよい。
【実施例３】
【０３１９】
次に、実施例３の眼鏡用測定具について説明する。実施例３に基づく眼鏡用測定具１０００は、図３６〜図４３に示すように構成され、本体部１０１０と、平行保持部１０５０とを有している。なお、この眼鏡用測定具１０００は、左眼用の測定具であり、右眼用の眼鏡用測定具１００１は、図４０に示す構成となる。
【０３２０】
本体部１０１０は、ベース部１０１２と、ベース部１０１２の上面に固定された屈曲板部１０２０と、屈曲板部１０２０の傾斜板部１０２４に固定された拡大鏡１０３０と、屈曲板部１０２０の水平板部１０２２の上面に固定されたスリット測定部１０４０とを有している。
【０３２１】
ここで、ベース部１０１２は、長方形状の平板状の下側板部１０１４の上面の長手方向（左右方向、Ｘ１−Ｘ２方向）の中央に方形状の平板状の上側板部１０１６が固定されている。上側板部１０１６の領域が第１領域となる。上側板部１０１６の左右方向の長さは、下側板部１０１４の左右方向の長さよりも短く形成され、上側板部１０１６の前後方向の長さは、下側板部１０１４の前後方向の長さと略同一に形成され、上側板部１０１６に被覆されていない左右の領域の長さ、つまり、左側面側の領域である左側領域１０１４ａの左右方向の長さＨ１０１４ａと、右側面側の領域である右側領域１０１４ｂの左右方向の長さＨ１０１４ｂとは同一に形成されている。左側領域１０１４ａと右側領域１０１４ｂとが第２領域となる。第１領域の厚みが第２領域よりも厚いので、ベース部１０１２の上面の第１領域と第２領域の境界位置には、前後方向に段差が形成されている。左側領域１０１４ａの左側面側で正面側の角部には、円形の穴部１０１２ａが形成され、平行保持部１０５０の基端板部１０５４の下面から突出した円柱状の突状部１０５４ａが穴部１０１２ａに嵌合するようになっている。また、右側領域１０１４ｂの右側面側で正面側の角部には、円形の穴部１０１２ｂが形成され、平行保持部１２５０の基端板部１２５４の下面から突出した円柱状の突出部が穴部１０１２ｂに嵌合するようになっている。
【０３２２】
屈曲板部１０２０は、長方形状の平板状の水平板部１０２２と、水平板部１０２２の正面側の端部から連設され、正面側にいくほど上方に傾斜する平板状の傾斜板部１０２４とを有している。水平板部１０２２の左右方向の長さは、上側板部１０１６よりも短く形成され、上側板部１０１６の上面の左右方向における中央に接着剤により固定されている。傾斜板部１０２４は、水平方向に対して４５度に傾斜しており、傾斜板部１０２４の上面には、拡大鏡１０３０が接着剤により固定されている。これにより、拡大鏡１０３０を上方から視認することにより、スリット測定部１０４０を視認することができるようになっている。傾斜板部１０２４と拡大鏡１０３０とで、鏡面ユニットが構成される。
【０３２３】
また、スリット測定部１０４０は、前後方向を向いた互いに平行な３つの平板状の板状部１０４４ａ〜１０４４ｃ（スリット構成部）を有していて、水平板部１０２２に固定された方形状の水平板部１０４２と、水平板部１０４２から直角に立設した板状部１０４４ａ、１０４４ｂ、１０４４ｃと、板状部１０４４ａ〜１０４４ｃの上端に固定された方形状の水平板部１０４６とを有している。板状部１０４４ａ、１０４４ｂ、１０４４ｃは互いに平行に配設され、板状部１０４４ａと板状部１０４４ｂ間の幅（厳密には、板状部１０４４ａの左右方向の中心位置と板状部１０４４ｂの左右方向の中心位置の幅Ｈ１０４４ａ）と、板状部１０４４ｂと板状部１０４４ｃ間の幅（厳密には、板状部１０４４ｂの左右方向の中心位置と板状部１０４４ｃの左右方向の中心位置の幅Ｈ１０４４ｂ）とは同一に形成され、具体的には、幅Ｈ１０４４ａ、Ｈ１０４４ｂともに４ｍｍに形成されている。板状部１０４４ａ〜１０４４ｃは、同じ大きさ・形状で、同じ厚みに形成されている。
【０３２４】
また、板状部１０４４ｂの左右方向の位置は、平行保持部１０５０を本体部１０１０に装着した状態（つまり、基端板部１０５４の円柱状の突状部１０５４ａを穴部１０１２ａに嵌合して、基端板部１０５４の右側面側の辺部が上側板部１０１６の左側面側の辺部に接した状態）で図４１に示すように、ボルト部１１０４のネジ部１１０４ａの先端が垂直板部１０９４の左側面側の面と面一になった状態で、回転部１１００の右側面側の先端（レンズ当接部１１０６の先端）から左右方向に１２ｍｍの位置となっている。つまり、板状部１０４４ｂの方向とネジ部１１０４ａの軸線ＮＪの交点Ｇとレンズ当接部１１０６の先端間の長さは、ボルト部１１０４のネジ部１１０４ａの先端が垂直板部１０９４の左側面側の面と面一になった状態で、１２ｍｍとなっている。なお、ボルト部１１０４のネジ部１１０４ａの先端が垂直板部１０９４の左側面側の面と面一になった状態では、回転部１１００の垂直板部１０８４から右側面側に突出した部分の長さは、７ｍｍであるので、垂直板部１０８４の右側面側の面からは、左右方向において、１９ｍｍの位置となる。
【０３２５】
平行保持部１０５０は、ベース部（第２ベース部）１０５２と、ベース部１０５２の支持板部１０６０に固定されたレンズ厚調節部１０７０と、ベース部１０５２の上面に固定された屈曲板部１１２０と、屈曲板部１１２０の傾斜板部１１２４に固定された拡大鏡１１３０と、屈曲板部１１２０の水平板部１１２２の上面に固定されたスリット測定部１１４０と、を有している。
【０３２６】
ここで、ベース部１０５２は、方形状の基端板部１０５４と、基端板部１０５４の背面側の端部から連設された長方形状のアーム板部１０５６と、アーム板部１０５６の背面側の端部から連設され、背面側にいくほど上方に傾斜した平板状の傾斜板部１０５８と、傾斜板部１０５８の背面側の端部から連設された支持板部１０６０とを有している。基端板部１０５４とアーム板部１０５６と支持板部１０６０は、水平方向の平板状を呈し、アーム板部１０５６と傾斜板部１０５８と支持板部１０６０は、基端板部１０５４の厚みよりも厚く形成され、基端板部１０５４の厚みの略２倍の厚みを有している。基端板部１０５４の形状・大きさは、左側領域１０１４ａと略同一となっている。
【０３２７】
また、支持板部１０６０の右側面側には、Ｌ字状板部１０８０の垂直板部１０８４とＬ字状板部１０９０の垂直板部１０９４が嵌合するための切欠部１０６０ａが形成されている。切欠部１０６０ａの左右方向の長さは、垂直板部１０８４の厚みと垂直板部１０９４の厚みを加算した長さとなっている。
【０３２８】
また、レンズ厚調節部１０７０は、支持板部１０６０に固定して設けられ、回転部軸支部１０７１と、回転部軸支部１０７１に対して螺合して、回転部１１００を回転部軸支部１０７１に対して回転させることにより、左右方向に移動する回転部１１００とを有している。
【０３２９】
回転部軸支部１０７１は、Ｌ字状板部１０８０と、Ｌ字状板部１０９０と、Ｌ字状板部１０８０の凹部１０８４ａとＬ字状板部１０９０の凹部１０９４ａに埋設されたナット部１１１０とを有している。
【０３３０】
Ｌ字状板部１０８０は、方形状の平板状の水平板部１０８２と、水平板部１０８２の右側面側の端部から直角に立設した方形状の板状の垂直板部１０８４とを有し、垂直板部１０８４には、左側面側に、ナット部１１１０を収納するための六角柱状の凹部１０８４ａと、凹部１０８４ａから垂直板部１０８４の右側面側に貫通した円柱状の貫通穴１０８４ｂとを有している。
【０３３１】
また、Ｌ字状板部１０９０は、方形状の平板状の水平板部１０９２と、水平板部１０９２の右側面側の端部から直角に立設した方形状の板状の垂直板部１０９４とを有し、垂直板部１０９４には、右側面側に、ナット部１１１０を収納するための六角柱状の凹部１０９４ａと、凹部１０９４ａから垂直板部１０９４の左側面側に貫通した円柱状の貫通穴１０９４ｂとを有している。垂直板部１０９４の高さ方向の長さは、垂直板部１０８４の高さ方向の長さよりも短く形成されている。つまり、水平板部１０９２が支持板部１０６０の上面に接着され、水平板部１０８２が支持板部１０６０の底面に接着されて、垂直板部１０８４と上端の高さと垂直板部１０９４の上端の高さが揃うので、その分垂直板部１０９４の高さ方向の長さは、垂直板部１０８４の高さ方向の長さよりも短く形成されている。
【０３３２】
凹部１０８４ａと凹部１０９４ａの深さは、ナット部１１１０の厚みの略半分の長さを有し、凹部１０８４ａと凹部１０９４ａ内にナット部１１１０を収納して垂直板部１０８４と垂直板部１０９４を接着することにより垂直板部１０８４と垂直板部１０９４内にナット部１１１０が埋設される。ナット部１１１０には、内側にネジ溝が形成されたネジ穴が形成されている。
【０３３３】
なお、回転部軸支部１０７１を支持板部１０６０に取り付けるに当たっては、垂直板部１０９４と垂直板部１０８４とを切欠部１０６０ａ内に配置した状態で、Ｌ字状板部１０８０の水平板部１０８２は、支持板部１０６０の下面に接着して固定し、Ｌ字状板部１０９０の水平板部１０９２は、支持板部１０６０の上面に接着して固定する。
【０３３４】
また、回転部１１００は、円形の板状でネジ部１１０４ａを挿通する穴部１１０２ｂを有する調節つまみ１１０２と、調節つまみ１１０２の穴部１１０２ｂに挿通されたボルト部１１０４と、調節つまみ１１０２の右側面側の端部に接着して固定されたレンズ当接部１１０６とを有している。ここで、調節つまみ１１０２の右側面側には、ボルト部１１０４の頭部（当接部支持部）１１０４ｂを収納する六角柱状の凹部１１０２ａが設けられ、ボルト部１１０４の六角柱状の頭部１１０４ｂが収納される。ボルト部１１０４においては、頭部１１０４ｂに周面にネジ溝が形成されたネジ部１１０４ａが設けられている。なお、ネジ部１１０４ａに形成されたネジ溝のピッチが０．５ｍｍであるので、ネジ溝の１ピッチ分を回転させることにより０．５ｍｍ軸線方向に移動する。なお、調節つまみ１１０２に目印を付けておき、回転部１１００が１回転したことが容易に分かるようにするのが好ましい。
【０３３５】
レンズ当接部１１０６は、円形の平面と該平面から連設された曲面（球面の一部をなす曲面）を有していて、ボルト部１１０４の頭部１１０４ｂを凹部１１０２ａに収納した状態で、レンズ当接部１１０６の平面が頭部１１０４ｂを被覆して調節つまみ１１０２に接着されている。
【０３３６】
また、屈曲板部１１２０は、長方形状の平板状の水平板部１１２２と、水平板部１１２２の正面側の端部から連設され、正面側にいくほど上方に傾斜する平板状の傾斜板部１１２４とを有している。水平板部１１２２は、基端板部１０５４及びアーム板部１０５６の上面に接着剤により固定され、水平板部１１２２の長辺は、前後方向に対して２６．５６５度の角度でその背面側が右側面側に傾いている。傾斜板部１１２４は、水平方向に対して４５度に傾斜しており、傾斜板部１１２４の上面には、拡大鏡１１３０が接着剤により固定されている。これにより、拡大鏡１１３０を上方から視認することにより、スリット測定部１１４０を視認することができるようになっている。傾斜板部１２２４と拡大鏡１１３０とで、第２鏡面ユニットが構成される。
【０３３７】
また、スリット測定部１１４０は、前後方向に対して２６．５６５度の角度をなす互いに平行な３つの平板状の板状部１１４４ａ〜１１４４ｃ（第２スリット構成部）を有していて、水平板部１１２２に固定された方形状の水平板部１１４２と、水平板部１１４２から直角に立設した板状部１１４４ａ、１１４４ｂ、１１４４ｃと、板状部１１４４ａ〜１１４４ｃの上端に固定された方形状の水平板部１１４６とを有している。板状部１１４４ａ、１１４４ｂ、１１４４ｃは互いに平行に配設され、上面視における方向は、図４１に示すように、前後方向（Ｙ１−Ｙ２方向）に対して背面側が右側面側に２６．５６５度傾斜した角度となっていて、板状部１１４４ａと板状部１１４４ｂ間の幅（厳密には、板状部１１４４ａの板状部１１４４ａに対して直角方向の中心位置と板状部１１４４ｂの板状部１１４４ｂに対して直角方向の中心位置の幅Ｈ１１４４ａ）と、板状部１１４４ｂと板状部１１４４ｃ間の幅（厳密には、板状部１１４４ｂの板状部１１４４ｂに対して直角方向の中心位置と板状部１１４４ｃの板状部１１４４ｃに対して直角方向の中心位置の幅Ｈ１１４４ｂ）とは同一に形成され、具体的には、幅Ｈ１１４４ａ、Ｈ１１４４ｂともに４ｍｍ×２／√５となっている。つまり、図４３に示すように、正面側から視認した場合に、左右方向の４ｍｍ（＝図４３におけるａ）の幅は、板状部１１４４ａ〜１１４４ｃが前後方向に対して２６．５６５度傾斜しているので、２／√５倍となるため、４ｍｍ×２／√５となる。板状部１１４４ａ〜１１４４ｃは、同じ大きさ・形状で、同じ厚みに形成されている。また、板状部１０４４ａ〜１０４４ｃの厚みと板状部１１４４ａ〜１１４４ｃの厚みとは同じに形成されている。
【０３３８】
また、板状部１１４４ｂの延長線（平面視における延長線）は、板状部１０４４ｂの平面視における延長線とネジ部１１０４ａの軸線ＮＪの平面視における延長線との交点Ｇと交わるようになっている。また、図４３に示すように、板状部１０４４ａの延長線（平面視における延長線）と軸線ＮＪとの交点と、板状部１１４４ａの延長線（平面視における延長線）と軸線ＮＪとの交点とは一致し、板状部１０４４ｃの延長線（平面視における延長線）と軸線ＮＪとの交点と、板状部１１４４ｃの延長線（平面視における延長線）と軸線ＮＪとの交点とは一致する。これにより、スリット測定部１０４０による測定結果とスリット測定部１１４０による測定結果は一致し、例えば、スリット測定部１１４０を覗いて、板状部１１４４ｂの延長線上に瞳の頂点がある場合には、スリット測定部１０４０を覗いて、板状部１０４４ｂの延長線上に瞳の頂点があることになる。なお、板状部１０４４ａ〜１０４４ｃ、１１４４ａ〜１１４４ｃの平面視における延長線とは、厳密には、各板状部の平面視における軸線（中心線）（長手方向の軸線（中心線））の延長線である。
【０３３９】
また、板状部１０４４ｂの左右方向（Ｘ１−Ｘ２方向）の位置は、平行保持部１０５０を本体部１０１０に装着した状態（つまり、基端板部１０５４の円柱状の突状部１０５４ａを穴部１０１２ａに嵌合して、基端板部１０５４の右側面側の辺部が上側板部１０１６の左側面側の辺部に接した状態）で図４１に示すように、ボルト部１１０４のネジ部１１０４ａの先端が垂直板部１０９４の左側面側の面と面一になった状態で、回転部１１００の右側面側の先端（レンズ当接部１１０６の先端）から左右方向に１２ｍｍの位置となっている。なお、ボルト部１１０４のネジ部１１０４ａの先端が垂直板部１０９４の左側面側の面と面一になった状態では、回転部１１００の垂直板部１０８４から右側面側に突出した部分の長さは、７ｍｍであるので、垂直板部１０８４の右側面側の面からは、左右方向において、１９ｍｍの位置となる。
【０３４０】
次に、右眼用の眼鏡用測定具１００１は、図４０に示すように、本体部１０１０と、平行保持部１２５０とを有し、本体部１０１０は、左眼用の眼鏡用測定具１０００の本体部１０１０と同一の構成であり、平行保持部１２５０は、平行保持部１０５０と左右対称である以外は同一の構成である。
【０３４１】
すなわち、平行保持部１２５０は、ベース部１２５２と、ベース部１２５２の支持板部１２６０に固定されたレンズ厚調節部１２７０と、ベース部１２５２の上面に固定された屈曲板部１２２０と、屈曲板部１２２０の傾斜板部１２２４に固定された拡大鏡１２３０と、屈曲板部１２２０の水平板部１２２２の上面に固定されたスリット測定部１２４０と、を有している。傾斜板部１２２４と拡大鏡１２３０とで、鏡面ユニットが構成される。
【０３４２】
ここで、ベース部１２５２は、ベース部１０５２と左右対称である以外は同一の構成であり、レンズ厚調節部１２７０は、レンズ厚調節部１０７０と同一の構成であり、屈曲板部１２２０と拡大鏡１２３０は、屈曲板部１１２０と拡大鏡１１３０と左右対称である以外は同一の構成であるので、詳しい説明を省略する。つまり、レンズ厚調節部１２７０は、回転部軸支部１２７１と、回転部軸支部１２７１に対して螺合して、回転部軸支部１２７１に対して回転させることにより、左右方向に移動する回転部１３００とを有している。
【０３４３】
つまり、実施例３の眼鏡用測定具１０００、１００１は以下の構成であるといえる。「眼鏡を装着した状態の眼鏡のレンズの内側の面と装着者の瞳間の距離であるレンズ・瞳間距離を測定するための眼鏡用測定具であって、略長方形の略板状を呈し、長手辺の方向を左右方向とした場合に、左右方向の中央領域に設けられた第１領域と第１領域の左右両側に設けられた第２領域（１０１４ａ、１０１４ｂ）とを有し、第１領域の厚みが第２領域の厚みよりも大きく形成され、第１領域と第２領域の境界位置に前後方向を向いた段差が形成されたベース部（１０１２）と、ベース部の第１領域の上面に設けられ、前後方向を向いた複数の平板状部を間隔を介して第１領域の上面に対して直角に立設して設けたスリット構成部（１０４４ａ〜１０４４ｃ）と、スリット構成部の正面側に設けられ、水平方向に対して正面側が上方となるように傾斜した鏡面を有する鏡面ユニット（１０２４、１０３０）とを有する本体部（１０１０）と、本体部に対して着脱自在に設けられた平行保持部で、前後方向に伸びた第２ベース部（１０５２、１２５２）と、第２ベース部の上面に設けられ、複数の平板状部を間隔を介して第２ベース部の上面に対して直角に立設して設けた第２スリット構成部で、各平板状部における当接部側が前後方向に対して左右方向の一方の側に傾斜するとともに、当接部側とは反対側が左右方向の他方の側に傾斜して設けられた第２スリット構成部（１１４４ａ〜１１４４ｃ）と、レンズ厚調節部（１０７０、１２７０）を有し、レンズ厚調節部が、回転部（１１００、１３００）と、左右方向に移動可能に軸支する回転部軸支部（１０７１）とを有し、回転部は、レンズの表面に当接する当接部（１１０６）と、当接部を左右方向の一方の側に支持する当接部支持部（１１０４ｂ）と、当接部支持部から左右方向の他方の側に伸びたネジ部で周面にネジ溝を有するネジ部（１１０４ａ）を有し、回転部軸支部は、ネジ部と螺合するためのネジ溝が形成されたネジ穴を有し、第２スリット構成部を構成する所定の板状部の平面視における延長線は、スリット構成部における該所定の板状部に対応する板状部の平面視における延長線とネジ部（１１０４ａ）の平面視における軸線の延長線との交点と交わる平行保持部（１０５０、１２５０）と、を有する眼鏡用測定具。」といえる。
【０３４４】
よって、回転部の回転部軸支部に対する左右方向の位置が所定の場合（つまり、ネジ部１１０４ａが垂直板部１０９４から突出しない状態（図４１の状態）の場合）に、スリット構成部から覗いた際に、スリット構成部を構成する所定の板状部（板状部１０４４ｂ）の方向と当接部の先端から左右方向の交点と該当接部の先端までの距離を予め決めておくことにより（つまり、本実施例では１２ｍｍに定める）、レンズの厚みを別途測定して、レンズの厚み分だけ回転部１１００を回転部軸支部１０７１に対して回転させて、該一方の側とは反対側の他方の側に移動させ、スリット構成部から瞳を覗くことにより、レンズの厚みを考慮した上で、レンズ・瞳間距離を即座に測定することができる。
【０３４５】
なお、左眼用の眼鏡用測定具１０００においては、右側面側（Ｘ２側）が左右方向の一方の側となり、左側面側（Ｘ1側）が左右方向の他方の側となる。また、右眼用の眼鏡用測定具１００１（図４０）においては、左側面側（Ｘ１側）が左右方向の一方の側となり、右側面側（Ｘ２側）が左右方向の他方の側となる。
【０３４６】
眼鏡用測定具１０００、１００１の使用方法について説明する。眼鏡用測定具１０００と眼鏡用測定具１００１の使用方法は同様であるので、眼鏡用測定具１０００を例に説明する。眼鏡用測定具１０００は、左眼のレンズ・瞳間距離を測定するのに用いるが、レンズの厚みを測定し（レンズの厚みの測定は他の器具により行なう）、その厚み分だけレンズ厚調節部１０７０のネジ部１１０４ａを垂直板部１０９４の左側面側から突出させ（図４２参照）、図４４に示すように、平行保持部１０５０を眼鏡のフレームに対して平行に配置して、レンズ当接部１１０６をレンズに当接させて、スリット測定部１０４０又はスリット測定部１１４０により測定を行なう。なお、レンズの厚みが既知の場合（通常、サンプルレンズの遠用位置の厚みは１．０ｍｍである）には、その厚み分だけレンズ厚調節部１０７０のネジ部１１０４ａを垂直板部１０９４の左側面側から突出させる。
【０３４７】
スリット測定部１０４０とスリット測定部１１４０が設けられているが、基本的には、スリット測定部１０４０により測定を行い、眼鏡のテンプル部の幅が広い等によりスリット測定部１０４０による測定を行なうことができない場合には、スリット測定部１１４０により測定を行なう。
【０３４８】
スリット測定部１０４０（１１４０）による測定に当たっては、ネジ部１１０４ａを垂直板部１０９４から突出させない状態（図４１参照）では、３つの板状部のうち板状部１０４４ｂ、１１４４ｂの方向とネジ部１１０４ａの軸線ＮＪの方向の交点Ｇとレンズ当接部１１０６の先端間の長さは１２ｍｍであるので、図４２に示すように、レンズの厚み分だけネジ部１１０４ａを突出させることにより、板状部１０４４ｂ（１１４４ｂ）の方向に見える位置がレンズの内側の面から１２ｍｍの位置となる。
【０３４９】
よって、図４５の（ａ）に示すように、板状部１０４４ｂ（１１４４ｂ）の位置に瞳Ｗの頂点がある場合には、レンズ・瞳間距離が１２ｍｍであり、図４５（ｂ）に示すように、板状部１０４４ｂ（１１４４ｂ）と板状部１０４４ｃ（１１４４ｃ）間の丁度真ん中のの位置に瞳Ｗの頂点がある場合には、レンズ・瞳間距離が１４ｍｍ（１２ｍｍ＋２ｍｍ）であり、図４５（ｃ）に示すように、板状部１０４４ｂ（１１４４ｂ）と板状部１０４４ｃ（１１４４ｃ）間の板状部１０４４ｃ（１１４４ｃ）側の位置に瞳Ｗの頂点がある場合には、レンズ・瞳間距離が１５ｍｍ（１２ｍｍ＋３ｍｍ）となる。また、板状部１０４４ａと板状部１０４４ｂ間に瞳の頂点がある場合にも同様であり、例えば、板状部１０４４ａ（１１４４ａ）と板状部１０４４ｂ（１１４４ｂ）間の丁度真ん中の位置に瞳Ｗの頂点がある場合には、レンズ・瞳間距離が１０ｍｍ（１２ｍｍ−２ｍｍ）となる。
【０３５０】
以上のように、スリット構成部１０４０（１１４０）から瞳を覗いた際に、瞳の頂点がスリット測定部１０４０（１１４０）内で見える位置（横方向の位置）とレンズ・瞳間距離との対応関係を予め定めておくことにより、レンズ・瞳間距離を正確に測定することができる。
【０３５１】
眼鏡用測定具１０００（１００１）の具体的な使用方法としては、実施例２と同様に行い、まず、遠用シール３００、４００と近用シール３１０、４１０をサンプルレンズを取り付けた眼鏡のレンズに貼着して、遠用位置の瞳孔間距離や近用位置の瞳孔間距離や眼鏡の中心位置と瞳孔の間の距離を測定する。測定の方法は、実施例１、実施例２と同様であるので詳しい説明を省略する。遠用位置の瞳孔間距離や近用位置の瞳孔間距離や眼鏡の中心位置と瞳孔の間の距離の測定は、他の器具（目盛りを有した他の器具、例えば、定規等）を用いる。
【０３５２】
また、眼鏡の購入者が購入しようとする眼鏡（サンプルレンズが取り付けられた眼鏡）の遠用位置についてレンズ・瞳間距離を測定する。すなわち、レンズの厚みの測定を行ない（レンズの厚みの測定は他の器具により行なう）、その後、レンズ・瞳間距離を測定するのであるが、左眼用の眼鏡用測定具１０００と右眼用の眼鏡用測定具１００１のそれぞれについて測定を行う。なお、サンプルレンズの厚みが既知の場合には、その値を用いる。通常サンプルレンズの遠用位置の厚みは１．０ｍｍであるので、その値を用いればよい。
【０３５３】
そして、遠用位置についてのレンズ・瞳間距離を測定する。つまり、レンズの厚み分だけネジ部１１０４ａを垂直板部１０９４から突出させ、その後、レンズの遠用位置にレンズ当接部１１０６を当接させ、アーム板部１０５６の右側面側の辺部を眼鏡のフレームと平行に配置して、図４５に示すように、瞳の頂点のスリット測定部１０４０（１１４０）を覗いた際の位置を特定することにより測定を行なう。テンプル部の幅が広くスリット測定部１０４０からの測定が困難な場合には、スリット測定部１１４０を用いる。
【０３５４】
なお、上記の説明において、操作者がスリット測定部１０４０を覗き込んで、レンズ・瞳間距離を測定するものとして説明したが、拡大鏡１０３０を上方から視認して測定してもよい。これにより、操作者（測定者）が腰をかがめることなく、楽な姿勢で測定を行なうことができる。
【０３５５】
また、眼鏡のテンプルの幅が広いことによりスリット測定部１０４０による測定が困難な場合には、スリット測定部１１４０を用いて測定する。なお、この場合にも、拡大鏡１１３０を上方から視認して測定してもよい。
【０３５６】
なお、右眼用の眼鏡用測定具１００１によっても、同様に測定を行ない、例えば、図４４においては、左右対称になる以外は同様に測定を行なう。
【０３５７】
また、レンズに度が入った検査用眼鏡６００において、レンズ・瞳間距離を測定する。つまり、実施例２と同様に検査用眼鏡６００のレンズに遠用シール３００、４００を貼着し、遠用位置のレンズの厚みを測定し（レンズの厚みの測定は他の器具により行なう）、その後、遠用位置のレンズ・瞳間距離を測定する。つまり、レンズの厚み分だけネジ部１１０４ａを垂直板部１０９４から突出させ、その後、レンズの遠用位置にレンズ当接部１１０６を当接させ、アーム板部１０５６の右側面側の辺部を眼鏡のフレームと平行に配置して、瞳の頂点のスリット測定部１０４０を覗いた際の位置を特定することにより測定を行なう。
【０３５８】
なお、上記の説明において、操作者がスリット測定部１０４０を覗き込んで、レンズ・瞳間距離を測定するものとして説明したが、拡大鏡１０３０を上方から視認して測定してもよい。これにより、操作者（測定者）が腰をかがめることなく、楽な姿勢で測定を行なうことができる。
【０３５９】
なお、検査用眼鏡６００を用いたレンズ・瞳間距離の測定によって、１２ｍｍからずれている場合には、１２ｍｍになるように検査用眼鏡６００を調整してから他の測定（レンズの度数の測定等）をする。
【０３６０】
なお、検査用眼鏡による測定によりレンズの度数が決定し、決定された度数等に従いレンズ（購入者が実際に購入する眼鏡）の厚みが決定されるので、この決定されたレンズの厚みとサンプルレンズの厚みとを比較して、購入しようとする眼鏡に度入りのレンズを装着した際にレンズ・瞳間距離が１２ｍｍとなるように、眼鏡のフレームの形状（例えば、鼻当てやテンプル等の形状）を調整する。例えば、眼鏡のつるの形状の曲げ具合を調整したり、眼鏡の鼻当ての箇所を調整する。つまり、通常サンプルレンズの遠用位置の厚みは１．０ｍｍであるので、仮に、度入りのレンズの遠用位置の厚みが１．５ｍｍの場合には、サンプルレンズに比べて前後に０．２５ｍｍずつ突出するので、サンプルレンズの段階で、レンズ・瞳間距離が１２．２５ｍとなるようにしておけば、度入りのレンズが取り付けられた眼鏡を装着した際に、レンズ・瞳間距離が１２ｍｍとなる。つまり、度入りのレンズの厚みをａとした場合に、サンプルレンズを取り付けた眼鏡を装着した状態で、レンズ・瞳間距離が１２＋（ａ−１．０ｍｍ）／２となるようにしておく。つまり、サンプルレンズを取り付けた眼鏡において、レンズ・瞳間距離を測定してあるので、その値に従い、眼鏡のフレームの形状（例えば、鼻当てやテンプル等の形状）を調整する。
【０３６１】
また、眼鏡のテンプルの幅が広い場合には、度入りのレンズが取り付けられた眼鏡において、眼鏡を装着した状態で側方からレンズ・瞳間距離を測定することができず、また、度入りのレンズが取り付けられた眼鏡を装着した状態で、スリット測定部１１４０を用いて測定しても、度入りのレンズを通して瞳の頂点の位置を決定することから、瞳の頂点の位置が歪んで見えてしまうので、予め、図３５に示すように、レンズ５０４の前面（具体的には、前面側の頂面の位置）と眼鏡の智５１２（又はテンプル５１０）の任意の位置（側方計測位置とする）間の距離Ｔを計測しておく。計測は、例えば、定規により行なう。
【０３６２】
検査用眼鏡を装着した状態で検出したレンズの度数や他の検査に基づくデータを用いて、眼鏡を作成する。なお、実施例１や実施例２のように、他の器具を用いて、瞳孔間距離や、眼鏡の中心位置と瞳孔の間の距離のデータも併せて測定しておき、これらのデータをレンズの作成に使用するのが望ましい。
【０３６３】
次に、購入者用に製造された眼鏡（この眼鏡のレンズには度が入っている）を購入者に装着してもらい、眼鏡用測定具１０００により、以下のように、レンズ・瞳間距離を測定した後に眼鏡の調整を行う。
【０３６４】
すなわち、上記と同様の方法で遠用シール３００、４００を貼着する。そして、レンズ・瞳間距離の測定を行う。すなわち、左眼用の眼鏡用測定具１０００を用いて、遠用位置のレンズの厚みを測定し、その後、遠用位置のレンズ・瞳間距離を測定するとともに、右眼用の眼鏡用測定具を用いて、遠用位置のレンズの厚みを測定し、その後、遠用位置のレンズ・瞳間距離を測定する。右眼用のレンズについても、右眼用の眼鏡用測定具１００１を用いて同様に測定する。
【０３６５】
レンズの厚みの測定の方法や、レンズ・瞳間距離の測定の方法は、上記のサンプルレンズが取り付けられた眼鏡における方法や、上記のレンズに度が入った検査用眼鏡における方法と同様であるので、詳しい説明を省略する。
【０３６６】
そして、測定されたレンズ・瞳間距離が１２ｍｍとなっているか否かを確認する。なお、サンプルレンズが取り付けられた眼鏡の段階で、度入りのレンズが取り付けられた眼鏡の状態でレンズ・瞳間距離が１２ｍｍとなるように調整を行っているので、測定されたレンズ・瞳間距離は１２ｍｍとなっているはずであるが、１２ｍｍと微妙に異なる場合には、１２ｍｍとなるように眼鏡のフレームの形状（例えば、鼻当てやテンプル等の形状）を調整する。例えば、眼鏡のつるの形状の曲げ具合を調整したり、眼鏡の鼻当ての箇所を調整する。
【０３６７】
なお、眼鏡のテンプルの幅が広く、側方から操作者がスリット構成部１０４０を覗き込んで測定を行なうことができない場合には、度入りのレンズを取り付けた眼鏡を装着した状態で、レンズ（度入りレンズ）の前面と側方計測位置間の距離がＴ＋（ａ−１．０ｍｍ）／２（なお、Ｔは、サンプルレンズが取り付けられた眼鏡において測定された、レンズ５０４の前面（具体的には、前面側の頂面の位置）と眼鏡の智５１２（又はテンプル５１０）の任意の位置（側方計測位置とする）間の距離である）となっていることにより、度入りレンズ５０４を取り付けた眼鏡を装着した状態で、レンズ・瞳間距離が１２ｍｍとなっていることを確認できる。なお、１２ｍｍと微妙に異なる場合には、１２ｍｍとなるように眼鏡のフレームの形状（例えば、鼻当てやテンプル等の形状）を調整する。
【０３６８】
以上のように、本実施例の眼鏡用測定具１０００、１００１によれば、レンズ厚調節部１０７０によりレンズの厚み分だけネジ部１１０４ａを突出させて、レンズの厚みを考慮した上で、平行保持部１０５０を眼鏡のフレームに対して平行に配置して、レンズ当接部１１０６をレンズに当接させて、スリット測定部１０４０（１１４０、１２４０）を覗くことにより、レンズ・瞳間距離を正確に測定することができ、レンズ・瞳間距離を正確に１２ｍｍにすることができる。眼鏡のテンプルの幅が広い場合でも、スリット測定部１１４０、１２４０が設けられているので、これにより、レンズ・瞳間距離を正確に測定することができ、レンズ・瞳間距離を正確に１２ｍｍにすることができる。
【０３６９】
また、眼鏡用測定具１０００、１００１によれば、レンズ厚調節部１０７０、１２７０によりレンズの厚み分だけネジ部１１０４ａを突出させて、レンズの厚みを考慮した上で、スリット測定部１０４０（１１４０、１２４０）を覗くという簡単な操作で、レンズ・瞳間距離を測定することができるので、素早く短時間でレンズ・瞳間距離を測定することが可能となる。
【０３７０】
なお、上記の説明において、スリット測定部１１４０を構成する板状部１１４４ａ〜１１４４ｃの向きは、前後方向に対して２６．５６５度の角度をなすとしたが、他の角度でもよい。また、スリット測定部１０４０においては、幅Ｈ１０４４ａ、１０４４ｂは４ｍｍとしたが、他の長さとしてもよい。また、スリット測定部１０４０、１１４０において、互いに平行な３つの板状部が設けられるとしたが、４つ以上であってもよい。
【０３７１】
なお、実施例２において、正面構成部２７０と操作部背面部２９０の代わりに、実施例３のスリット測定部１０４０を水平挟設部２１０の上面に設けるようにしてもよい。すなわち、図４６に示すように、スリット測定部１０４０を板状部１０４４ａ、１０４４ｂ、１０４４ｃが前後方向と平行になるように取り付ける。具体的には、水平板部１０４２を水平挟設部２１０の上側構成部２１４の上面の左側面側と背面側の角部に、水平板部１０４２の左側面側の辺部が上側構成部２１４の左側面側の辺部と一致し、水平板部１０４２の背面側の辺部が上側構成部２１４の背面側の辺部と一致するように取り付け、板状部１０４４ａの左側面側の面が上側構成部２１４の左側面側の辺部と左右方向において一致するように構成されている。また、水平挟設部２１０の上面の板状部１０４４ｂの位置（厳密には、板状部１０４４ｂの左右方向の中心位置）に前後方向に伸びた直線状の表示部（読取り用目印）２２８が設けられていて、第２主尺１１０の目盛りを読む際の指標となる。
【０３７２】
また、実施例２において、Ｌ字状板部３９とレンズ当接部５０ａの代わりに、図４６に示すように、実施例３のレンズ厚調節部１０７０を設けるようにしてもよい。なお、レンズ厚調節部１０７０における回転部軸支部１０７１を取り付けるには、水平板部３６の回転部軸支部１０７１の取り付け位置に切欠部１０６０ａと同様の切欠部を設ける。
【０３７３】
なお、図４１に示すように、ボルト部１１０４のネジ部１１０４ａの先端が垂直板部１０９４の左側面側の面と面一になった状態（つまり、回転部１１００が回転部軸支部１０７１に対して左右方向に所定の位置にある場合）では、レンズ当接部１１０６の先端（右側面側の端部）が、固定部７０（特に、上側板状部７０ｃ）の左側面側の端部（つまり、目盛り８４、８６のゼロ位置）及びレンズ当接部２５ｂの右側面側の先端と一致するように構成されている。
【０３７４】
以上のような構成とすることにより、レンズ厚調節部１０７０によりレンズの厚み分だけネジ部１１０４ａを突出させて、レンズの厚みを考慮した上で、平行保持部３０を眼鏡のフレームに対して平行に配置して、レンズ当接部１１０６をレンズに当接させて、スリット測定部１０４０を覗くことにより、レンズ・瞳間距離を測定する。なお、スリット測定部１０４０による測定に際しては、操作部２００が最も左側面側にある状態（レンズ当接部２５ｂの先端とレンズ当接部２８５ｂの先端とが当接している状態）で、主尺１００の板状部１０４の右側面側の端部を水平挟設部２１０の上側構成部２１４の左側面側の辺部に当接させ、その状態で、スリット測定部１０４０の板状部１０４４ｂの左右方向の中心位置が主尺１００の主尺本体１０２における左端から１２ｍｍの位置になるように（つまり、表示部２２８が１２ｍｍの位置となるように）右側面側に固定部７０に対してスライドさせる。その状態で、スリット測定部１０４０を覗くことにより瞳の頂点がスリット測定部１０４０内に見える位置によりレンズ・瞳間距離を即座に測定することができる。つまり、レンズの厚み分だけ主尺１００をスライドさせなくても、レンズの厚みを考慮して、レンズ・瞳間距離を測定することができる。
【０３７５】
また、斜め測定部７００により測定する場合には、図４７に示すように、ＨｔとＨｂ間の距離（＝Ｌｃ）は、ＨｂとＨａ間の距離（＝Ｌｂ）となるが、回転部１１００を回転部軸支部１０７１に対して回転させて、レンズの厚みＬｉ分だけ左側面側に移動させて、レンズの厚みＬｉ分だけネジ部１１０４ａを垂直板部１０９４から突出させ、その状態で、レンズ当接部５０ａをレンズに当接させて、計測板部７０４の方向を瞳の頂点に合わせることにより、Ｌｃ’（回転部１１００回転後のＨｔとＨｂ間の距離（図示せず））＝Ｌｈ（レンズ・瞳間距離）＋Ｌａ（レンズ当接部１１０６の厚み）＝Ｌｂ’（回転部１１００回転後のＨｂとＨａ間の距離（図示せず））＝Ｐ（目盛り７１０で読み取った値）＋Ｌａとなるので、目盛り７１０で読み取った値は、そのままレンズ・瞳間距離Ｌｈとなり、目盛り７１０で読み取った値からレンズの厚みを減算する処理が必要ない。
【０３７６】
なお、図４６に示す構成は、左眼用のものであり、図４６に示す構成と左右対称の構成が右眼用となる。
【０３７７】
また、実施例１において、垂直板部３８とレンズ当接部５０ａの代わりに、実施例３のレンズ厚調節部１０７０を設けてもよい。また、実施例１において、平行保持部３０に実施例２の斜め測定部７００を設けてもよい。その場合には、平行保持部３０には、斜め測定部７００のスライド板部７０２を前後方向にスライド可能に保持するホルダを設ける。また、実施例１において、レッグ部２８に拡大鏡ユニット８００と同様の構成の拡大鏡ユニットを着脱可能とし、上方から鏡面を視認することにより測定可能としてもよい。
【０３７８】
また、図２２、図２３に示す検査用眼鏡用の測定具６１０、６８０の変形例について説明する。
【０３７９】
すなわち、測定具６１０の変形例である測定具６１０’は、図４８に示すように、ホルダ６１２と、ホルダ６１２に対してスライドするスライド目盛り部６３０と、ホルダ６１２に固定されたホルダ支持部６５０と、ホルダ支持部６１２を回動自在に支持する回動支持部（回転支持部としてもよい）６６０とを有している。
【０３８０】
ここで、ホルダ６１２とスライド目盛り部６３０の構成は、図２３に示す測定具６１０のホルダ６１２とスライド目盛り部６３０と同様の構成であるので詳しい説明を省略する。
【０３８１】
また、ホルダ支持部６５０は、帯状の板状部材を略コ字状に折曲した形状を呈し、長方形状の中間板部６５０ａと、中間板部６５０ａの一方の短手辺から中間板部６５０ａに対して直角に連設された直角板部６５０ｂと、中間板部６５０ａの他方の短手辺から中間板部６５０ａに対して直角に連設された直角板部６５０ｃとを有していて、ホルダ支持部６５０は、全体に一体に形成されている。直角板部６５０ｂと直角板部６５０ｃとは互いに平行となっている。直角板部６５０ｂと直角板部６５０ｃには、軸部６７０を挿通するための穴部が設けられている。
【０３８２】
また、回動支持部６６０は、帯状の板状部材を略コ字状に折曲した形状を呈し、長方形状の中間板部６６０ａと、中間板部６６０ａの一方の短手辺から中間板部６６０ａに対して直角に連設された直角板部６６０ｂと、中間板部６６０ａの他方の短手辺から中間板部６６０ａに対して直角に連設された直角板部６６０ｃとを有していて、回動支持部６６０は、全体に一体に形成されている。直角板部６６０ｂと直角板部６６０ｃとは互いに平行となっている。直角板部６６０ｂと直角板部６６０ｃには、軸部６７０を挿通するための穴部が設けられている。直角板部６６０ｂは、直角板部６５０ｂの内側に設けられ、直角板部６６０ｃは、直角板部６５０ｃの内側に設けられていて（つまり、中間板部６６０ａの長手辺の長さは中間板部６５０ａの長手辺の長さよりも短く形成されている）、直角板部６５０ｂ、６５０ｃ、６６０ｂ、６６０ｃに軸部６７０を挿通することにより、ホルダ支持部６５０が回動支持部６６０に対して回動するようになっている。
【０３８３】
また、ホルダ支持部６５０の中間板部６５０ａは、ホルダ６１２の板状部６１４の外側の面に固定され、また、回動支持部６６０の中間板部６６０ａの外側の面は、検査用眼鏡６００のテンプル部６０８の外側面の前方端部に固定されている。つまり、軸部６７０がテンプル部６０８に対して略直角となるように、回動支持部６６０がテンプル部６０８に固定されている。なお、ホルダ支持部６５０の中間板部６５０ａを智６０９の側方の外面に取り付けてもよい。
【０３８４】
測定具６１０’を以上の構成とすることにより、ホルダ６１２がテンプル部６０８に対して軸部６７０を中心に回動するので、ホルダ６１２を水平方向に回動させることができる。これによりテンプル部６０８が顔の前面に対して直角とならない場合でも、ホルダ６１２を回動させて、ホルダ６１２の方向を顔の前面に対して直角として、レンズ・瞳間距離を測定することができ、正確にレンズ・瞳間距離を測定することができる。
【０３８５】
なお、測定具６８０の変形例は、テンプル部６０６の外側面の前方端部に設けられていて、測定具６１０’と対称（面対称）に形成されている点以外は同一の構成であるので、詳しい説明を省略する。なお、測定具６８０の変形例についても、智６０９の側方の外面に取り付けるようにしてもよい。なお、ホルダ６１２とホルダ支持部６５０とでホルダユニット（ホルダとしてもよい）（６１１）を構成する。
【０３８６】
なお、測定具６１０、６１０’、６８０及び測定具６８０の変形例において、ホルダ６１２の板状部６２０又は板状部６２２に第３ポケットに取り付けたレンズの厚み方向の中心位置を示す目印と該目印を基点とする目盛りを表示して設けておくのが好ましい。例えば、測定具６１０’の板状部６２２には、目印６２２ａと、該目印６２２ａを基点とする目盛り６２２ｂを設ける。目印６２２ａは、スライド目盛り部６３０のスライド方向に対して直角方向の直線により形成され、テンプル部６０６、６０８を前枠部６０４に対して直角に開いた状態において、検査用眼鏡６００の第３ポケットに取り付けたレンズの厚み方向の中心位置の側方位置（該中心位置と検査用眼鏡６００の前後方向において一致する位置）に設けられる。また、目盛り６２２ｂは、スライド目盛り部６３０のスライド方向に沿って形成されている。
【０３８７】
これにより、レンズの厚みが分かれば、目印６２２ａから目盛り６２２ｂに沿ってレンズの厚みの半分の長さの位置に、スライド目盛り部６３０の目盛り６３３の直線６３３−１（目盛りの基点）の位置から目盛り６３３に沿って１２ｍｍの位置を合わせ、表示部６３７−１、６３７−２と直線６３３−１とが重なった状態で瞳の頂点と重なっているかを見ることにより、レンズ・瞳間距離が１２ｍｍとなっているかを確認することができる。なお、本体部６３２の板状部６３４を通して目盛り６２２ｂを見る必要がある（つまり、目盛り６３３と目盛り６２２ｂの相対的な位置が分かる必要がある）ので、本体部６３２（特に、板状部６３４）は透明又は半透明である必要がある。なお、本体部６３２の幅を板状部６１４の幅よりも小さくし、板状部６２２の外側の端部（板状部６２０側とは反対側の端部）にまで目盛り６２２ｂを設けて、目盛り６３３と目盛り６２２ｂとが重なった場合でも、目盛り６３３の外側に目盛り６２２ｂが見えるようにしてもよい。なお、目盛り６３３により、目印６２２ａと瞳の頂点の間の距離を測定し、該測定した距離からレンズの厚みの半分を減算することにより、検査用眼鏡を装着した場合のレンズ・瞳間距離を測定してもよい。なお、第３ポケットに装着したレンズのみならず、第２ポケットに装着したレンズの厚み方向の中心位置を示す目印や、第１ポケットに装着したレンズの厚み方向の中心位置を示す目印を表示するようにしてもよい。
【０３８８】
なお、各ポケットに取り付けたレンズの中心位置を示す目印や該目印を基点とする目盛りは、ホルダ６１２ではなく、テンプル部６０６、６０８や智６０９に直接表示してもよい。
【０３８９】
次に、レンズ・瞳間距離の重要性について説明する。検査用眼鏡において、レンズを装着するための３つのホルダが設けられ、眼鏡枠の裏面（顔に近い側の面）から第１ホルダ、第２ホルダ、第３ホルダとし、互いに隣接するホルダのレンズ間距離（レンズの厚み方向（光軸方向）における中心位置同士の距離）が５ｍｍ離れているものとする。つまり、第１ホルダのレンズと第２ホルダのレンズは５ｍｍ離れていて、第２ホルダのレンズと第３ホルダのレンズは５ｍｍ離れているものとする。なお、以下では、装着されるレンズは、凸レンズであるとする。また、以下においてレンズの屈折度（レンズの度数）は、ジオプトリ（Ｄ）（焦点距離の逆数）により表わすものとする。なお、第１ホルダは上記第３ポケットと同じであり、第２ホルダは上記第２ポケットと同じであり、第３ホルダは上記第１ポケットと同じである。
【０３９０】
検査用眼鏡においては、最後尾のレンズ裏面から角膜頂点（瞳の頂点）までの距離（レンズ・瞳間距離（頂点間距離））ができるだけ１２ｍｍとするとの要請があることから以下のようなことがいえる。
【０３９１】
なお、図４９〜５５において、第１、第２、第３は各ホルダを表し、各ジオプトリにおいて、左欄がレンズ・瞳間距離が９ｍｍである場合、中欄がレンズ・瞳間距離が１２ｍｍである場合、右欄がレンズ・瞳間距離１５ｍｍであるとする。
【０３９２】
つまり、第１ホルダに装着されたレンズについては、レンズ・瞳間距離が１２ｍｍの場合には、正しい位置であるので補正は必要ない。一方、レンズ・瞳間距離が９ｍｍの場合には、レンズが３ｍｍ近づきすぎているので、レンズの度数を弱めなければならず、レンズの屈折度をＤとすると、補正後の屈折度は、１÷（１／Ｄ＋０．００３）となる。例えば、屈折度１．５０とすると、１÷（１／１．５０＋０．００３）≒１．４９となり、図４９における１．５０Ｄにおける第１（第１ホルダ）の左欄（９ｍｍ）は、１．４９Ｄとなる。
【０３９３】
また、第２ホルダに装着されたレンズについては、レンズ・瞳間距離（第１ホルダにレンズが装着された場合のレンズ・瞳間距離）を１２ｍｍとした場合でも、第２ホルダのレンズの裏面は５ｍｍ離れているので、レンズの度数を強めなければならず、１÷（１／Ｄ−０．００５）となり、例えば、屈折度１．５０とすると、１÷（１／１．５０−０．００５）≒１．５１となり、図４９における１．５０Ｄにおける第２（第２ホルダ）の中欄（１２ｍｍ）は、１．５１Ｄとなる。
【０３９４】
また、第２ホルダに装着されたレンズについて、レンズ・瞳間距離（第１ホルダに仮想的にレンズが装着されたとした場合の該レンズとのレンズ・瞳間距離）を９ｍｍとした場合には、１÷（１／Ｄ−０．００５＋０．００３）となり、例えば、屈折度１．５０とすると、１÷（１／１．５０−０．００５＋０．００３）≒１．５１となり、図４９における１．５０Ｄにおける第２（第２ホルダ）の左欄（９ｍｍ）は、１．５０Ｄとなる。
【０３９５】
同様に、第３ホルダに装着されたレンズについては、レンズ・瞳間距離（第１ホルダにレンズが装着された場合のレンズ・瞳間距離）を１２ｍｍとした場合でも、第３ホルダのレンズの裏面は１０ｍｍ離れているので、レンズの度数を強めなければならず、１÷（１／Ｄ−０．０１０）となり、例えば、屈折度１．５０とすると、１÷（１／１．５０−０．０１０）≒１．５２となり、図４９における１．５０Ｄにおける第３（第３ホルダ）の中欄（１２ｍｍ）は、１．５２Ｄとなる。
【０３９６】
また、第３ホルダに装着されたレンズについて、レンズ・瞳間距離（第１ホルダに仮想的にレンズが装着されたとした場合の該レンズとのレンズ・瞳間距離）を９ｍｍとした場合には、１÷（１／Ｄ−０．０１０＋０．００３）となり、例えば、屈折度１．５０とすると、１÷（１／１．５０−０．０１０＋０．００３）≒１．５１となり、図４９における１．５０Ｄにおける第３（第３ホルダ）の左欄（９ｍｍ）は、１．５２Ｄとなる。
【０３９７】
以上のようにして、各ジオプトリについて補正後の値を示したものが図４９〜図５１に示す「ジオプトリの補正値を示す表」となる。
【０３９８】
さらに、図４９〜図５１に示す「ジオプトリの補正値を示す表」補正後のジオプトリの値と補正前のジオプトリの値とを比較し、補正後のジオプトリから補正前のジオプトリを減算した値を示したものが図５２〜図５４に示す「ジオプトリの補正前後における差を示す表」となる。
【０３９９】
さらに、図５２〜図５４に示す「ジオプトリの補正前後における差を示す表」において、レンズ・瞳間距離が９ｍｍ、１２ｍｍ、１５ｍｍの各場合における第１ホルダと第２ホルダと第３ホルダのそれぞれの値（つまり、９種類の値）をジオプトリが小さい方からサーチしていき、各値の絶対値が各ジオプトリの値における中間値又は中間値の整数倍を最初に超える場合のジオプトリの値を検出していくと、図５５に示す「ジオプトリの限界値を示す表」となる。
【０４００】
つまり、中間値とは、「ジオプトリの補正値を示す表」及び「ジオプトリの補正前後における差を示す表」において、ジオプトリは０．２５Ｄ間隔となっているので、その中間値は、０．１２５であり、その整数倍は、０．２５、０．３７５、０．５０、０．６２５、０．７５、０．８７５、１．００・・・となる。なお、これらの各値において、０．０１を減算した値以上のものを中間値又は中間値の整数倍を超えたものとみなす。つまり、０．１１５、０．２４、０．３６５、０．４９・・・となる。
【０４０１】
すると、例えば、図５２〜図５４に示す「ジオプトリの補正前後における差を示す表」において、レンズ・瞳間距離が９ｍｍで第１ホルダの箇所をサーチしていくと、６．２５Ｄでは「−０．１２」となり、その絶対値は「０．１２」となり、０．１２５を超えたものとみなされるので、図５５に示す「ジオプトリの限界値を示す表」において、「９ｍｍ」の「第１」の「０．１２５」においては、「６．２５Ｄ」となる。また、９．２５Ｄでは「−０．２５」となり、その絶対値は「０．２５」となり、０．２５を超えたものとみさなれるので、「９ｍｍ」の「第１」の「０．２５」においては、「９．２５Ｄ」となる。
【０４０２】
また、例えば、レンズ・瞳間距離が９ｍｍで第３ホルダの箇所をサーチすると、４．００Ｄで「−０．１２」となり、その絶対値は「０．１２」となり、０．１２５を超えたものとみなされるので、「９ｍｍ」の「第３」の「０．１２５」においては、「４．００Ｄ」となる。また、５．７５Ｄでは「−０．２４」となり、その絶対値は「０．２４」となり、０．２５を超えたものとみさなれるので、「９ｍｍ」の「第３」の「０．２５」においては、「５．７５Ｄ」となる。
【０４０３】
上記のように検出されたジオプトリは、レンズ・瞳間距離が正しく１２ｍｍであれば、中間値（又はその整数倍）を超えるので他のジオプトリを選択した方がよいことを示しており、例えば、レンズ・瞳間距離が９ｍｍで第１ホルダにおいては、６．２５Ｄでは「−０．１２」となり、６．００Ｄを選択した方がよいことを示している。なお、「−０．１２」の場合には、「６．１３（＝６．２５−０．１２）」で厳密には６．２５の方が近いといえるが、上記のように、０．０１を減算した値をしきい値として処理することから、レンズ・瞳間距離が９ｍｍで第１ホルダにおいては、６．２５Ｄの場合に、「ジオプトリの補正前後における差を示す表」における値の絶対値が各ジオプトリの値における中間値又は中間値の整数倍を最初に超えたとみなして、これを限界値とする。つまり、図５５に示す「ジオプトリの限界値を示す表」に示す各ジオプトリの値は、そのジオプトリのレンズの使用を回避すべきであることを示しており、例えば、レンズ・瞳間距離が９ｍｍで第３ホルダにおいては、４．００Ｄのジオプトリのレンズを第３ホルダでレンズ・瞳間距離を９ｍｍ（第１ホルダに仮想的にレンズが装着されたとした場合の該レンズとのレンズ・瞳間距離）とすると、ジオプトリの補正前後における差が０．１２５となるので、当該レンズの使用を回避すべきことを示しており、さらに、レンズ・瞳間距離が９ｍｍで第３ホルダにおいては、５．７５Ｄのジオプトリのレンズを第３ホルダでレンズ・瞳間距離を９ｍｍ（第１ホルダに仮想的にレンズが装着されたとした場合の該レンズとのレンズ・瞳間距離）とすると、ジオプトリの補正前後における差が０．２５となり、４．００Ｄの場合と比べてジオプトリの補正前後の差が倍となるので、より５．７５Ｄのレンズ使用を回避すべきことを示している。
【０４０４】
以上のように、レンズ・瞳間距離（頂点間距離）は、レンズの度数の選択に際して極めて重要な要素であるといえる。
【符号の説明】
【０４０５】
１、２、３、４、１０００、１００１  眼鏡用測定具
５  本体部
１０  中央板部
２０、２８０  レッグ部
２２、４４ａ、７２、２１６、２４４、２７２、２８２、２９２、６３２、１０１０  本体部
２４  突状部
３０  平行保持部
３２  傾斜板部
３４  平行保持部本体
３６  水平板部
３８、４６、９０  垂直板部
３９、４７  Ｌ字状板部
４０、６２、４０Ａ、４０Ｂ  ホルダ
４２、６４  アーム部
４５、８４、８６、２５２ｂ、７１０  目盛り
５０ａ、５０ｂ  レンズ当接部
５２、１２６ａ、２２８、２２８ａ、２２８ｂ、２４７、２４８ｂ−１、２５１  表示部
６０  中央位置特定部
７０  固定部
７０ａ  下側板状部
７０ｂ−１  第１中間板状部
７０ｂ−２  第２中間板状部
７０ｂ−３  第３中間板状部
７０ｃ  上側板状部
７１  主尺等収納部
７４、７８  切欠部
７６、８０  挿通穴
８２  溝状部
１００  第１主尺
１１０  第２主尺
１２０  データ保持部材
１２２  帯板状部
１２４  柱状部
１２６  水平板部
２００  操作部
２１０  水平挟設部
２１２  下側構成部
２１４  上側構成部
２２８  表示部
２３８、２３９  中間部
２３０  スライド板部
２３２ｂ  切欠部
２４０  垂直挟設部
２４２  背面前側構成部
２４６、２７４  覗き窓
２５０ａ、２５０ｃ、２５０ｅ  直線部
２５０ｂ、２５０ｄ  半円部
２５２  傾斜角度測定部
２６０  背面後側構成部
２７０  正面構成部
３００、４００  遠用シール
３００ａ、３１０ａ、４００ａ、４１０ａ  シール本体
３００ｂ、３１０ｂ、４００ｂ、４１０ｂ  粘着部
３００ｃ、３１０ｃ、４００ｃ、４１０ｃ  剥離紙
３０２、３１２、４０２、４１２  円弧状部
３０４、３１４、４０４、４１４  片部
３１０、４１０  近用シール
３２１、４２１  目隠し用部材
６００  検査用眼鏡
６１０  測定具
６８０  測定具
６１２  ホルダ
６３０  スライド目盛り部
７００  斜め測定部
７０２  スライド板部
７０４  計測板部
７０６  ストッパ
８００  拡大鏡ユニット
８０２  挟設部
８０４  台部
８０６  拡大鏡
９００  指標部
１０１０  本体部
１０１２  ベース部
１０４０、１１４０  スリット測定部
１０５０、１２５０  平行保持部
１０５２、１２５２  ベース部
１０７０、１２７０  レンズ厚調節部
１０７１、１２７１  回転部軸支部
１１００、１３００  回転部
１０２０、１１２０、１２２０  屈曲板部
【図１】
0005766524.tif 000002
【図２】
0005766524.tif 000003
【図３】
0005766524.tif 000004
【図４】
0005766524.tif 000005
【図５】
0005766524.tif 000006
【図６】
0005766524.tif 000007
【図７】
0005766524.tif 000008
【図８】
0005766524.tif 000009
【図９】
0005766524.tif 000010
【図１０】
0005766524.tif 000011
【図１１】
0005766524.tif 000012
【図１２】
0005766524.tif 000013
【図１３】
0005766524.tif 000014
【図１４】
0005766524.tif 000015
【図１５】
0005766524.tif 000016
【図１６】
0005766524.tif 000017
【図１７】
0005766524.tif 000018
【図１８】
0005766524.tif 000019
【図１９】
0005766524.tif 000020
【図２０】
0005766524.tif 000021
【図２１】
0005766524.tif 000022
【図２２】
0005766524.tif 000023
【図２３】
0005766524.tif 000024
【図２４】
0005766524.tif 000025
【図２５】
0005766524.tif 000026
【図２６】
0005766524.tif 000027
【図２７】
0005766524.tif 000028
【図２８】
0005766524.tif 000029
【図２９】
0005766524.tif 000030
【図３０】
0005766524.tif 000031
【図３１】
0005766524.tif 000032
【図３２】
0005766524.tif 000033
【図３３】
0005766524.tif 000034
【図３４】
0005766524.tif 000035
【図３５】
0005766524.tif 000036
【図３６】
0005766524.tif 000037
【図３７】
0005766524.tif 000038
【図３８】
0005766524.tif 000039
【図３９】
0005766524.tif 000040
【図４０】
0005766524.tif 000041
【図４１】
0005766524.tif 000042
【図４２】
0005766524.tif 000043
【図４３】
0005766524.tif 000044
【図４４】
0005766524.tif 000045
【図４５】
0005766524.tif 000046
【図４６】
0005766524.tif 000047
【図４７】
0005766524.tif 000048
【図４８】
0005766524.tif 000049
【図４９】
0005766524.tif 000050
【図５０】
0005766524.tif 000051
【図５１】
0005766524.tif 000052
【図５２】
0005766524.tif 000053
【図５３】
0005766524.tif 000054
【図５４】
0005766524.tif 000055
【図５５】
0005766524.tif 000056